(57)【要約】  本開示は、情報伝送方法、端末及び基地局を提供する。当該方法において、タイムユニットでＰＵＣＣＨに占められるシンボルを取得するステップと、シンボルに対応するＣＳ値を特定するステップと、ＣＳ値に基づき、ＰＵＣＣＨを当該シンボルで送信するステップとを含む。【選択図】  図１
2020529810.tif 000002
【特許請求の範囲】
【請求項１】
タイムユニットでＰＵＣＣＨ（Ｐｈｙｓｉｃａｌ  Ｕｐｌｉｎｋ  Ｃｏｎｔｒｏｌ  Ｃｈａｎｎｅｌ）に占められるシンボルを取得するステップと、
前記シンボルに対応するＣＳ（Ｃｙｃｌｉｃ  Ｓｈｉｆｔ）値を特定するステップと、
前記ＣＳ値に基づき、前記ＰＵＣＣＨを前記シンボルで送信するステップとを含む、情報伝送方法。
【請求項２】
前記シンボルに対応するＣＳ値を特定するステップは、
シンボルの番号と配置情報によって通知されるＰＵＣＣＨリソース番号に基づき、前記シンボルに対応するＣＳ値を特定するステップ、または、
配置シグナリングによって配置されたＣＳ配置索引に基づき、前記シンボルに対応するＣＳ値を特定するステップを含む、請求項１に記載の方法。
【請求項３】
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号およびタイムユニットの番号に基づき、以下の第１公式群によって、シンボルに対応するＣＳ値
【数１】
2020529810.tif 000716
を算出するステップ、または、
ＰＵＣＣＨリソース番号、シンボルの番号およびタイムユニットの番号に基づき、以下の第２公式群によって、シンボルに対応するＣＳ値
【数２】
2020529810.tif 000717
を算出するステップを含む、請求項２に記載の方法。
【数３】
2020529810.tif 000718
（第１公式群）
ここで、
【数４】
2020529810.tif 000719
ここで、
【数５】
2020529810.tif 000720
【数６】
2020529810.tif 000721
【数７】
2020529810.tif 000722
【数８】
2020529810.tif 000723
（第２公式群）
ここで、
【数９】
2020529810.tif 000724
ここで、
【数１０】
2020529810.tif 000725
【数１１】
2020529810.tif 000726
ここで、
【数１２】
2020529810.tif 000727
：シンボルに対応するＣＳ値；
【数１３】
2020529810.tif 000728
、
【数１４】
2020529810.tif 000729
、
【数１５】
2020529810.tif 000730
：中間パラメータ；
【数１６】
2020529810.tif 000731
：ＯＣＣ（Ｏｒｔｈｏｇｏｎａｌ  Ｃｏｖｅｒ  Ｃｏｄｅ）系列番号；
【数１７】
2020529810.tif 000732
：疑似乱数列；
【数１８】
2020529810.tif 000733
：アンテナポート
【数１９】
2020529810.tif 000734
でのＰＵＣＣＨリソース番号；
【数２０】
2020529810.tif 000735
：余りを求める関数；
【数２１】
2020529810.tif 000736
：１つのＲＢに含まれるサブキャリア数；
【数２２】
2020529810.tif 000737
：ハイレイヤシグナリングで事前に配置されたＣＳ間隔；
【数２３】
2020529810.tif 000738
：１つのタイムユニットに含まれるシンボル数；
【数２４】
2020529810.tif 000739
：タイムユニットの番号；
【数２５】
2020529810.tif 000740
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４】
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号、タイムユニットの番号および周波数ホッピング部分の番号に基づき、以下の第３公式群によって、シンボルに対応するＣＳ値
【数２６】
2020529810.tif 000741
を算出するステップ、または、
ＰＵＣＣＨリソース番号、シンボルの番号、タイムユニットの番号および周波数ホッピング部分の番号に基づき、以下の第４公式群によって、シンボルに対応するＣＳ値
【数２７】
2020529810.tif 000742
を算出するステップを含む、請求項２に記載の方法。
【数２８】
2020529810.tif 000743
（第３公式群）
ここで、
【数２９】
2020529810.tif 000744
ここで、
【数３０】
2020529810.tif 000745
【数３１】
2020529810.tif 000746
周波数ホッピングが用いられると、前記タイムユニットに２つの周波数ホッピング部分を含むのであれば、１つ目の周波数ホッピング部分に対し、または、
【数３２】
2020529810.tif 000747
＝０の場合、
【数３３】
2020529810.tif 000748
２つ目の周波数ホッピング部分に対し、または、
【数３４】
2020529810.tif 000749
＝１の場合、
【数３５】
2020529810.tif 000750
【数３６】
2020529810.tif 000751
（第４公式群）
ここで、
【数３７】
2020529810.tif 000752
ここで、
【数３８】
2020529810.tif 000753
周波数ホッピングが用いられると、前記タイムユニットに２つの周波数ホッピング部分を含むのであれば、１つ目の周波数ホッピング部分に対し、または、
【数３９】
2020529810.tif 000754
＝０の場合、
【数４０】
2020529810.tif 000755
２つ目の周波数ホッピング部分に対し、または、
【数４１】
2020529810.tif 000756
＝１の場合、
【数４２】
2020529810.tif 000757
ここで、
【数４３】
2020529810.tif 000758
：シンボルに対応するＣＳ値；
【数４４】
2020529810.tif 000759
、
【数４５】
2020529810.tif 000760
、
【数４６】
2020529810.tif 000761
：中間パラメータ；
【数４７】
2020529810.tif 000762
：ＯＣＣ系列番号；
【数４８】
2020529810.tif 000763
：疑似乱数列；
【数４９】
2020529810.tif 000764
：アンテナポート
【数５０】
2020529810.tif 000765
でのＰＵＣＣＨリソース番号；
【数５１】
2020529810.tif 000766
：余りを求める関数；
【数５２】
2020529810.tif 000767
：１つのＲＢに含まれるサブキャリア数；
【数５３】
2020529810.tif 000768
：ハイレイヤシグナリングで事前に配置されたＣＳ間隔；
【数５４】
2020529810.tif 000769
：１つのタイムユニットに含まれるシンボル数；
【数５５】
2020529810.tif 000770
：周波数ホッピング部分の番号；
【数５６】
2020529810.tif 000771
：タイムユニットの番号；
【数５７】
2020529810.tif 000772
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項５】
前記のシンボルの番号と配置情報によって通知されるＰＵＣＣＨリソース番号に基づき、前記シンボルに対応するＣＳ値を特定するステップは、
ＰＵＣＣＨリソース番号とシンボルの番号に基づき、以下の第５公式群によって、シンボルに対応するＣＳ値
【数５８】
2020529810.tif 000773
を算出するステップ、または、
ＰＵＣＣＨリソース番号とシンボルの番号に基づき、以下の第６公式群によって、シンボルに対応するＣＳ値
【数５９】
2020529810.tif 000774
を算出するステップを含む、請求項２に記載の方法。
【数６０】
2020529810.tif 000775
（第５公式群）
ここで、
【数６１】
2020529810.tif 000776
ここで、
【数６２】
2020529810.tif 000777
【数６３】
2020529810.tif 000778
【数６４】
2020529810.tif 000779
【数６５】
2020529810.tif 000780
（第６公式群）
ここで、
【数６６】
2020529810.tif 000781
ここで、
【数６７】
2020529810.tif 000782
【数６８】
2020529810.tif 000783
ここで、
【数６９】
2020529810.tif 000784
：シンボルに対応するＣＳ値；
【数７０】
2020529810.tif 000785
、
【数７１】
2020529810.tif 000786
、
【数７２】
2020529810.tif 000787
：中間パラメータ；
【数７３】
2020529810.tif 000788
：ＯＣＣ系列番号；
【数７４】
2020529810.tif 000789
：疑似乱数列；
【数７５】
2020529810.tif 000790
：アンテナポート
【数７６】
2020529810.tif 000791
でのＰＵＣＣＨリソース番号；
【数７７】
2020529810.tif 000792
：余りを求める関数；
【数７８】
2020529810.tif 000793
：１つのＲＢに含まれるサブキャリア数；
【数７９】
2020529810.tif 000794
：ハイレイヤシグナリングで事前に配置されたＣＳ間隔；
【数８０】
2020529810.tif 000795
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項６】
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号および周波数ホッピング部分の番号に基づき、以下の第７公式群によって、ＣＳ値
【数８１】
2020529810.tif 000796
を算出するステップ、または、
ＰＵＣＣＨリソース番号、シンボルの番号および周波数ホッピング部分の番号に基づき、以下の第８公式群によって、ＣＳ値
【数８２】
2020529810.tif 000797
を算出するステップを含む、請求項２に記載の方法。
【数８３】
2020529810.tif 000798
（第７公式群）
ここで、
【数８４】
2020529810.tif 000799
ここで、
【数８５】
2020529810.tif 000800
【数８６】
2020529810.tif 000801
周波数ホッピングが用いられると、前記タイムユニットに２つの周波数ホッピング部分を含むのであれば、１つ目の周波数ホッピング部分に対し、または、
【数８７】
2020529810.tif 000802
＝０の場合、
【数８８】
2020529810.tif 000803
２つ目の周波数ホッピング部分に対し、または、
【数８９】
2020529810.tif 000804
＝１の場合、
【数９０】
2020529810.tif 000805
【数９１】
2020529810.tif 000806
（第８公式群）
ここで、
【数９２】
2020529810.tif 000807
ここで、
【数９３】
2020529810.tif 000808
周波数ホッピングが用いられると、前記タイムユニットに２つの周波数ホッピング部分を含むのであれば、１つ目の周波数ホッピング部分に対し、または、
【数９４】
2020529810.tif 000809
＝０の場合、
【数９５】
2020529810.tif 000810
２つ目の周波数ホッピング部分に対し、または、
【数９６】
2020529810.tif 000811
＝１の場合、
【数９７】
2020529810.tif 000812
ここで、
【数９８】
2020529810.tif 000813
：シンボルに対応するＣＳ値；
【数９９】
2020529810.tif 000814
、
【数１００】
2020529810.tif 000815
、
【数１０１】
2020529810.tif 000816
：中間パラメータ；
【数１０２】
2020529810.tif 000817
：ＯＣＣ系列番号；
【数１０３】
2020529810.tif 000818
：疑似乱数列；
【数１０４】
2020529810.tif 000819
：アンテナポート
【数１０５】
2020529810.tif 000820
でのＰＵＣＣＨリソース番号；
【数１０６】
2020529810.tif 000821
：余りを求める関数；
【数１０７】
2020529810.tif 000822
：１つのＲＢに含まれるサブキャリア数；
【数１０８】
2020529810.tif 000823
：ハイレイヤシグナリングで事前に配置されたＣＳ間隔；
【数１０９】
2020529810.tif 000824
：周波数ホッピング部分の番号；
【数１１０】
2020529810.tif 000825
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項７】
前記ＣＳ値に基づき、前記ＰＵＣＣＨを前記シンボルで送信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで送信するステップとを含む、請求項３〜６のいずれか一項に記載の方法。
【請求項８】
前記の配置シグナリングによって配置されたＣＳ配置索引に基づき、前記シンボルに対応するＣＳ値を特定するステップは、
配置シグナリングを受信し、前記配置シグナリングに基づいてＣＳ配置索引を得るステップと、
前記ＣＳ配置索引に基づき、前記シンボルに対応するＣＳ索引を特定するステップと、
前記シンボルに対応するＣＳ索引に基づき、前記シンボルに対応するＣＳ値を特定するステップとを含む、請求項２に記載の方法。
【請求項９】
前記ＣＳ配置索引に基づき、前記シンボルに対応するＣＳ索引を特定するステップは、
前記ＣＳ配置索引および前記シンボルの番号に基づき、以下の第１公式によって、前記シンボルに対応するＣＳ索引
【数１１１】
2020529810.tif 000826
を算出するステップを含む、請求項８に記載の方法。
【数１１２】
2020529810.tif 000827
（第１公式）
ここで、
【数１１３】
2020529810.tif 000828
：シンボルに対応するＣＳ索引；
【数１１４】
2020529810.tif 000829
：前記ＣＳ配置索引；
【数１１５】
2020529810.tif 000830
：シンボルの番号であって、その範囲が０〜
【数１１６】
2020529810.tif 000831
であり、ここで、
【数１１７】
2020529810.tif 000832
が１つのタイムユニットに含まれるシンボル数を示す；
ｋ：係数であって、１以上の正整数である；
【数１１８】
2020529810.tif 000833
：１つのＲＢに含まれるサブキャリア数；
Ｍｏｄ：余りを求める関数。
【請求項１０】
前記ＣＳ配置索引に基づき、前記シンボルに対応するＣＳ索引を特定するステップは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定するステップを含む、請求項８に記載の方法。
【請求項１１】
前記シンボルに対応するＣＳ索引に基づき、前記シンボルに対応するＣＳ値を特定するステップは、
前記シンボルに対応するＣＳ索引に基づき、以下の第２公式によって、前記シンボルに対応するＣＳ値
【数１１９】
2020529810.tif 000834
を算出するステップを含む、請求項８に記載の方法。
【数１２０】
2020529810.tif 000835
（第２公式）
ここで、
【数１２１】
2020529810.tif 000836
：前記シンボルに対応するＣＳ値；
【数１２２】
2020529810.tif 000837
：前記シンボルに対応するＣＳ索引；
【数１２３】
2020529810.tif 000838
：１つのＲＢに含まれるサブキャリア数。
【請求項１２】
前記ＣＳ値に基づき、ＰＵＣＣＨを前記シンボルで送信するステップは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するステップと、
前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで送信するステップとを含む、請求項８に記載の方法。
【請求項１３】
前記ＣＳ値に基づき、ＰＵＣＣＨを前記シンボルで送信するステップは、
前記ＰＵＣＣＨが伝送されるＲＢのＲＢ番号
【数１２４】
2020529810.tif 000839
を以下の第３公式で特定し、前記シンボルおよび前記ＲＢ番号に対応するＲＢで前記ＰＵＣＣＨを送信するステップ、
または、周波数ホッピングが用いられると、前記ＰＵＣＣＨが伝送されるＲＢのＲＢ番号
【数１２５】
2020529810.tif 000840
を以下の第４公式で特定し、前記シンボルおよび前記ＲＢ番号に対応するＲＢで前記ＰＵＣＣＨを送信するステップを含む、請求項１に記載の方法。
【数１２６】
2020529810.tif 000841
または、
【数１２７】
2020529810.tif 000842
（第３公式）
ここで、
【数１２８】
2020529810.tif 000843
または
【数１２９】
2020529810.tif 000844
【数１３０】
2020529810.tif 000845
または、
【数１３１】
2020529810.tif 000846
（第４公式）
ここで、
【数１３２】
2020529810.tif 000847
または
【数１３３】
2020529810.tif 000848
ここで、
【数１３４】
2020529810.tif 000849
：ＰＵＣＣＨが伝送されるＲＢのＲＢ番号；
【数１３５】
2020529810.tif 000850
：アンテナポート
【数１３６】
2020529810.tif 000851
でのＰＵＣＣＨリソース番号；
【数１３７】
2020529810.tif 000852
：１つのＲＢに含まれるサブキャリア数；
【数１３８】
2020529810.tif 000853
：ハイレイヤシグナリングで事前に配置されたＣＳ間隔；
【数１３９】
2020529810.tif 000854
：アップリンク帯域幅またはアップリンク周波数ホッピング帯域幅；
【数１４０】
2020529810.tif 000855
：周波数ホッピング部分の番号；
【数１４１】
2020529810.tif 000856
：ハイレイヤシグナリングで事前に配置されたＰＵＣＣＨリソース開始位置であって、その値が０以上である；
【数１４２】
2020529810.tif 000857
、
【数１４３】
2020529810.tif 000858
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１４】
前記ｃがＯＣＣ系列の数または長さに基づいて特定された値であることは、
前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、
前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、
前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む、請求項３〜６および請求項１３のいずれか一項に記載の方法。
【請求項１５】
タイムユニットでＰＵＣＣＨに占められるシンボルを取得するステップと、
前記シンボルに対応するＣＳ値を特定するステップと、
前記ＣＳ値に基づき、前記ＰＵＣＣＨを前記シンボルで受信するステップとを含む、情報伝送方法。
【請求項１６】
前記シンボルに対応するＣＳ値を特定するステップは、
シンボルの番号と、配置情報によって端末に通知されるＰＵＣＣＨリソース番号に基づき、前記シンボルに対応するＣＳ値を特定するステップ、または、
配置シグナリングによって端末に通知されたＣＳ配置索引に基づき、前記シンボルに対応するＣＳ値を特定するステップを含む、請求項１５に記載の方法。
【請求項１７】
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号およびタイムユニットの番号に基づき、以下の第１公式群によって、シンボルに対応するＣＳ値
【数１４４】
2020529810.tif 000859
を算出するステップ、または、
ＰＵＣＣＨリソース番号、シンボルの番号およびタイムユニットの番号に基づき、以下の第２公式群によって、シンボルに対応するＣＳ値
【数１４５】
2020529810.tif 000860
を算出するステップを含む、請求項１６に記載の方法。
【数１４６】
2020529810.tif 000861
（第１公式群）
ここで、
【数１４７】
2020529810.tif 000862
ここで、
【数１４８】
2020529810.tif 000863
【数１４９】
2020529810.tif 000864
【数１５０】
2020529810.tif 000865
【数１５１】
2020529810.tif 000866
（第２公式群）
ここで、
【数１５２】
2020529810.tif 000867
ここで、
【数１５３】
2020529810.tif 000868
【数１５４】
2020529810.tif 000869
ここで、
【数１５５】
2020529810.tif 000870
：シンボルに対応するＣＳ値；
【数１５６】
2020529810.tif 000871
、
【数１５７】
2020529810.tif 000872
、
【数１５８】
2020529810.tif 000873
：中間パラメータ；
【数１５９】
2020529810.tif 000874
：ＯＣＣ系列番号；
【数１６０】
2020529810.tif 000875
：疑似乱数列；
【数１６１】
2020529810.tif 000876
：アンテナポート
【数１６２】
2020529810.tif 000877
でのＰＵＣＣＨリソース番号；
【数１６３】
2020529810.tif 000878
：余りを求める関数；
【数１６４】
2020529810.tif 000879
：１つのＲＢに含まれるサブキャリア数；
【数１６５】
2020529810.tif 000880
：ハイレイヤシグナリングで事前に配置されたＣＳ間隔；
【数１６６】
2020529810.tif 000881
：１つのタイムユニットに含まれるシンボル数；
【数１６７】
2020529810.tif 000882
：タイムユニットの番号；
【数１６８】
2020529810.tif 000883
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１８】
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号、タイムユニットの番号および周波数ホッピング部分の番号に基づき、以下の第３公式群によって、シンボルに対応するＣＳ値
【数１６９】
2020529810.tif 000884
を算出するステップ、または、
ＰＵＣＣＨリソース番号、シンボルの番号、タイムユニットの番号および周波数ホッピング部分の番号に基づき、以下の第４公式群によって、シンボルに対応するＣＳ値
【数１７０】
2020529810.tif 000885
を算出するステップを含む、請求項１６に記載の方法。
【数１７１】
2020529810.tif 000886
（第３公式群）
ここで、
【数１７２】
2020529810.tif 000887
ここで、
【数１７３】
2020529810.tif 000888
【数１７４】
2020529810.tif 000889
周波数ホッピングが用いられると、前記タイムユニットに２つの周波数ホッピング部分を含むのであれば、１つ目の周波数ホッピング部分に対し、または、
【数１７５】
2020529810.tif 000890
＝０の場合、
【数１７６】
2020529810.tif 000891
２つ目の周波数ホッピング部分に対し、または、
【数１７７】
2020529810.tif 000892
＝１の場合、
【数１７８】
2020529810.tif 000893
【数１７９】
2020529810.tif 000894
（第４公式群）
ここで、
【数１８０】
2020529810.tif 000895
ここで、
【数１８１】
2020529810.tif 000896
周波数ホッピングが用いられると、前記タイムユニットに２つの周波数ホッピング部分を含むのであれば、１つ目の周波数ホッピング部分に対し、または、
【数１８２】
2020529810.tif 000897
＝０の場合、
【数１８３】
2020529810.tif 000898
２つ目の周波数ホッピング部分に対し、または、
【数１８４】
2020529810.tif 000899
＝１の場合、
【数１８５】
2020529810.tif 000900
ここで、
【数１８６】
2020529810.tif 000901
：シンボルに対応するＣＳ値；
【数１８７】
2020529810.tif 000902
、
【数１８８】
2020529810.tif 000903
、
【数１８９】
2020529810.tif 000904
：中間パラメータ；
【数１９０】
2020529810.tif 000905
：ＯＣＣ系列番号；
【数１９１】
2020529810.tif 000906
：疑似乱数列；
【数１９２】
2020529810.tif 000907
：アンテナポート
【数１９３】
2020529810.tif 000908
でのＰＵＣＣＨリソース番号；
【数１９４】
2020529810.tif 000909
：余りを求める関数；
【数１９５】
2020529810.tif 000910
：１つのＲＢに含まれるサブキャリア数；
【数１９６】
2020529810.tif 000911
：ハイレイヤシグナリングで事前に配置されたＣＳ間隔；
【数１９７】
2020529810.tif 000912
：１つのタイムユニットに含まれるシンボル数；
【数１９８】
2020529810.tif 000913
：周波数ホッピング部分の番号；
【数１９９】
2020529810.tif 000914
：タイムユニットの番号；
【数２００】
2020529810.tif 000915
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１９】
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号とシンボルの番号に基づき、以下の第５公式群によって、シンボルに対応するＣＳ値
【数２０１】
2020529810.tif 000916
を算出するステップ、または、
ＰＵＣＣＨリソース番号とシンボルの番号に基づき、以下の第６公式群によって、シンボルに対応するＣＳ値
【数２０２】
2020529810.tif 000917
を算出するステップを含む、請求項１６に記載の方法。
【数２０３】
2020529810.tif 000918
（第５公式群）
ここで、
【数２０４】
2020529810.tif 000919
ここで、
【数２０５】
2020529810.tif 000920
【数２０６】
2020529810.tif 000921
【数２０７】
2020529810.tif 000922
【数２０８】
2020529810.tif 000923
（第６公式群）
ここで、
【数２０９】
2020529810.tif 000924
ここで、
【数２１０】
2020529810.tif 000925
【数２１１】
2020529810.tif 000926
ここで、
【数２１２】
2020529810.tif 000927
：シンボルに対応するＣＳ値；
【数２１３】
2020529810.tif 000928
、
【数２１４】
2020529810.tif 000929
、
【数２１５】
2020529810.tif 000930
：中間パラメータ；
【数２１６】
2020529810.tif 000931
：ＯＣＣ系列番号；
【数２１７】
2020529810.tif 000932
：疑似乱数列；
【数２１８】
2020529810.tif 000933
：アンテナポート
【数２１９】
2020529810.tif 000934
でのＰＵＣＣＨリソース番号；
【数２２０】
2020529810.tif 000935
：余りを求める関数；
【数２２１】
2020529810.tif 000936
：１つのＲＢに含まれるサブキャリア数；
【数２２２】
2020529810.tif 000937
：ハイレイヤシグナリングで事前に配置されたＣＳ間隔；
【数２２３】
2020529810.tif 000938
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項２０】
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号および周波数ホッピング部分の番号に基づき、以下の第７公式群によって、ＣＳ値
【数２２４】
2020529810.tif 000939
を算出するステップ、または、
ＰＵＣＣＨリソース番号、シンボルの番号および周波数ホッピング部分の番号に基づき、以下の第８公式群によって、ＣＳ値
【数２２５】
2020529810.tif 000940
を算出するステップを含む、請求項１６に記載の方法。
【数２２６】
2020529810.tif 000941
（第７公式群）
ここで、
【数２２７】
2020529810.tif 000942
ここで、
【数２２８】
2020529810.tif 000943
【数２２９】
2020529810.tif 000944
周波数ホッピングが用いられると、前記タイムユニットに２つの周波数ホッピング部分を含むのであれば、１つ目の周波数ホッピング部分に対し、または、
【数２３０】
2020529810.tif 000945
＝０の場合、
【数２３１】
2020529810.tif 000946
２つ目の周波数ホッピング部分に対し、または、
【数２３２】
2020529810.tif 000947
＝１の場合、
【数２３３】
2020529810.tif 000948
【数２３４】
2020529810.tif 000949
（第８公式群）
ここで、
【数２３５】
2020529810.tif 000950
ここで、
【数２３６】
2020529810.tif 000951
周波数ホッピングが用いられると、前記タイムユニットに２つの周波数ホッピング部分を含むのであれば、１つ目の周波数ホッピング部分に対し、または、
【数２３７】
2020529810.tif 000952
＝０の場合、
【数２３８】
2020529810.tif 000953
２つ目の周波数ホッピング部分に対し、または、
【数２３９】
2020529810.tif 000954
＝１の場合、
【数２４０】
2020529810.tif 000955
ここで、
【数２４１】
2020529810.tif 000956
：シンボルに対応するＣＳ値；
【数２４２】
2020529810.tif 000957
、
【数２４３】
2020529810.tif 000958
、
【数２４４】
2020529810.tif 000959
：中間パラメータ；
【数２４５】
2020529810.tif 000960
：ＯＣＣ系列番号；
【数２４６】
2020529810.tif 000961
：疑似乱数列；
【数２４７】
2020529810.tif 000962
：アンテナポート
【数２４８】
2020529810.tif 000963
でのＰＵＣＣＨリソース番号；
【数２４９】
2020529810.tif 000964
：余りを求める関数；
【数２５０】
2020529810.tif 000965
：１つのＲＢに含まれるサブキャリア数；
【数２５１】
2020529810.tif 000966
：ハイレイヤシグナリングで事前に配置されたＣＳ間隔；
【数２５２】
2020529810.tif 000967
：周波数ホッピング部分の番号；
【数２５３】
2020529810.tif 000968
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項２１】
前記ＣＳ値に基づき、前記ＰＵＣＣＨを前記シンボルで受信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで受信するステップとを含む、請求項１７〜２０のいずれか一項に記載の方法。
【請求項２２】
前記の配置シグナリングによって端末に通知されたＣＳ配置索引に基づき、前記シンボルに対応するＣＳ値を特定するステップは、
ＣＳ配置索引を特定し、前記ＣＳ配置索引を配置シグナリングによって端末に通知するステップと、
前記ＣＳ配置索引に基づき、前記シンボルに対応するＣＳ索引を特定するステップと、
前記シンボルに対応するＣＳ索引に基づき、前記シンボルに対応するＣＳ値を特定するステップとを含む、請求項１６に記載の方法。
【請求項２３】
前記ＣＳ配置索引に基づき、前記シンボルに対応するＣＳ索引を特定するステップは、
前記ＣＳ配置索引および前記シンボルの番号に基づき、以下の第１公式によって、前記シンボルに対応するＣＳ索引
【数２５４】
2020529810.tif 000969
を算出するステップを含む、請求項２２に記載の方法。
【数２５５】
2020529810.tif 000970
（第１公式）
ここで、
【数２５６】
2020529810.tif 000971
：シンボルに対応するＣＳ索引；
【数２５７】
2020529810.tif 000972
：前記ＣＳ配置索引；
【数２５８】
2020529810.tif 000973
：シンボルの番号であって、その範囲が０〜
【数２５９】
2020529810.tif 000974
であり、ここで、
【数２６０】
2020529810.tif 000975
が１つのタイムユニットに含まれるシンボル数を示す；
ｋ：係数であって、１以上の正整数である；
【数２６１】
2020529810.tif 000976
：１つのＲＢに含まれるサブキャリア数；
Ｍｏｄ：余りを求める関数。
【請求項２４】
前記ＣＳ配置索引に基づき、前記シンボルに対応するＣＳ索引を特定するステップは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定するステップを含む、請求項２２に記載の方法。
【請求項２５】
前記シンボルに対応するＣＳ索引に基づき、前記シンボルに対応するＣＳ値を特定するステップは、
前記シンボルに対応するＣＳ索引に基づき、以下の第２公式によって、前記シンボルに対応するＣＳ値
【数２６２】
2020529810.tif 000977
を算出するステップを含む、請求項２２に記載の方法。
【数２６３】
2020529810.tif 000978
（第２公式）
ここで、
【数２６４】
2020529810.tif 000979
：前記シンボルに対応するＣＳ値；
【数２６５】
2020529810.tif 000980
：前記シンボルに対応するＣＳ索引；
【数２６６】
2020529810.tif 000981
：１つのＲＢに含まれるサブキャリア数。
【請求項２６】
前記ＣＳ値に基づき、前記ＰＵＣＣＨを前記シンボルで受信するステップは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するステップと、
前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで受信するステップとを含む、請求項２２に記載の方法。
【請求項２７】
前記ＣＳ値に基づき、前記ＰＵＣＣＨを前記シンボルで受信するステップは、
前記ＰＵＣＣＨが伝送されるＲＢのＲＢ番号
【数２６７】
2020529810.tif 000982
を以下の第３公式で特定し、前記シンボルおよび前記ＲＢ番号に対応するＲＢで前記ＰＵＣＣＨを送信するステップ、
または、周波数ホッピングが用いられると、前記ＰＵＣＣＨが伝送されるＲＢのＲＢ番号
【数２６８】
2020529810.tif 000983
を以下の第４公式で特定し、前記シンボルおよび前記ＲＢ番号に対応するＲＢで前記ＰＵＣＣＨを送信するステップを含む、請求項１５に記載の方法。
【数２６９】
2020529810.tif 000984
または、
【数２７０】
2020529810.tif 000985
（第３公式）
ここで、
【数２７１】
2020529810.tif 000986
または
【数２７２】
2020529810.tif 000987
【数２７３】
2020529810.tif 000988
または、
【数２７４】
2020529810.tif 000989
（第４公式）
ここで、
【数２７５】
2020529810.tif 000990
または
【数２７６】
2020529810.tif 000991
ここで、
【数２７７】
2020529810.tif 000992
：ＰＵＣＣＨが伝送されるＲＢのＲＢ番号；
【数２７８】
2020529810.tif 000993
：アンテナポート
【数２７９】
2020529810.tif 000994
でのＰＵＣＣＨリソース番号；
【数２８０】
2020529810.tif 000995
：１つのＲＢに含まれるサブキャリア数；
【数２８１】
2020529810.tif 000996
：ハイレイヤシグナリングで事前に配置されたＣＳ間隔；
【数２８２】
2020529810.tif 000997
：アップリンク帯域幅またはアップリンク周波数ホッピング帯域幅；
【数２８３】
2020529810.tif 000998
：周波数ホッピング部分の番号；
【数２８４】
2020529810.tif 000999
：ハイレイヤシグナリングで事前に配置されたＰＵＣＣＨリソース開始位置であって、その値が０以上である；
【数２８５】
2020529810.tif 001000
、
【数２８６】
2020529810.tif 001001
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項２８】
前記ｃがＯＣＣ系列の数または長さに基づいて特定された値であることは、
前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、
前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、
前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む、請求項１７〜２０および請求項２７のいずれか一項に記載の方法。
【請求項２９】
タイムユニットでＰＵＣＣＨに占められるシンボルを取得するための取得モジュールと、
前記シンボルに対応するＣＳ値を特定するための特定モジュールと、
前記ＣＳ値に基づき、前記ＰＵＣＣＨを前記シンボルで送信するための送信モジュールとを含む、端末。
【請求項３０】
前記特定モジュールは、
シンボルの番号と配置情報によって通知されるＰＵＣＣＨリソース番号に基づき、前記シンボルに対応するＣＳ値を特定するための第１特定ユニット、または、
配置シグナリングによって配置されたＣＳ配置索引に基づき、前記シンボルに対応するＣＳ値を特定するための第２特定ユニットを含む、請求項２９に記載の端末。
【請求項３１】
前記第１特定ユニットは、
ＰＵＣＣＨリソース番号、シンボルの番号およびタイムユニットの番号に基づき、以下の第１公式群によって、シンボルに対応するＣＳ値
【数２８７】
2020529810.tif 001002
を算出すること、または、
ＰＵＣＣＨリソース番号、シンボルの番号およびタイムユニットの番号に基づき、以下の第２公式群によって、シンボルに対応するＣＳ値
【数２８８】
2020529810.tif 001003
を算出することに用いられる、請求項３０に記載の端末。
【数２８９】
2020529810.tif 001004
（第１公式群）
ここで、
【数２９０】
2020529810.tif 001005
ここで、
【数２９１】
2020529810.tif 001006
【数２９２】
2020529810.tif 001007
【数２９３】
2020529810.tif 001008
【数２９４】
2020529810.tif 001009
（第２公式群）
ここで、
【数２９５】
2020529810.tif 001010
ここで、
【数２９６】
2020529810.tif 001011
【数２９７】
2020529810.tif 001012
ここで、
【数２９８】
2020529810.tif 001013
：シンボルに対応するＣＳ値；
【数２９９】
2020529810.tif 001014
、
【数３００】
2020529810.tif 001015
、
【数３０１】
2020529810.tif 001016
：中間パラメータ；
【数３０２】
2020529810.tif 001017
：ＯＣＣ系列番号；
【数３０３】
2020529810.tif 001018
：疑似乱数列；
【数３０４】
2020529810.tif 001019
：アンテナポート
【数３０５】
2020529810.tif 001020
でのＰＵＣＣＨリソース番号；
【数３０６】
2020529810.tif 001021
：余りを求める関数；
【数３０７】
2020529810.tif 001022
：１つのＲＢに含まれるサブキャリア数；
【数３０８】
2020529810.tif 001023
：ハイレイヤシグナリングで事前に配置されたＣＳ間隔；
【数３０９】
2020529810.tif 001024
：１つのタイムユニットに含まれるシンボル数；
【数３１０】
2020529810.tif 001025
：タイムユニットの番号；
【数３１１】
2020529810.tif 001026
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項３２】
前記第１特定ユニットは、
ＰＵＣＣＨリソース番号、シンボルの番号、タイムユニットの番号および周波数ホッピング部分の番号に基づき、以下の第３公式群によって、シンボルに対応するＣＳ値
【数３１２】
2020529810.tif 001027
を算出すること、または、
ＰＵＣＣＨリソース番号、シンボルの番号、タイムユニットの番号および周波数ホッピング部分の番号に基づき、以下の第４公式群によって、シンボルに対応するＣＳ値
【数３１３】
2020529810.tif 001028
を算出することに用いられる、請求項３０に記載の端末。
【数３１４】
2020529810.tif 001029
（第３公式群）
ここで、
【数３１５】
2020529810.tif 001030
ここで、
【数３１６】
2020529810.tif 001031
【数３１７】
2020529810.tif 001032
周波数ホッピングが用いられると、前記タイムユニットに２つの周波数ホッピング部分を含むのであれば、１つ目の周波数ホッピング部分に対し、または、
【数３１８】
2020529810.tif 001033
＝０の場合、
【数３１９】
2020529810.tif 001034
２つ目の周波数ホッピング部分に対し、または、
【数３２０】
2020529810.tif 001035
＝１の場合、
【数３２１】
2020529810.tif 001036
【数３２２】
2020529810.tif 001037
（第４公式群）
ここで、
【数３２３】
2020529810.tif 001038
ここで、
【数３２４】
2020529810.tif 001039
周波数ホッピングが用いられると、前記タイムユニットに２つの周波数ホッピング部分を含むのであれば、１つ目の周波数ホッピング部分に対し、または、
【数３２５】
2020529810.tif 001040
＝０の場合、
【数３２６】
2020529810.tif 001041
２つ目の周波数ホッピング部分に対し、または、
【数３２７】
2020529810.tif 001042
＝１の場合、
【数３２８】
2020529810.tif 001043
ここで、
【数３２９】
2020529810.tif 001044
：シンボルに対応するＣＳ値；
【数３３０】
2020529810.tif 001045
、
【数３３１】
2020529810.tif 001046
、
【数３３２】
2020529810.tif 001047
：中間パラメータ；
【数３３３】
2020529810.tif 001048
：ＯＣＣ系列番号；
【数３３４】
2020529810.tif 001049
：疑似乱数列；
【数３３５】
2020529810.tif 001050
：アンテナポート
【数３３６】
2020529810.tif 001051
でのＰＵＣＣＨリソース番号；
【数３３７】
2020529810.tif 001052
：余りを求める関数；
【数３３８】
2020529810.tif 001053
：１つのＲＢに含まれるサブキャリア数；
【数３３９】
2020529810.tif 001054
：ハイレイヤシグナリングで事前に配置されたＣＳ間隔；
【数３４０】
2020529810.tif 001055
：１つのタイムユニットに含まれるシンボル数；
【数３４１】
2020529810.tif 001056
：周波数ホッピング部分の番号；
【数３４２】
2020529810.tif 001057
：タイムユニットの番号；
【数３４３】
2020529810.tif 001058
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項３３】
前記第１特定ユニットは、
ＰＵＣＣＨリソース番号とシンボルの番号に基づき、以下の第５公式群によって、シンボルに対応するＣＳ値
【数３４４】
2020529810.tif 001059
を算出すること、または、
ＰＵＣＣＨリソース番号とシンボルの番号に基づき、以下の第６公式群によって、シンボルに対応するＣＳ値
【数３４５】
2020529810.tif 001060
を算出することに用いられる、請求項３０に記載の端末。
【数３４６】
2020529810.tif 001061
（第５公式群）
ここで、
【数３４７】
2020529810.tif 001062
ここで、
【数３４８】
2020529810.tif 001063
【数３４９】
2020529810.tif 001064
【数３５０】
2020529810.tif 001065
【数３５１】
2020529810.tif 001066
（第６公式群）
ここで、
【数３５２】
2020529810.tif 001067
ここで、
【数３５３】
2020529810.tif 001068
【数３５４】
2020529810.tif 001069
ここで、
【数３５５】
2020529810.tif 001070
：シンボルに対応するＣＳ値；
【数３５６】
2020529810.tif 001071
、
【数３５７】
2020529810.tif 001072
、
【数３５８】
2020529810.tif 001073
：中間パラメータ；
【数３５９】
2020529810.tif 001074
：ＯＣＣ系列番号；
【数３６０】
2020529810.tif 001075
：疑似乱数列；
【数３６１】
2020529810.tif 001076
：アンテナポート
【数３６２】
2020529810.tif 001077
でのＰＵＣＣＨリソース番号；
【数３６３】
2020529810.tif 001078
：余りを求める関数；
【数３６４】
2020529810.tif 001079
：１つのＲＢに含まれるサブキャリア数；
【数３６５】
2020529810.tif 001080
：ハイレイヤシグナリングで事前に配置されたＣＳ間隔；
【数３６６】
2020529810.tif 001081
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項３４】
前記第１特定ユニットは、
ＰＵＣＣＨリソース番号、シンボルの番号および周波数ホッピング部分の番号に基づき、以下の第７公式群によって、ＣＳ値
【数３６７】
2020529810.tif 001082
を算出すること、または、
ＰＵＣＣＨリソース番号、シンボルの番号および周波数ホッピング部分の番号に基づき、以下の第８公式群によって、ＣＳ値
【数３６８】
2020529810.tif 001083
を算出することに用いられる、請求項３０に記載の端末。
【数３６９】
2020529810.tif 001084
（第７公式群）
ここで、
【数３７０】
2020529810.tif 001085
ここで、
【数３７１】
2020529810.tif 001086
【数３７２】
2020529810.tif 001087
周波数ホッピングが用いられると、前記タイムユニットに２つの周波数ホッピング部分を含むのであれば、１つ目の周波数ホッピング部分に対し、または、
【数３７３】
2020529810.tif 001088
＝０の場合、
【数３７４】
2020529810.tif 001089
２つ目の周波数ホッピング部分に対し、または、
【数３７５】
2020529810.tif 001090
＝１の場合、
【数３７６】
2020529810.tif 001091
【数３７７】
2020529810.tif 001092
（第８公式群）
ここで、
【数３７８】
2020529810.tif 001093
ここで、
【数３７９】
2020529810.tif 001094
周波数ホッピングが用いられると、前記タイムユニットに２つの周波数ホッピング部分を含むのであれば、１つ目の周波数ホッピング部分に対し、または、
【数３８０】
2020529810.tif 001095
＝０の場合、
【数３８１】
2020529810.tif 001096
２つ目の周波数ホッピング部分に対し、または、
【数３８２】
2020529810.tif 001097
＝１の場合、
【数３８３】
2020529810.tif 001098
ここで、
【数３８４】
2020529810.tif 001099
：シンボルに対応するＣＳ値；
【数３８５】
2020529810.tif 001100
、
【数３８６】
2020529810.tif 001101
、
【数３８７】
2020529810.tif 001102
：中間パラメータ；
【数３８８】
2020529810.tif 001103
：ＯＣＣ系列番号；
【数３８９】
2020529810.tif 001104
：疑似乱数列；
【数３９０】
2020529810.tif 001105
：アンテナポート
【数３９１】
2020529810.tif 001106
でのＰＵＣＣＨリソース番号；
【数３９２】
2020529810.tif 001107
：余りを求める関数；
【数３９３】
2020529810.tif 001108
：１つのＲＢに含まれるサブキャリア数；
【数３９４】
2020529810.tif 001109
：ハイレイヤシグナリングで事前に配置されたＣＳ間隔；
【数３９５】
2020529810.tif 001110
：周波数ホッピング部分の番号；
【数３９６】
2020529810.tif 001111
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項３５】
前記送信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで送信するための第１送信ユニットとを含む、請求項３１〜３４のいずれか一項に記載の端末。
【請求項３６】
前記第２特定ユニットは、
配置シグナリングを受信し、前記配置シグナリングに基づいてＣＳ配置索引を得るための受信サブユニットと、
前記ＣＳ配置索引に基づき、前記シンボルに対応するＣＳ索引を特定するための第１特定サブユニットと、
前記シンボルに対応するＣＳ索引に基づき、前記シンボルに対応するＣＳ値を特定するための第２特定サブユニットとを含む、請求項３０に記載の端末。
【請求項３７】
前記第１特定サブユニットは、
前記ＣＳ配置索引および前記シンボルの番号に基づき、以下の第１公式によって、前記シンボルに対応するＣＳ索引
【数３９７】
2020529810.tif 001112
を算出することに用いられる、請求項３６に記載の端末。
【数３９８】
2020529810.tif 001113
（第１公式）
ここで、
【数３９９】
2020529810.tif 001114
：シンボルに対応するＣＳ索引；
【数４００】
2020529810.tif 001115
：前記ＣＳ配置索引；
【数４０１】
2020529810.tif 001116
：シンボルの番号であって、その範囲が０〜
【数４０２】
2020529810.tif 001117
であり、ここで、
【数４０３】
2020529810.tif 001118
が１つのタイムユニットに含まれるシンボル数を示す；
ｋ：係数であって、１以上の正整数である；
【数４０４】
2020529810.tif 001119
：１つのＲＢに含まれるサブキャリア数；
Ｍｏｄ：余りを求める関数。
【請求項３８】
前記第１特定サブユニットは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられる、請求項３６に記載の端末。
【請求項３９】
前記第２特定サブユニットは、
前記シンボルに対応するＣＳ索引に基づき、以下の第２公式によって、前記シンボルに対応するＣＳ値
【数４０５】
2020529810.tif 001120
を算出することに用いられる、請求項３６に記載の端末。
【数４０６】
2020529810.tif 001121
（第２公式）
ここで、
【数４０７】
2020529810.tif 001122
：前記シンボルに対応するＣＳ値；
【数４０８】
2020529810.tif 001123
：前記シンボルに対応するＣＳ索引；
【数４０９】
2020529810.tif 001124
：１つのＲＢに含まれるサブキャリア数。
【請求項４０】
前記送信モジュールは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、
前記ＯＣＣ系列番号に基づき、ＯＣＣ系列番号に対応するＯＣＣ系列を特定するための第５特定ユニットと、
前記ＣＳ値と前記ＯＣＣ系列に基づき、前記ＰＵＣＣＨを前記シンボルで送信するための第２送信ユニットとを含む、請求項３６に記載の端末。
【請求項４１】
前記送信モジュールは、
前記ＰＵＣＣＨが伝送されるＲＢのＲＢ番号
【数４１０】
2020529810.tif 001125
を以下の第３公式で特定し、前記シンボルおよび前記ＲＢ番号に対応するＲＢで前記ＰＵＣＣＨを送信し、または、周波数ホッピングが用いられると、前記ＰＵＣＣＨが伝送されるＲＢのＲＢ番号
【数４１１】
2020529810.tif 001126
を以下の第４公式で特定し、前記シンボルおよび前記ＲＢ番号に対応するＲＢで前記ＰＵＣＣＨを送信するための第３送信ユニットをさらにを含む、請求項２９に記載の端末。
【数４１２】
2020529810.tif 001127
または、
【数４１３】
2020529810.tif 001128
（第３公式）
ここで、
【数４１４】
2020529810.tif 001129
または
【数４１５】
2020529810.tif 001130
【数４１６】
2020529810.tif 001131
または、
【数４１７】
2020529810.tif 001132
（第４公式）
ここで、
【数４１８】
2020529810.tif 001133
または
【数４１９】
2020529810.tif 001134
ここで、
【数４２０】
2020529810.tif 001135
：ＰＵＣＣＨが伝送されるＲＢのＲＢ番号；
【数４２１】
2020529810.tif 001136
：アンテナポート
【数４２２】
2020529810.tif 001137
でのＰＵＣＣＨリソース番号；
【数４２３】
2020529810.tif 001138
：１つのＲＢに含まれるサブキャリア数；
【数４２４】
2020529810.tif 001139
：ハイレイヤシグナリングで事前に配置されたＣＳ間隔；
【数４２５】
2020529810.tif 001140
：アップリンク帯域幅またはアップリンク周波数ホッピング帯域幅；
【数４２６】
2020529810.tif 001141
：周波数ホッピング部分の番号；
【数４２７】
2020529810.tif 001142
：ハイレイヤシグナリングで事前に配置されたＰＵＣＣＨリソース開始位置であって、その値が０以上である；
【数４２８】
2020529810.tif 001143
、
【数４２９】
2020529810.tif 001144
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４２】
前記ｃがＯＣＣ系列の数または長さに基づいて特定された値であることは、
前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、
前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、
前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む、請求項３１〜３４および請求項４１のいずれか一項に記載の端末。
【請求項４３】
タイムユニットでＰＵＣＣＨに占められるシンボルを取得するための取得モジュールと、
前記シンボルに対応するＣＳ値を特定するための特定モジュールと、
前記ＣＳ値に基づき、前記ＰＵＣＣＨを前記シンボルで受信するための受信モジュールとを含む、基地局。
【請求項４４】
前記特定モジュールは、
シンボルの番号と、配置情報によって端末に通知されるＰＵＣＣＨリソース番号に基づき、前記シンボルに対応するＣＳ値を特定するための第１特定ユニット、または、
配置シグナリングによって端末に通知されたＣＳ配置索引に基づき、前記シンボルに対応するＣＳ値を特定するための第２特定ユニットを含む、請求項４３に記載の基地局。
【請求項４５】
前記第１特定ユニットは、
ＰＵＣＣＨリソース番号を特定し、配置情報によって端末に通知することと、
ＰＵＣＣＨリソース番号、シンボルの番号およびタイムユニットの番号に基づき、以下の第１公式群によって、シンボルに対応するＣＳ値
【数４３０】
2020529810.tif 001145
を算出すること、または、ＰＵＣＣＨリソース番号、シンボルの番号およびタイムユニットの番号に基づき、以下の第２公式群によって、シンボルに対応するＣＳ値
【数４３１】
2020529810.tif 001146
を算出することに用いられる、請求項４４に記載の基地局。
【数４３２】
2020529810.tif 001147
（第１公式群）
ここで、
【数４３３】
2020529810.tif 001148
ここで、
【数４３４】
2020529810.tif 001149
【数４３５】
2020529810.tif 001150
【数４３６】
2020529810.tif 001151
【数４３７】
2020529810.tif 001152
（第２公式群）
ここで、
【数４３８】
2020529810.tif 001153
ここで、
【数４３９】
2020529810.tif 001154
【数４４０】
2020529810.tif 001155
ここで、
【数４４１】
2020529810.tif 001156
：シンボルに対応するＣＳ値；
【数４４２】
2020529810.tif 001157
、
【数４４３】
2020529810.tif 001158
、
【数４４４】
2020529810.tif 001159
：中間パラメータ；
【数４４５】
2020529810.tif 001160
：ＯＣＣ系列番号；
【数４４６】
2020529810.tif 001161
：疑似乱数列；
【数４４７】
2020529810.tif 001162
：アンテナポート
【数４４８】
2020529810.tif 001163
でのＰＵＣＣＨリソース番号；
【数４４９】
2020529810.tif 001164
：余りを求める関数；
【数４５０】
2020529810.tif 001165
：１つのＲＢに含まれるサブキャリア数；
【数４５１】
2020529810.tif 001166
：ハイレイヤシグナリングで事前に配置されたＣＳ間隔；
【数４５２】
2020529810.tif 001167
：１つのタイムユニットに含まれるシンボル数；
【数４５３】
2020529810.tif 001168
：タイムユニットの番号；
【数４５４】
2020529810.tif 001169
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４６】
前記第１特定ユニットは、
ＰＵＣＣＨリソース番号を特定し、配置情報によって端末に通知することと、
ＰＵＣＣＨリソース番号、シンボルの番号、タイムユニットの番号および周波数ホッピング部分の番号に基づき、以下の第３公式群によって、シンボルに対応するＣＳ値
【数４５５】
2020529810.tif 001170
を算出すること、または、ＰＵＣＣＨリソース番号、シンボルの番号、タイムユニットの番号および周波数ホッピング部分の番号に基づき、以下の第４公式群によって、シンボルに対応するＣＳ値
【数４５６】
2020529810.tif 001171
を算出することに用いられる、請求項４４に記載の基地局。
【数４５７】
2020529810.tif 001172
（第３公式群）
ここで、
【数４５８】
2020529810.tif 001173
ここで、
【数４５９】
2020529810.tif 001174
【数４６０】
2020529810.tif 001175
周波数ホッピングが用いられると、前記タイムユニットに２つの周波数ホッピング部分を含むのであれば、１つ目の周波数ホッピング部分に対し、または、
【数４６１】
2020529810.tif 001176
＝０の場合、
【数４６２】
2020529810.tif 001177
２つ目の周波数ホッピング部分に対し、または、
【数４６３】
2020529810.tif 001178
＝１の場合、
【数４６４】
2020529810.tif 001179
【数４６５】
2020529810.tif 001180
（第４公式群）
ここで、
【数４６６】
2020529810.tif 001181
ここで、
【数４６７】
2020529810.tif 001182
周波数ホッピングが用いられると、前記タイムユニットに２つの周波数ホッピング部分を含むのであれば、１つ目の周波数ホッピング部分に対し、または、
【数４６８】
2020529810.tif 001183
＝０の場合、
【数４６９】
2020529810.tif 001184
２つ目の周波数ホッピング部分に対し、または、
【数４７０】
2020529810.tif 001185
＝１の場合、
【数４７１】
2020529810.tif 001186
ここで、
【数４７２】
2020529810.tif 001187
：シンボルに対応するＣＳ値；
【数４７３】
2020529810.tif 001188
、
【数４７４】
2020529810.tif 001189
、
【数４７５】
2020529810.tif 001190
：中間パラメータ；
【数４７６】
2020529810.tif 001191
：ＯＣＣ系列番号；
【数４７７】
2020529810.tif 001192
：疑似乱数列；
【数４７８】
2020529810.tif 001193
：アンテナポート
【数４７９】
2020529810.tif 001194
でのＰＵＣＣＨリソース番号；
【数４８０】
2020529810.tif 001195
：余りを求める関数；
【数４８１】
2020529810.tif 001196
：１つのＲＢに含まれるサブキャリア数；
【数４８２】
2020529810.tif 001197
：ハイレイヤシグナリングで事前に配置されたＣＳ間隔；
【数４８３】
2020529810.tif 001198
：１つのタイムユニットに含まれるシンボル数；
【数４８４】
2020529810.tif 001199
：周波数ホッピング部分の番号；
【数４８５】
2020529810.tif 001200
：タイムユニットの番号；
【数４８６】
2020529810.tif 001201
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４７】
前記第１特定ユニットは、
ＰＵＣＣＨリソース番号を特定し、配置情報によって端末に通知することと、
ＰＵＣＣＨリソース番号とシンボルの番号に基づき、以下の第５公式群によって、シンボルに対応するＣＳ値
【数４８７】
2020529810.tif 001202
を算出すること、または、ＰＵＣＣＨリソース番号とシンボルの番号に基づき、以下の第６公式群によって、シンボルに対応するＣＳ値
【数４８８】
2020529810.tif 001203
を算出することに用いられる、請求項４４に記載の基地局。
【数４８９】
2020529810.tif 001204
（第５公式群）
ここで、
【数４９０】
2020529810.tif 001205
ここで、
【数４９１】
2020529810.tif 001206
【数４９２】
2020529810.tif 001207
【数４９３】
2020529810.tif 001208
【数４９４】
2020529810.tif 001209
（第６公式群）
ここで、
【数４９５】
2020529810.tif 001210
ここで、
【数４９６】
2020529810.tif 001211
【数４９７】
2020529810.tif 001212
ここで、
【数４９８】
2020529810.tif 001213
：シンボルに対応するＣＳ値；
【数４９９】
2020529810.tif 001214
、
【数５００】
2020529810.tif 001215
、
【数５０１】
2020529810.tif 001216
：中間パラメータ；
【数５０２】
2020529810.tif 001217
：ＯＣＣ系列番号；
【数５０３】
2020529810.tif 001218
：疑似乱数列；
【数５０４】
2020529810.tif 001219
：アンテナポート
【数５０５】
2020529810.tif 001220
でのＰＵＣＣＨリソース番号；
【数５０６】
2020529810.tif 001221
：余りを求める関数；
【数５０７】
2020529810.tif 001222
：１つのＲＢに含まれるサブキャリア数；
【数５０８】
2020529810.tif 001223
：ハイレイヤシグナリングで事前に配置されたＣＳ間隔；
【数５０９】
2020529810.tif 001224
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４８】
前記第１特定ユニットは、
ＰＵＣＣＨリソース番号を特定し、配置情報によって端末に通知することと、
ＰＵＣＣＨリソース番号、シンボルの番号および周波数ホッピング部分の番号に基づき、以下の第７公式群によって、ＣＳ値
【数５１０】
2020529810.tif 001225
を算出すること、または、ＰＵＣＣＨリソース番号、シンボルの番号および周波数ホッピング部分の番号に基づき、以下の第８公式群によって、ＣＳ値
【数５１１】
2020529810.tif 001226
を算出することに用いられる、請求項４４に記載の基地局。
【数５１２】
2020529810.tif 001227
（第７公式群）
ここで、
【数５１３】
2020529810.tif 001228
ここで、
【数５１４】
2020529810.tif 001229
【数５１５】
2020529810.tif 001230
周波数ホッピングが用いられると、前記タイムユニットに２つの周波数ホッピング部分を含むのであれば、１つ目の周波数ホッピング部分に対し、または、
【数５１６】
2020529810.tif 001231
＝０の場合、
【数５１７】
2020529810.tif 001232
２つ目の周波数ホッピング部分に対し、または、
【数５１８】
2020529810.tif 001233
＝１の場合、
【数５１９】
2020529810.tif 001234
【数５２０】
2020529810.tif 001235
（第８公式群）
ここで、
【数５２１】
2020529810.tif 001236
ここで、
【数５２２】
2020529810.tif 001237
周波数ホッピングが用いられると、前記タイムユニットに２つの周波数ホッピング部分を含むのであれば、１つ目の周波数ホッピング部分に対し、または、
【数５２３】
2020529810.tif 001238
＝０の場合、
【数５２４】
2020529810.tif 001239
２つ目の周波数ホッピング部分に対し、または、
【数５２５】
2020529810.tif 001240
＝１の場合、
【数５２６】
2020529810.tif 001241
ここで、
【数５２７】
2020529810.tif 001242
：シンボルに対応するＣＳ値；
【数５２８】
2020529810.tif 001243
、
【数５２９】
2020529810.tif 001244
、
【数５３０】
2020529810.tif 001245
：中間パラメータ；
【数５３１】
2020529810.tif 001246
：ＯＣＣ系列番号；
【数５３２】
2020529810.tif 001247
：疑似乱数列；
【数５３３】
2020529810.tif 001248
：アンテナポート
【数５３４】
2020529810.tif 001249
でのＰＵＣＣＨリソース番号；
【数５３５】
2020529810.tif 001250
：余りを求める関数；
【数５３６】
2020529810.tif 001251
：１つのＲＢに含まれるサブキャリア数；
【数５３７】
2020529810.tif 001252
：ハイレイヤシグナリングで事前に配置されたＣＳ間隔；
【数５３８】
2020529810.tif 001253
：周波数ホッピング部分の番号；
【数５３９】
2020529810.tif 001254
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４９】
前記受信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで受信するための第１受信ユニットとを含む、請求項４５〜４８のいずれか一項に記載の基地局。
【請求項５０】
前記第２特定ユニットは、
ＣＳ配置索引を特定し、前記ＣＳ配置索引を配置シグナリングによって端末に通知するための送信サブユニットと、
前記ＣＳ配置索引に基づき、前記シンボルに対応するＣＳ索引を特定するための第１特定サブユニットと、
前記シンボルに対応するＣＳ索引に基づき、前記シンボルに対応するＣＳ値を特定するための第２特定サブユニットとを含む、請求項４４に記載の基地局。
【請求項５１】
前記第１特定サブユニットは、
前記ＣＳ配置索引および前記シンボルの番号に基づき、以下の第１公式によって、前記シンボルに対応するＣＳ索引
【数５４０】
2020529810.tif 001255
を算出することに用いられる、請求項５０に記載の基地局。
【数５４１】
2020529810.tif 001256
（第１公式）
ここで、
【数５４２】
2020529810.tif 001257
：シンボルに対応するＣＳ索引；
【数５４３】
2020529810.tif 001258
：前記ＣＳ配置索引；
【数５４４】
2020529810.tif 001259
：シンボルの番号であって、その範囲が０〜
【数５４５】
2020529810.tif 001260
であり、ここで、
【数５４６】
2020529810.tif 001261
が１つのタイムユニットに含まれるシンボル数を示す；
ｋ：係数であって、１以上の正整数である；
【数５４７】
2020529810.tif 001262
：１つのＲＢに含まれるサブキャリア数；
Ｍｏｄ：余りを求める関数。
【請求項５２】
前記第１特定サブユニットは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられる、請求項５０に記載の基地局。
【請求項５３】
前記第２特定サブユニットは、
前記シンボルに対応するＣＳ索引に基づき、以下の第２公式によって、前記シンボルに対応するＣＳ値
【数５４８】
2020529810.tif 001263
を算出することに用いられる、請求項５０に記載の基地局。
【数５４９】
2020529810.tif 001264
（第２公式）
ここで、
【数５５０】
2020529810.tif 001265
：前記シンボルに対応するＣＳ値；
【数５５１】
2020529810.tif 001266
：前記シンボルに対応するＣＳ索引；
【数５５２】
2020529810.tif 001267
：１つのＲＢに含まれるサブキャリア数。
【請求項５４】
前記受信モジュールは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、
前記ＯＣＣ系列番号に基づき、ＯＣＣ系列番号に対応するＯＣＣ系列を特定するための第５特定ユニットと、
前記ＣＳ値と前記ＯＣＣ系列に基づき、前記ＰＵＣＣＨを前記シンボルで受信するための第２受信ユニットとを含む、請求項５０に記載の基地局。
【請求項５５】
前記受信モジュールは、
前記ＰＵＣＣＨが伝送されるＲＢのＲＢ番号
【数５５３】
2020529810.tif 001268
を以下の第３公式で特定し、前記シンボルおよび前記ＲＢ番号に対応するＲＢで前記ＰＵＣＣＨを送信し、または、周波数ホッピングが用いられると、前記ＰＵＣＣＨが伝送されるＲＢのＲＢ番号
【数５５４】
2020529810.tif 001269
を以下の第４公式で特定し、前記シンボルおよび前記ＲＢ番号に対応するＲＢで前記ＰＵＣＣＨを送信するための第３受信ユニットを含む、請求項４３に記載の基地局。
【数５５５】
2020529810.tif 001270
または、
【数５５６】
2020529810.tif 001271
（第３公式）
ここで、
【数５５７】
2020529810.tif 001272
または
【数５５８】
2020529810.tif 001273
【数５５９】
2020529810.tif 001274
または、
【数５６０】
2020529810.tif 001275
（第４公式）
ここで、
【数５６１】
2020529810.tif 001276
または
【数５６２】
2020529810.tif 001277
ここで、
【数５６３】
2020529810.tif 001278
：ＰＵＣＣＨが伝送されるＲＢのＲＢ番号；
【数５６４】
2020529810.tif 001279
：アンテナポート
【数５６５】
2020529810.tif 001280
でのＰＵＣＣＨリソース番号；
【数５６６】
2020529810.tif 001281
：１つのＲＢに含まれるサブキャリア数；
【数５６７】
2020529810.tif 001282
：ハイレイヤシグナリングで事前に配置されたＣＳ間隔；
【数５６８】
2020529810.tif 001283
：アップリンク帯域幅またはアップリンク周波数ホッピング帯域幅；
【数５６９】
2020529810.tif 001284
：周波数ホッピング部分の番号；
【数５７０】
2020529810.tif 001285
：ハイレイヤシグナリングで事前に配置されたＰＵＣＣＨリソース開始位置であって、その値が０以上である；
【数５７１】
2020529810.tif 001286
、
【数５７２】
2020529810.tif 001287
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項５６】
前記ｃがＯＣＣ系列の数または長さに基づいて特定された値であることは、
前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、
前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、
前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む、請求項４５〜４８および請求項５５のいずれか一項に記載の基地局。
【請求項５７】
メモリと、プロセッサと、前記メモリに記憶されて前記プロセッサで実行可能なコンピュータプログラムを含む端末において、
前記プロセッサが前記プログラムを実行すると、
請求項１〜１４のいずれか一項に記載の方法のステップが実現される、端末。
【請求項５８】
メモリと、プロセッサと、前記メモリに記憶されて前記プロセッサで実行可能なコンピュータプログラムを含む基地局において、
前記プロセッサが前記プログラムを実行すると、
請求項１５〜２８のいずれか一項に記載の方法のステップが実現される、基地局。
【請求項５９】
コンピュータプログラムが記憶されているコンピュータ読み取り可能な記憶媒体であって、
当該プログラムがプロセッサによって実行されると、請求項１〜１４のいずれか一項に記載の方法のステップが実現される、コンピュータ読み取り可能な記憶媒体。
【請求項６０】
コンピュータプログラムが記憶されているコンピュータ読み取り可能な記憶媒体であって、
当該プログラムがプロセッサによって実行されると、請求項１５〜２８のいずれか一項に記載の方法のステップが実現される、コンピュータ読み取り可能な記憶媒体。
【発明の詳細な説明】
【技術分野】
【０００１】
本願は、２０１７年８月１１日に中国特許庁に提出された中国特許出願２０１７１０６８７２１９．７の優先権を主張し、その全ての内容が援用によりここに取り込まれる。
本開示は、通信技術分野に係り、特に情報伝送方法、端末及び基地局に係る。
【背景技術】
【０００２】
移動通信サービスのニーズの発展及び変化に伴い、ＩＴＵ（Ｉｎｔｅｒｎａｔｉｏｎａｌ  Ｔｅｌｅｃｏｍｍｕｎｉｃａｔｉｏｎ  Ｕｎｉｏｎ）や３ＧＰＰ（登録商標）（３ｒｄ  Ｇｅｎｅｒａｔｉｏｎ  Ｐａｒｔｎｅｒｓｈｉｐ  Ｐｒｏｊｅｃｔ）などの機構では、５Ｇ  ＮＲ（５  Ｇｅｎｅｒａｔｉｏｎ  Ｎｅｗ  Ｒａｄｉｏ）など、新規の無線通信システムの研究を始めている。新規の無線通信システムでは、新規のフレーム構造が定義され、異なるベースバンドパラメータ（サブキャリア間隔などのパラメータを含む）がサポートされる。異なるベースバンドパラメータに対し、１つのサブフレームの長さは、常に１ｍｓに定義される。１つのサブフレームにＡ個のスロット（ｓｌｏｔ）を含むが、異なるベースバンドパラメータに応じて、１つのサブフレームの長さが１ｍｓであることを満たすために、Ａの数は、異なる可能性がある。異なるベースバンドパラメータに対し、１つのｓｌｏｔに７または１４個のシンボル（たとえばＯＦＤＭまたはＤＦＴ−Ｓ−ＯＦＤＭなどのシンボル）が含まれる。１つのｓｌｏｔは、多種類のｓｌｏｔ構造／フォーマットを有し、異なるｓｌｏｔ構造／フォーマットは、異なるアップリンク／ダウンリンクリソース割り当てに対応する。たとえば、１つのｓｌｏｔの中のシンボルは、すべてがダウンリンク伝送に用いられてもよく、すべてがアップリンク伝送に用いられてもよく、さらに、一部がアップリンク伝送に用いられ、一部がダウンリンク伝送に用いられてもよい。ｓｌｏｔ構造／フォーマットは、半静的方式でＲＲＣ（Ｒａｄｉｏ  Ｒｅｓｏｕｒｃｅ  Ｃｏｎｔｒｏｌ）シグナリングによって端末に通知されてもよいが、ｓｌｏｔ構造の動的変化を実現するために、動的方式で例えばＧｒｏｕｐ  Ｃｏｍｍｏｎ  ＰＤＣＣＨによって端末に通知されてもよい。
【０００３】
１つのｓｌｏｔに含まれるアップリンクシンボル数が変化する可能性があるため、５Ｇ  ＮＲシステムでは、４〜１４個のシンボルで伝送可能なＰＵＣＣＨ（Ｐｈｙｓｉｃａｌ  Ｕｐｌｉｎｋ  Ｃｏｎｔｒｏｌ  Ｃｈａｎｎｅｌ）を定義しており、当該ＰＵＣＣＨは、１つのｓｌｏｔで周波数ホッピング構造を使用してもよく、または使用しなくてもよい。ＮＲ  ＰＵＣＣＨの１つのフォーマットは、１または２ビットの情報の伝送をキャリアすることに用いられる。当該フォーマットは、伝送情報をＢＰＳＫ（Ｂｉｎａｒｙ  Ｐｈａｓｅ  Ｓｈｉｆｔ  Ｋｅｙｉｎｇ）またはＱＰＳＫ（Ｑｕａｄｒａｔｕｒｅ  Ｐｈａｓｅ  Ｓｈｉｆｔ  Ｋｅｙｉｎｇ）で変調して１つの変調シンボルを得ることに用いられる。当該変調シンボルを、ＰＵＣＣＨが伝送されるシンボルであって、ＵＣＩ（Ｕｐｌｉｎｋ  Ｃｏｎｔｒｏｌ  Ｉｎｆｏｒｍａｔｉｏｎ）をキャリアする各シンボルで重複伝送する。各シンボルでは、当該変調シンボルは、ＣＳ（Ｃｙｃｌｉｃ  Ｓｈｉｆｔ）によるＣＡＺＡＣ（Ｃｏｎｓｔａｎｔ  Ａｍｐｌｉｔｕｄｅ  Ｚｅｒｏ  Ａｕｔｏ  Ｃｏｒｒｅｌａｔｉｏｎ）ベーシック系列またはＣＧ（Ｃｏｍｐｕｔｅｒ  Ｇｅｎｅｒａｔｉｏｎ）のベーシック系列に付帯されて伝送される。シンボル同士は、直交系列（たとえばＯＣＣ（Ｏｒｔｈｏｇｏｎａｌ  Ｃｏｖｅｒ  Ｃｏｄｅ）系列）でスペクトル拡散を行ってもよい。よって、比較的大きなマルチユーザ多重化容量がサポートされる。しかし、５Ｇ  ＮＲシステムにおいて、各シンボルにおける異なる長さのＮＲ  ＰＵＣＣＨのＣＳ値、および、１つのスロットで使用される直交系列の番号の取得について、まだ明確な方法がない。これは、ＰＵＣＨの伝送性能の低下およびＰＵＣＣＨリソースオーバヘッドの増加につながる可能性がある。
【０００４】
以上の記載をまとめ、５Ｇ  ＮＲシステムにおいて、各シンボルにおける異なる長さのＮＲ  ＰＵＣＣＨのＣＳ値の取得について、まだ明確な方法がなく、ＰＵＣＨの伝送性能の低下およびＰＵＣＣＨリソースオーバヘッドの増加をもたらしやすい。
【発明の概要】
【発明が解決しようとする課題】
【０００５】
本開示の目的は、情報伝送方法、端末及び基地局を提供することによって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決することにある。
【課題を解決するための手段】
【０００６】
第１方面において、本開示は、情報伝送方法を提供する。前記方法において、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで送信するステップとを含む。
【０００７】
第２方面において、本開示は、情報伝送方法をさらに提供する。前記方法において、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで受信するステップとを含む。
【０００８】
第３方面において、本開示は、端末をさらに提供する。前記端末は、タイムユニットでＰＵＣＣＨに占められるシンボルを取得するための取得モジュールと、前記シンボルに対応するＣＳ値を特定するための特定モジュールと、前記ＣＳ値に基づき、前記ＰＵＣＣＨを前記シンボルで送信するための送信モジュールとを含む。
【０００９】
第４方面において、本開示は、基地局をさらに提供する。前記基地局は、タイムユニットでＰＵＣＣＨに占められるシンボルを取得するための取得モジュールと、前記シンボルに対応するＣＳ値を特定するための特定モジュールと、前記ＣＳ値に基づき、前記ＰＵＣＣＨを前記シンボルで受信するための受信モジュールとを含む。
【００１０】
第５方面において、本開示は、第１メモリと、第１プロセッサと、前記第１メモリに記憶されて前記第１プロセッサで実行可能なコンピュータプログラムを含む端末をさらに提供する。前記第１プロセッサが前記プログラムを実行すると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで送信するステップとが実現される。
【００１１】
第６方面において、本開示は、第２メモリと、第２プロセッサと、前記第２メモリに記憶されて前記第２プロセッサで実行可能なコンピュータプログラムを含む基地局をさらに提供する。前記第２プロセッサが前記プログラムを実行すると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで受信するステップとが実現される。
【００１２】
第７方面において、本開示は、コンピュータプログラムが記憶されているコンピュータ読み取り可能な記憶媒体をさらに提供する。当該プログラムがプロセッサによって実行されると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで送信するステップとが実現される。
【００１３】
第８方面において、本開示は、コンピュータプログラムが記憶されているコンピュータ読み取り可能な記憶媒体をさらに提供する。当該プログラムがプロセッサによって実行されると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで受信するステップとが実現される。
発明の効果
【００１４】
本開示において、タイムユニットでＰＵＣＣＨに占められるシンボルを取得し、シンボルに対応するＣＳ値を特定し、それからＣＳ値に基づいてＰＵＣＣＨをシンボルで送信することによって、シンボルに対応するＣＳ値を明確化でき、さらに、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。よって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決する。
【図面の簡単な説明】
【００１５】
【図１】本開示の端末側の情報伝送方法のフローチャートである。
【図２】本開示の基地局側の情報伝送方法のフローチャートである。
【図３】本開示の端末のモジュール図である。
【図４】本開示の基地局のモジュール図である。
【図５】本開示の端末の構造ブロック図である。
【図６】本開示の基地局の構造ブロック図である。
【発明を実施するための形態】
【００１６】
以下、添付図面を参照して本開示の例示的な実施例をさらに詳細に記載する。本開示の例示的な実施例を図面に示しているが、本開示は、ここで説明した実施例に限定されることなく様々な形態で実現されうることが理解されるべきである。これらの実施例を示すことは、本開示をより徹底的に理解してもらい、本開示の範囲を当業者に全面的に伝えるためである。
【００１７】
本開示の解決しようとする技術課題、技術手段及び利点をより明確にするために、以下、図面および具体的な実施例を通じて詳細に記載する。以下の記載において、単に本開示の一部の実施例を全面的に理解してもらうことに役立つ目的で、具体的な配置や配置部品の特定の細部を示す。よって、ここに記載されている実施例に対し、本開示の範囲や趣旨を逸脱することなく、様々な変更や修正を行うことができることは、当業者にとって自明である。また、明確化と簡潔化を図るために、周知されている機能や構造に関する記載を省略している。
【００１８】
なお、明細書の全文にわたって言及されている「１つの実施例」や「一実施例」とは、実施例に関連する特定の特徴、構造または特性が本開示の少なくとも１つの実施例に含まれることを意味する。従って、明細書の各箇所に記載されている「１つの実施例において」や「一実施例において」とは、必ずしも同一の実施例を指すとは限らない。また、これらの特定の特徴、構造または特性は、任意かつ適切な方式で１つまたは複数の実施例に組み入れられることができる。
【００１９】
本開示の各実施例において、下記各プロセスの番号の大きさは、実行順の前後を意味するのではなく、各プロセスの実行順は、その機能および内在的な論理によって確定されるものであり、本開示の実施例の実施プロセスに対しいっさい限定を配置しないと理解すべきである。
【００２０】
また、本文において、「システム」と「ネットワーク」は、常に互換して使用することができる。
【００２１】
本願に提供される実施例において、「Ａに対応するＢ」とは、ＢとＡが関連付けられることを示し、Ａに基づいてＢを確定することができる。なお、Ａに基づいてＢを確定することは、Ａのみに基づいてＢを確定するという意味ではなく、Ａおよび／または他の情報に基づいてＢを確定するのもよい。
【００２２】
図１に示すように、図１は、本開示の端末側の情報伝送方法のフローチャートである。当該方法は、以下のステップ１０１〜１０３を含む。
【００２３】
ステップ１０１において、タイムユニットでＰＵＣＣＨに占められるシンボルを取得する。
【００２４】
当該ステップにおいて、端末は、タイムユニットでＰＵＣＣＨに占められるシンボルを取得する。
【００２５】
具体的に、タイムユニットは、１つまたは複数のスロット、１つのサブフレーム、または、１４個のシンボルである。
【００２６】
ステップ１０２において、シンボルに対応するＣＳ値を特定する。
【００２７】
本ステップにおいて、具体的に、端末は、シンボルに対応するＣＳ値を特定する際に、シンボルに対応するＣＳ値を以下２種類の方式で特定する。
【００２８】
方式１：シンボルの番号と配置情報によって通知されるＰＵＣＣＨリソース番号に基づき、シンボルに対応するＣＳ値を特定する。ここで、具体的に、配置情報は、ハイレイヤシグナリングによって送信されてもよく、ＰＤＣＣＨの中の指示フィールドによって送信されてもよい。もちろん、初期アクセスプロセスに係る配置情報は、ＰＢＣＨ、ＳＩＢ情報、Ｍａｇ２またはＭｓｇ４に付帯されて通知されてもよい。
【００２９】
方式２：配置シグナリングによって配置されたＣＳ配置索引に基づき、シンボルに対応するＣＳ値を特定する。ここで、具体的に、配置シグナリングは、ハイレイヤシグナリングによって送信されてもよく、ＰＤＣＣＨの中の指示フィールドによって送信されてもよい。もちろん、初期アクセスプロセスに係る配置シグナリングは、ＰＢＣＨ、ＳＩＢ情報、Ｍａｇ２またはＭｓｇ４に付帯されて通知されてもよい。
【００３０】
ステップ１０３において、ＣＳ値に基づき、前記ＰＵＣＣＨをシンボルで送信する。
【００３１】
本ステップにおいて、具体的に、端末は、得られたＣＳ値に基づいてＰＵＣＣＨをシンボルで送信する場合、ＰＵＣＣＨが伝送されるＲＢのＲＢ番号
【数１】
2020529810.tif 000003
を以下の第３公式で特定し、シンボルおよびＲＢ番号に対応するＲＢで前記ＰＵＣＣＨを送信する。
【数２】
2020529810.tif 000004
または、
【数３】
2020529810.tif 000005
（第３公式）
ここで、
【数４】
2020529810.tif 000006
または
【数５】
2020529810.tif 000007
または、周波数ホッピングが用いられると、前記ＰＵＣＣＨが伝送されるＲＢのＲＢ番号
【数６】
2020529810.tif 000008
を以下の第４公式で特定し、前記シンボルおよび前記ＲＢ番号に対応するＲＢで前記ＰＵＣＣＨを送信する。
【数７】
2020529810.tif 000009
または、
【数８】
2020529810.tif 000010
（第４公式）
ここで、
【数９】
2020529810.tif 000011
または
【数１０】
2020529810.tif 000012
ここで、
【数１１】
2020529810.tif 000013
：ＰＵＣＣＨが伝送されるＲＢのＲＢ番号；
【数１２】
2020529810.tif 000014
：アンテナポート
【数１３】
2020529810.tif 000015
でのＰＵＣＣＨリソース番号；
【数１４】
2020529810.tif 000016
：１つのＲＢに含まれるサブキャリア数；
【数１５】
2020529810.tif 000017
：ハイレイヤシグナリングで事前に配置されたＣＳ間隔；
【数１６】
2020529810.tif 000018
：アップリンク帯域幅またはアップリンク周波数ホッピング帯域幅；
【数１７】
2020529810.tif 000019
：周波数ホッピング部分の番号；
【数１８】
2020529810.tif 000020
：ハイレイヤシグナリングで事前に配置されたＰＵＣＣＨリソース開始位置であって、その値が０以上である；
【数１９】
2020529810.tif 000021
、
【数２０】
2020529810.tif 000022
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【００３２】
このように、本実施例において、シンボルに対応するＣＳ値を特定し、それからＣＳ値に基づいてＰＵＣＣＨをシンボルで送信することによって、シンボルに対応するＣＳ値を明確化でき、さらに、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。よって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決する。
【００３３】
具体的に、以下、シンボルに対応するＣＳ値の特定について、具体的に紹介する。
【００３４】
以下、上記方式１と方式２でシンボルに対応するＣＳ値の具体的な特定方式をそれぞれ紹介する。
【００３５】
方式１：
方式１でシンボルの番号と配置情報によって通知されるＰＵＣＣＨリソース番号に基づき、シンボルに対応するＣＳ値を特定する場合、ＰＵＣＣＨリソース番号とシンボルの番号に基づき、さらにタイムユニットの番号、端末ＩＤ、セルＩＤ（現在セルＩＤまたはハイレイヤシグナリングによって配置されたセルＩＤ）および周波数ホッピング位置のうちの１つまたは複数の要素に関連付けて特定する。具体的に以下４種類のケースを含む。
【００３６】
ケース１：
ＰＵＣＣＨリソース番号、シンボルの番号およびタイムユニットの番号に基づき、以下の第１公式群によって、シンボルに対応するＣＳ値
【数２１】
2020529810.tif 000023
を算出する。
【数２２】
2020529810.tif 000024
（第１公式群）
ここで、
【数２３】
2020529810.tif 000025
ここで、
【数２４】
2020529810.tif 000026
【数２５】
2020529810.tif 000027
【数２６】
2020529810.tif 000028
または、ＰＵＣＣＨリソース番号、シンボルの番号およびタイムユニットの番号に基づき、以下の第２公式群によって、シンボルに対応するＣＳ値
【数２７】
2020529810.tif 000029
を算出する。
【数２８】
2020529810.tif 000030
（第２公式群）
ここで、
【数２９】
2020529810.tif 000031
ここで、
【数３０】
2020529810.tif 000032
【数３１】
2020529810.tif 000033
ここで、
【数３２】
2020529810.tif 000034
：シンボルに対応するＣＳ値；
【数３３】
2020529810.tif 000035
、
【数３４】
2020529810.tif 000036
、
【数３５】
2020529810.tif 000037
：中間パラメータ；
【数３６】
2020529810.tif 000038
：ＯＣＣ系列番号；
【数３７】
2020529810.tif 000039
：疑似乱数列；
【数３８】
2020529810.tif 000040
：アンテナポート
【数３９】
2020529810.tif 000041
でのＰＵＣＣＨリソース番号；
【数４０】
2020529810.tif 000042
：余りを求める関数；
【数４１】
2020529810.tif 000043
：１つのＲＢに含まれるサブキャリア数；
【数４２】
2020529810.tif 000044
：ハイレイヤシグナリングで事前に配置されたＣＳ間隔；
【数４３】
2020529810.tif 000045
：１つのタイムユニットに含まれるシンボル数；
【数４４】
2020529810.tif 000046
：タイムユニットの番号；
【数４５】
2020529810.tif 000047
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【００３７】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【００３８】
また、具体的に、第２公式群について、ＰＵＣＣＨにＯＣＣ系列が用いられない場合に適用する。もちろん、ＰＵＣＣＨにＯＣＣ系列が用いられない場合、第１公式群を用いてもよいが、この際にｃ＝１と定義する。
【００３９】
ケース２：
ＰＵＣＣＨリソース番号、シンボルの番号、タイムユニットの番号および周波数ホッピング部分の番号に基づき、以下の第３公式群によって、シンボルに対応するＣＳ値
【数４６】
2020529810.tif 000048
を算出する。
【数４７】
2020529810.tif 000049
（第３公式群）
ここで、
【数４８】
2020529810.tif 000050
ここで、
【数４９】
2020529810.tif 000051
【数５０】
2020529810.tif 000052
周波数ホッピングが用いられると、前記タイムユニットに２つの周波数ホッピング部分を含むのであれば、１つ目の周波数ホッピング部分に対し、または、
【数５１】
2020529810.tif 000053
＝０の場合、
【数５２】
2020529810.tif 000054
２つ目の周波数ホッピング部分に対し、または、
【数５３】
2020529810.tif 000055
＝１の場合、
【数５４】
2020529810.tif 000056
または、ＰＵＣＣＨリソース番号、シンボルの番号、タイムユニットの番号および周波数ホッピング部分の番号に基づき、以下の第４公式群によって、シンボルに対応するＣＳ値
【数５５】
2020529810.tif 000057
を算出する。
【数５６】
2020529810.tif 000058
（第４公式群）
ここで、
【数５７】
2020529810.tif 000059
ここで、
【数５８】
2020529810.tif 000060
周波数ホッピングが用いられると、前記タイムユニットに２つの周波数ホッピング部分を含むのであれば、１つ目の周波数ホッピング部分に対し、または、
【数５９】
2020529810.tif 000061
＝０の場合、
【数６０】
2020529810.tif 000062
２つ目の周波数ホッピング部分に対し、または、
【数６１】
2020529810.tif 000063
＝１の場合、
【数６２】
2020529810.tif 000064
ここで、
【数６３】
2020529810.tif 000065
：シンボルに対応するＣＳ値；
【数６４】
2020529810.tif 000066
、
【数６５】
2020529810.tif 000067
、
【数６６】
2020529810.tif 000068
：中間パラメータ；
【数６７】
2020529810.tif 000069
：ＯＣＣ系列番号；
【数６８】
2020529810.tif 000070
：疑似乱数列；
【数６９】
2020529810.tif 000071
：アンテナポート
【数７０】
2020529810.tif 000072
でのＰＵＣＣＨリソース番号；
【数７１】
2020529810.tif 000073
：余りを求める関数；
【数７２】
2020529810.tif 000074
：１つのＲＢに含まれるサブキャリア数；
【数７３】
2020529810.tif 000075
：ハイレイヤシグナリングで事前に配置されたＣＳ間隔；
【数７４】
2020529810.tif 000076
：１つのタイムユニットに含まれるシンボル数；
【数７５】
2020529810.tif 000077
：周波数ホッピング部分の番号；
【数７６】
2020529810.tif 000078
：タイムユニットの番号；
【数７７】
2020529810.tif 000079
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【００４０】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【００４１】
また、具体的に、第４公式群について、ＰＵＣＣＨにＯＣＣ系列が用いられない場合に適用する。もちろん、ＰＵＣＣＨにＯＣＣ系列が用いられない場合、第３公式群を用いてもよいが、この際にｃ＝１と定義する。
【００４２】
ケース３：
ＰＵＣＣＨリソース番号とシンボルの番号に基づき、以下の第５公式群によって、シンボルに対応するＣＳ値
【数７８】
2020529810.tif 000080
を算出する。
【数７９】
2020529810.tif 000081
（第５公式群）
ここで、
【数８０】
2020529810.tif 000082
ここで、
【数８１】
2020529810.tif 000083
【数８２】
2020529810.tif 000084
【数８３】
2020529810.tif 000085
または、ＰＵＣＣＨリソース番号とシンボルの番号に基づき、以下の第６公式群によって、シンボルに対応するＣＳ値
【数８４】
2020529810.tif 000086
を算出する。
【数８５】
2020529810.tif 000087
（第６公式群）
ここで、
【数８６】
2020529810.tif 000088
ここで、
【数８７】
2020529810.tif 000089
【数８８】
2020529810.tif 000090
ここで、
【数８９】
2020529810.tif 000091
：シンボルに対応するＣＳ値；
【数９０】
2020529810.tif 000092
、
【数９１】
2020529810.tif 000093
、
【数９２】
2020529810.tif 000094
：中間パラメータ；
【数９３】
2020529810.tif 000095
：ＯＣＣ系列番号；
【数９４】
2020529810.tif 000096
：疑似乱数列；
【数９５】
2020529810.tif 000097
：アンテナポート
【数９６】
2020529810.tif 000098
でのＰＵＣＣＨリソース番号；
【数９７】
2020529810.tif 000099
：余りを求める関数；
【数９８】
2020529810.tif 000100
：１つのＲＢに含まれるサブキャリア数；
【数９９】
2020529810.tif 000101
：ハイレイヤシグナリングで事前に配置されたＣＳ間隔；
【数１００】
2020529810.tif 000102
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【００４３】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【００４４】
また、具体的に、第６公式群について、ＰＵＣＣＨにＯＣＣ系列が用いられない場合に適用する。もちろん、ＰＵＣＣＨにＯＣＣ系列が用いられない場合、第５公式群を用いてもよいが、この際にｃ＝１と定義する。
【００４５】
ケース４：
ＰＵＣＣＨリソース番号、シンボルの番号および周波数ホッピング部分の番号に基づき、以下の第７公式群によって、ＣＳ値
【数１０１】
2020529810.tif 000103
を算出する。
【数１０２】
2020529810.tif 000104
（第７公式群）
ここで、
【数１０３】
2020529810.tif 000105
ここで、
【数１０４】
2020529810.tif 000106
【数１０５】
2020529810.tif 000107
周波数ホッピングが用いられると、前記タイムユニットに２つの周波数ホッピング部分を含むのであれば、１つ目の周波数ホッピング部分に対し、または、
【数１０６】
2020529810.tif 000108
＝０の場合、
【数１０７】
2020529810.tif 000109
２つ目の周波数ホッピング部分に対し、または、
【数１０８】
2020529810.tif 000110
＝１の場合、
【数１０９】
2020529810.tif 000111
または、ＰＵＣＣＨリソース番号、シンボルの番号および周波数ホッピング部分の番号に基づき、以下の第８公式群によって、ＣＳ値
【数１１０】
2020529810.tif 000112
を算出する。
【数１１１】
2020529810.tif 000113
（第８公式群）
ここで、
【数１１２】
2020529810.tif 000114
ここで、
【数１１３】
2020529810.tif 000115
周波数ホッピングが用いられると、前記タイムユニットに２つの周波数ホッピング部分を含むのであれば、１つ目の周波数ホッピング部分に対し、または、
【数１１４】
2020529810.tif 000116
＝０の場合、
【数１１５】
2020529810.tif 000117
２つ目の周波数ホッピング部分に対し、または、
【数１１６】
2020529810.tif 000118
＝１の場合、
【数１１７】
2020529810.tif 000119
ここで、
【数１１８】
2020529810.tif 000120
：シンボルに対応するＣＳ値；
【数１１９】
2020529810.tif 000121
、
【数１２０】
2020529810.tif 000122
、
【数１２１】
2020529810.tif 000123
：中間パラメータ；
【数１２２】
2020529810.tif 000124
：ＯＣＣ系列番号；
【数１２３】
2020529810.tif 000125
：疑似乱数列；
【数１２４】
2020529810.tif 000126
：アンテナポート
【数１２５】
2020529810.tif 000127
でのＰＵＣＣＨリソース番号；
【数１２６】
2020529810.tif 000128
：余りを求める関数；
【数１２７】
2020529810.tif 000129
：１つのＲＢに含まれるサブキャリア数；
【数１２８】
2020529810.tif 000130
：ハイレイヤシグナリングで事前に配置されたＣＳ間隔；
【数１２９】
2020529810.tif 000131
：周波数ホッピング部分の番号；
【数１３０】
2020529810.tif 000132
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【００４６】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【００４７】
また、具体的に、第８公式群について、ＰＵＣＣＨにＯＣＣ系列が用いられない場合に適用する。もちろん、ＰＵＣＣＨにＯＣＣ系列が用いられない場合、第７公式群を用いてもよいが、この際にｃ＝１と定義する。
【００４８】
また、以上の４種類のケースのうちのいずれのケースでＣＳ値を算出する場合、ＣＳ値に基づきＰＵＣＣＨをシンボルで送信する際に、ＯＣＣ系列の使用を特定すると、ＯＣＣ系列番号に基づき、ＯＣＣ系列番号に対応するＯＣＣ系列を特定し、それから、ＣＳ値とＯＣＣ系列に基づき、ＰＵＣＣＨをシンボルで送信する。
【００４９】
このように、基地局は、１つのＰＵＣＣＨリソース番号を特定し、シグナリング（たとえばＲＲＣシグナリングによって端末に対し予めＡ個またはＡ群のＰＵＣＣＨリソース番号を配置し、ＤＣＩの中の指示フィールドによって、そのうちの１つまたは１群のリソースを端末に指示する）によって端末に通知する。端末は、取得したＰＵＣＣＨリソース番号に基づき、上記公式群（第１公式群〜第８公式群の１つ）でタイムユニットにおける各シンボルのＣＳ値を算出する。当該ＰＵＣＣＨにＯＣＣ系列が用いられると特定すると、さらに上記公式群（第１公式群〜第８公式群のうち、ＯＣＣ系列番号算出式を含む公式群）でＯＣＣ系列番号を特定し、ＯＣＣ系列番号に基づき、対応するＯＣＣ系列を特定する必要がある。端末は、特定されたＣＳ値とＯＣＣ系列に基づき、当該タイムユニットにおける対応するシンボルでＰＵＣＣＨを伝送する。ＰＵＣＣＨは、当該タイムユニットのすべてのシンボルで伝送する可能性があり、当該タイムユニットの一部のシンボルのみで伝送する可能性もあり、一部のシンボルのみで伝送するのであれば、上記公式群によって、ＰＵＣＣＨ伝送用のシンボルのＣＳ値のみを特定する（すなわち当該タイムユニットのすべてのシンボルのＣＳ値を特定する必要がない）。また、周波数ホッピングがサポートされるＰＵＣＣＨについて、周波数ホッピングの使用が取り決められまたは配置されるのであれば、ＰＵＣＣＨを２つの周波数ホッピング部分に分けると仮定し、異なる周波数ホッピング部分のＣＳ値とＯＣＣ系列は、さらにたとえば第３公式群または第７公式群でランダム化処理が行われる。もちろん、異なる周波数ホッピング部分は、同じＯＣＣ系列を使用可能であり、たとえば、第１公式群または第５公式群を使用する。第１公式群と第３公式群において、
【数１３１】
2020529810.tif 000133
の値は、タイムユニットの番号およびタイムユニットにおけるシンボルの番号によって変化し、異なるタイムユニットの同一シンボル位置でのＣＳ値が異なる可能性があり、異なるタイムユニットで対応するＯＣＣ系列も異なる可能性があり、さらなるランダム化が実現される。第５公式群と第７公式群において、
【数１３２】
2020529810.tif 000134
の値は、タイムユニットの中のシンボルの番号のみによって変化する。よって、各タイムユニットの同一シンボル位置でのＣＳ値は、すべて同じであり、各タイムユニットで対応するＯＣＣ系列も同じであり、すべて同一ルールに準じて得られる。
【００５０】
以下、上記ケースについて、例を挙げて説明する。
【００５１】
【数１３３】
2020529810.tif 000135
、
【数１３４】
2020529810.tif 000136
、セルＩＤ＝３を例として説明する。
【００５２】
シンボル長が４〜７でありかつ周波数ホッピングが用いられるＰＵＣＣＨは、ｃ＝１（すなわちＯＣＣ系列が用いられない）とし、シンボル長が４または５または８〜１１でありかつ周波数ホッピングが用いられないＰＵＣＣＨ、またはシンボル長が８〜１１でありかつ周波数ホッピングが用いられるＰＵＣＣＨは、ｃ＝２（すなわち２つのＯＣＣ系列がサポートされ、データとパイロットに対しそれぞれ用いられるＯＣＣ系列の長さは、同じまたは異なる可能性があるが、同じ多重化容量をサポートするために、系列数が同じである。）とし、シンボル長が６または７または１２〜１４でありかつ周波数ホッピングが用いられないＰＵＣＣＨ、またはシンボル長が１２〜１４でありかつ周波数ホッピングが用いられるＰＵＣＣＨは、ｃ＝３とする。１４個のシンボルを含む１つのスロットを１つのタイムユニットとする。また、基地局から端末１に送信されるＰＵＣＣＨリソース番号
【数１３５】
2020529810.tif 000137
で、端末２に通知されるリソース番号
【数１３６】
2020529810.tif 000138
で、端末３に通知されるリソース番号
【数１３７】
2020529810.tif 000139
であるとする。また、端末１と端末２のＰＵＣＣＨの長さは、ともに７個のシンボルであり、たとえばＵＣＩとパイロット（ＲＳ）構造がＵＲＵＲＵＲＵであり、１つのタイムユニットの末尾７個のシンボルで伝送され、端末３のＰＵＣＣＨの長さは、１０個のシンボルであり、たとえばＲＵＲＵＲＵＲＵＲＵであり、１つのタイムユニットの末尾１０個のシンボルで伝送される。ここで、Ｕは、ＵＣＩが搬送されるシンボル位置で、Ｒは、パイロットが搬送されるシンボル位置である。
【００５３】
端末１と端末２が
【数１３８】
2020529810.tif 000140
のタイムユニットで伝送する場合、以下の方法で端末１、端末２、端末３の各シンボルのＣＳ値を算出する。
【数１３９】
2020529810.tif 000141
および
【数１４０】
2020529810.tif 000142
＝０〜１３に基づき、
【数１４１】
2020529810.tif 000143
と算出する。ここで、上記数値は、順に、
【数１４２】
2020529810.tif 000144
＝０〜１３のシンボルに対応する。または、直接、ＰＵＣＣＨに占められるシンボルの番号から、対応する
【数１４３】
2020529810.tif 000145
を算出する。
【００５４】
また、場合によっては、ｃの値が異なる。具体的に、以下２種類の状況に基づき、ｃの値を特定し、対応的に算出する。
【００５５】
その１：
端末が、異なるシンボル長のＰＵＣＣＨにサポートされる最大ＯＣＣ系列数に基づいてＣＳ値を特定する場合、すなわち、ＰＵＣＣＨリソース番号について、異なるシンボル長を有するすべてのＰＵＣＣＨに対し統一的に番号を付けられ、すなわち、各ＲＢでは、異なるシンボル長のＰＵＣＣＨにサポートされる最大ＯＣＣ系列数（１つのＰＵＣＣＨのＯＣＣ系列数は、当該ＰＵＣＣＨのデータとパイロットにそれぞれ用いられるＯＣＣ長のうちの最小値にサポートされる数を基準とする）から特定されるマルチユーザ多重化容量で番号を付けられる。具体的に、予め配置されたＣＳ間隔、１つのＲＢでのサブキャリア数および最大ＯＣＣ系列数から１つのＲＢのマルチユーザ多重化容量Ａを特定し、マルチユーザ多重化容量に基づき、１つのＲＢで番号を付ける。すなわち、１つのＲＢでの番号が０〜Ａ−１である。もちろん異なるＲＢでは番号が逓増し、２つ目のＲＢでの番号がＡ〜２Ａ−１であり、このように類推する。
【００５６】
上記ケースに対し、ｃは、上記のすべてのＰＵＣＣＨに対応するｃのうちの最大値を示し、すなわちｃ＝３である。ＰＵＣＣＨに周波数ホッピングが用いられない場合、端末１、端末２は、データとパイロットに対し、それぞれ長さ
【数１４４】
2020529810.tif 000146
が４、３であるＯＣＣ系列で時間領域のスペクトル拡散を行う。端末３は、データを２組に分け、第１組が前から５個のシンボルであり、第２組が末尾５個のシンボルである。第１組では、データとパイロットに対し、それぞれ長さ
【数１４５】
2020529810.tif 000147
が２、３であるＯＣＣ系列で時間領域のスペクトル拡散を行い、第２組では、データとパイロットに対し、それぞれ長さ
【数１４６】
2020529810.tif 000148
が３、２であるＯＣＣ系列で時間領域のスペクトル拡散を行う。データとパイロットに対応するＯＣＣ系列番号の対応関係は、以下の表Ａ、表Ｂ、表Ｃに示されている。
【００５７】
【表Ａ】
2020529810.tif 000149
【００５８】
【表Ｂ】
2020529810.tif 000150
【００５９】
【表Ｃ】
2020529810.tif 000151
【００６０】
以下、第１公式群を例とし、端末１、端末２、端末３のＯＣＣ系列番号とＣＳ値を算出し、かつ算出したＯＣＣ系列番号に基づき、表Ａ、表Ｂおよび表Ｃに関連付けて、端末１、端末２、端末３に用いられるＯＣＣ系列を得られるようにする。
【００６１】
端末１に対し、
【数１４７】
2020529810.tif 000152
に基づき、
【数１４８】
2020529810.tif 000153
と算出し、さらに
【数１４９】
2020529810.tif 000154
を得る。すなわち、当該ＰＵＣＣＨのデータとパイロットのＯＣＣ系列番号は、すべて０である。この場合、７個のシンボルのうち、ＵＣＩが搬送される４個のシンボルでは、
【数１５０】
2020529810.tif 000155
が４で、たとえば表Ａに示されるＯＣＣ系列番号０に対応するＯＣＣ系列で時間領域の直交スペクトル拡散を行い、７個のシンボルのうち、Ｒが搬送される３個のシンボルでは、
【数１５１】
2020529810.tif 000156
が３で、たとえば表Ｂに示されるＯＣＣ系列番号０に対応するＯＣＣ系列で時間領域の直交スペクトル拡散を行う。また、
【数１５２】
2020529810.tif 000157
に基づき、シンボルの番号
【数１５３】
2020529810.tif 000158
＝０〜１３のシンボルに順に対応し、そのうちの
【数１５４】
2020529810.tif 000159
＝７〜１３に対応する値を取る。または、直接、
【数１５５】
2020529810.tif 000160
＝７〜１３から、ＰＵＣＣＨに占められるシンボルに対応する
【数１５６】
2020529810.tif 000161
を算出する。
【数１５７】
2020529810.tif 000162
＝７〜１３から、ＰＵＣＣＨに占められる各シンボルのＣＳ値
【数１５８】
2020529810.tif 000163
を算出し、ここで
【数１５９】
2020529810.tif 000164
＝７〜１３。また、端末１は、さらに、対応するマッピングＲＢ番号
【数１６０】
2020529810.tif 000165
（すべてのｏｆｆｓｅｔ値が０であるとする）を以下の第３公式で算出してもよい。このように、端末１は、以上特定されたＯＣＣ系列とＣＳ値に基づいて、当該スロットの末尾７個のシンボルで、対応するＲＢでＰＵＣＣＨアップリンク情報を伝送する。
【００６２】
ここで、第３公式は、
【数１６１】
2020529810.tif 000166
または
【数１６２】
2020529810.tif 000167
である。ここで、
【数１６３】
2020529810.tif 000168
または
【数１６４】
2020529810.tif 000169
。
または、周波数ホッピングが用いられると、前記ＰＵＣＣＨが伝送されるＲＢのＲＢ番号
【数１６５】
2020529810.tif 000170
を以下の第４公式で特定し、前記シンボルおよび前記ＲＢ番号に対応するＲＢで前記ＰＵＣＣＨを送信する。
【数１６６】
2020529810.tif 000171
または
【数１６７】
2020529810.tif 000172
。
ここで、
【数１６８】
2020529810.tif 000173
または
【数１６９】
2020529810.tif 000174
。
ここで、
【数１７０】
2020529810.tif 000175
は、ＰＵＣＣＨが伝送されるＲＢのＲＢ番号を示し、
【数１７１】
2020529810.tif 000176
は、アンテナポート
【数１７２】
2020529810.tif 000177
でのＰＵＣＣＨリソース番号を示し、
【数１７３】
2020529810.tif 000178
は、１つのＲＢに含まれるサブキャリア数を示し、
【数１７４】
2020529810.tif 000179
は、ハイレイヤシグナリングで事前に配置されたＣＳ間隔を示し、
【数１７５】
2020529810.tif 000180
は、アップリンク帯域幅またはアップリンク周波数ホッピング帯域幅を示し、
【数１７６】
2020529810.tif 000181
は、周波数ホッピング部分の番号を示し、
【数１７７】
2020529810.tif 000182
は、ハイレイヤシグナリングで事前に配置されたＰＵＣＣＨリソース開始位置であって、その値が０以上であり、具体的に、上記第３公式に当該パラメータが存在しないと予め取り決めてもよく、その場合、常にバンドの最もエッジから算出すると初期設定する。
【数１７８】
2020529810.tif 000183
、
【数１７９】
2020529810.tif 000184
は、アップリンク周波数ホッピングオフセット値を示し、アップリンク周波数ホッピング帯域幅またはＰＵＣＣＨのリソース領域の調整に用いられ、２つのパラメータの値が同じまたは異なるが、もちろん上記第３公式に当該パラメータを含まなくてもよい。ｃは、事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【００６３】
端末２に対し、
【数１８０】
2020529810.tif 000185
に基づき、
【数１８１】
2020529810.tif 000186
と算出し、さらに
【数１８２】
2020529810.tif 000187
を得る。すなわち、当該ＰＵＣＣＨのデータとパイロットのＯＣＣ系列番号は、すべて０であり、スペクトル拡散方式は、端末１とは同じである。また、
【数１８３】
2020529810.tif 000188
がシンボルの番号
【数１８４】
2020529810.tif 000189
＝０〜１３のシンボルに順に対応することに基づき、そのうちの
【数１８５】
2020529810.tif 000190
＝７〜１３に対応する値を取る。または、直接、
【数１８６】
2020529810.tif 000191
＝７〜１３から、ＰＵＣＣＨに占められるシンボルに対応する
【数１８７】
2020529810.tif 000192
を算出する。
【数１８８】
2020529810.tif 000193
＝７〜１３から、ＰＵＣＣＨに占められる各シンボルのＣＳ値
【数１８９】
2020529810.tif 000194
を算出する（
【数１９０】
2020529810.tif 000195
＝７〜１３）。また、端末２は、さらに、対応するマッピングＲＢ番号
【数１９１】
2020529810.tif 000196
を、端末１のＲＢ番号算出方式で算出してもよい。このように、端末２は、以上特定されたＯＣＣ系列とＣＳ値に基づいて、当該スロットの末尾７個のシンボルで、対応するＲＢでＰＵＣＣＨアップリンク情報を伝送する。
【００６４】
端末３に対し、実際にｃ＝２に対応するが、ｃ＝３に基づき算出するとする。よって、
【数１９２】
2020529810.tif 000197
に基づき、
【数１９３】
2020529810.tif 000198
と算出し、さらに
【数１９４】
2020529810.tif 000199
を得る。すなわち、当該ＰＵＣＣＨのデータとパイロットのＯＣＣ系列番号は、すべて０である。この場合、第１組の５個のシンボルのうち、ＵＣＩが搬送される２個のシンボルでは、
【数１９５】
2020529810.tif 000200
が２で、たとえば表Ｃに示されるＯＣＣ系列番号０に対応するＯＣＣ系列で時間領域の直交スペクトル拡散を行い、５個のシンボルのうち、Ｒが搬送される３個のシンボルでは、
【数１９６】
2020529810.tif 000201
が３で、たとえば表Ｂに示されるＯＣＣ系列番号０に対応するＯＣＣ系列で時間領域の直交スペクトル拡散を行う。第２組の５個のシンボルのうち、ＵＣＩが搬送される３個のシンボルでは、
【数１９７】
2020529810.tif 000202
が３で、たとえば表Ｂに示されるＯＣＣ系列番号０に対応するＯＣＣ系列で時間領域の直交スペクトル拡散を行い、５個のシンボルのうち、Ｒが搬送される２個のシンボルでは、
【数１９８】
2020529810.tif 000203
が２で、たとえば表Ｃに示されるＯＣＣ系列番号０に対応するＯＣＣ系列で時間領域の直交スペクトル拡散を行う。また、
【数１９９】
2020529810.tif 000204
に基づき、シンボルの番号
【数２００】
2020529810.tif 000205
＝０〜１３のシンボルに順に対応し、そのうちの
【数２０１】
2020529810.tif 000206
＝４〜１３に対応する値を取る。または、直接、
【数２０２】
2020529810.tif 000207
＝４〜１３から、ＰＵＣＣＨに占められるシンボルに対応する
【数２０３】
2020529810.tif 000208
を算出する。
【数２０４】
2020529810.tif 000209
＝４〜１３から、ＰＵＣＣＨに占められる各シンボルのＣＳ値
【数２０５】
2020529810.tif 000210
を算出し、ここで
【数２０６】
2020529810.tif 000211
＝４〜１３。また、端末３は、さらに、対応するマッピングＲＢ番号
【数２０７】
2020529810.tif 000212
を、端末１のＲＢ番号算出方式で算出してもよい。このように、端末３は、以上特定されたＯＣＣ系列とＣＳ値に基づいて、当該スロットの末尾１０個のシンボルで、対応するＲＢでＰＵＣＣＨアップリンク情報を伝送する。
【００６５】
また、具体的に、端末１と端末２のＯＣＣ系列が同じであるが、同一シンボルでのＣＳ値が異なり、直交であってもよい。よって、同一ＲＢで多重化伝送が可能であり、基地局が同一方式で上記ＯＣＣ系列とＣＳ値を特定することによって、同じリソースから端末１と端末２のＰＵＣＣＨを取り出すことができる。また、端末３のＯＣＣ系列長が端末１、端末２とは異なるため、同一ＲＢで多重化伝送のであれば、ＯＣＣ系列が揃わないため互いに干渉し、基地局が適切なＰＵＣＣＨリソース番号を配置することによって、端末３と、端末１、端末２とは異なるＲＢで伝送することを保証する。たとえば、上記ｃ＝３の仮定に基づき、１つのＲＢでの最大多重化容量が
【数２０８】
2020529810.tif 000213
である。よって、
【数２０９】
2020529810.tif 000214
の場合、端末３のＲＢ位置は、端末１、端末２とは異なる。端末１、端末２がＲＢ番号０のＲＢに位置するが、端末３は、ＲＢ番号
【数２１０】
2020529810.tif 000215
のＲＢに位置する。よって、端末３のＯＣＣ系列長が端末１、端末２とは異なるものの、動作の周波数領域リソースが異なるため、互いに影響しない。
【００６６】
また、端末１と端末２に周波数ホッピングが用いられ、たとえば周波数ホッピング位置が第３、第４シンボルの間であるＵＲＵ｜ＲＵＲＵの場合、１つ目の周波数ホッピング部分は、ＵＲＵの３つのシンボルを含み、２つ目の周波数ホッピング部分は、ＲＵＲＵの４つのシンボルを含む。１つ目の周波数ホッピング部分について、少なくとも２つのＲを満たさないため、ＯＣＣ系列の使用ができない。すなわち、この場合、端末１と端末２は、実際にｃ＝１である。端末３に周波数ホッピングが用いられる場合、上記の組み分け方式で各組を１つの周波数ホッピング部分とするため、実際にｃ＝２に対応する。一方、システムではＰＵＣＣＨリソースの番号付けがｃ＝３で行われるため、端末１〜端末３について、ｃ＝３としてもよく、基地局によって配置されたＰＵＣＣＨリソース番号で上記方式によってＣＳ値を算出する（この場合、端末１と端末２では算出したＯＣＣ系列番号が０より大きくなることを避けるために、基地局は、端末に対し配置するＰＵＣＣＨリソース番号に対し一定の制限をしてもよく、たとえば正規化番号
【数２１１】
2020529810.tif 000216
が０〜５であるＰＵＣＣＨリソース番号のみをｃ＝１の端末１と端末２に対し配置する。端末３では算出したＯＣＣ系列番号が１より大きくなることを避けるために、たとえば正規化番号
【数２１２】
2020529810.tif 000217
が０〜１０であるＰＵＣＣＨリソース番号のみをｃ＝２の端末３に対し配置する）。もちろん、この場合、端末１と端末２について、ＯＣＣ系列番号を算出しないと取り決めてもよい（この場合、基地局は、異なる端末の衝突をスケジューラによって避け、１つのＲＢのうち任意の、最大のｃ値とするＰＵＣＣＨリソース番号を配置する。端末がＯＣＣ系列番号を算出しないとする。よって、ＯＣＣ系列番号が０より大きくなるＰＵＣＣＨリソース番号は、端末に配置してもよく、限定しない。）。しかし、端末３は、周波数ホッピングを使用する際にＯＣＣ系列を使用しないとさらに取り決めることを除き、ＯＣＣ系列番号の算出が必要である。また、第１公式群または第３公式群を用いて、さらに周波数ホッピング部分の番号に基づき、ＣＳ値を算出してもよい。具体的な算出は、上記算出プロセスに似るため、繰り返して記載しない。また、周波数ホッピングを使用する場合、端末１〜端末３は、上記第３公式によって、各周波数ホッピング部分に対応するＲＢのＲＢ番号をそれぞれ算出する（もちろん、これは例に過ぎず、ほかのＲＢ番号特定方式は、当該第３公式を参照する。）。
【００６７】
その２：
異なるシンボル長のＰＵＣＣＨに対し、端末は、当該シンボル長のＰＵＣＣＨにサポートされるＯＣＣ系列数に基づいて当該シンボル長のＰＵＣＣＨのＣＳ値を特定する。すなわち、ＰＵＣＣＨリソース番号は、異なるシンボル長のＰＵＣＣＨまたは異なるＯＣＣ系列数がサポートされるＰＵＣＣＨ（すなわち１つのＲＢで異なるマルチユーザ多重化容量を有するＰＵＣＣＨ）に対し独立に番号付けられる。すなわち、あるシンボル長のＰＵＣＣＨについて、各ＲＢでは、仮に当該シンボル長のＰＵＣＣＨにサポートされるＯＣＣ系列数で特定されたマルチユーザ多重化容量に基づき番号を付け、または、あるＯＣＣ系列数をサポートするＰＵＣＣＨに対し、各ＲＢでは、仮に当該ＯＣＣ系列数で特定されたマルチユーザ多重化容量に基づき番号を付ける。この場合、異なる長さのＯＣＣ系列同士の相互干渉を避けるため、異なるシンボル長のＰＵＣＣＨまたは異なるＯＣＣ系列数をサポートするＰＵＣＣＨの周波数領域リソースが同一ＲＢに位置しないことを保証する必要がある。
【００６８】
上記ケースに対し、異なる長さのＰＵＣＣＨは、異なるｃに対応する。ＰＵＣＣＨに周波数ホッピングが用いられない場合、端末１、端末２は、データとパイロットに対し、それぞれそれぞれ長さ
【数２１３】
2020529810.tif 000218
が４、３であるＯＣＣ系列で時間領域のスペクトル拡散を行う。端末３は、データを２組に分け、第１組が前から５個のシンボルであり、第２組が末尾５個のシンボルである。第１組では、データとパイロットに対し、それぞれ長さ
【数２１４】
2020529810.tif 000219
が２、３であるＯＣＣ系列で時間領域のスペクトル拡散を行い、第２組では、データとパイロットに対し、それぞれ長さ
【数２１５】
2020529810.tif 000220
が３、２であるＯＣＣ系列で時間領域のスペクトル拡散を行う。データとパイロットに対応するＯＣＣ系列とＯＣＣ系列番号の対応関係は、表Ａ、表Ｂ、表Ｃに示されている。
【００６９】
以下、第１公式群を例とし、端末１、端末２、端末３のＯＣＣ系列番号とＣＳ値を算出し、かつ算出したＯＣＣ系列番号に基づき、表Ａ、表Ｂおよび表Ｃに関連付けて、端末１、端末２、端末３に用いられるＯＣＣ系列を得られるようにする。
【００７０】
端末１に対し、ｃ＝３に対応するため、
【数２１６】
2020529810.tif 000221
に基づき、
【数２１７】
2020529810.tif 000222
と算出し、さらに
【数２１８】
2020529810.tif 000223
を得る。すなわち、当該ＰＵＣＣＨのデータとパイロットのＯＣＣ系列番号は、すべて０である。ＯＣＣ系列番号の使用方式は、上記その１の対応方式とは同じである。また、
【数２１９】
2020529810.tif 000224
に基づき、シンボルの番号
【数２２０】
2020529810.tif 000225
＝０〜１３のシンボルに順に対応し、そのうちの
【数２２１】
2020529810.tif 000226
＝７〜１３に対応する値を取る。または、直接、
【数２２２】
2020529810.tif 000227
＝７〜１３から、ＰＵＣＣＨに占められるシンボルに対応する
【数２２３】
2020529810.tif 000228
を算出する。
【数２２４】
2020529810.tif 000229
＝７〜１３から、ＰＵＣＣＨに占められる各シンボルのＣＳ値
【数２２５】
2020529810.tif 000230
を算出し、ここで
【数２２６】
2020529810.tif 000231
＝７〜１３。また、端末１は、さらに、対応するマッピングＲＢ番号
【数２２７】
2020529810.tif 000232
（すべてのｏｆｆｓｅｔ値が０であるとする）を以下の第３公式で算出してもよい。このように、端末１は、以上特定されたＯＣＣ系列とＣＳ値に基づいて、当該スロットの末尾７個のシンボルで、対応するＲＢでＰＵＣＣＨアップリンク情報を伝送する。
【００７１】
端末２に対し、ｃ＝３に対応するため、
【数２２８】
2020529810.tif 000233
に基づき、
【数２２９】
2020529810.tif 000234
と算出し、さらに
【数２３０】
2020529810.tif 000235
を得る。すなわち、当該ＰＵＣＣＨのデータとパイロットのＯＣＣ系列番号は、すべて０であり、スペクトル拡散方式は、端末１のスペクトル拡散方式とは同じである。
【００７２】
また、
【数２３１】
2020529810.tif 000236
に基づき、シンボルの番号
【数２３２】
2020529810.tif 000237
＝０〜１３のシンボルに順に対応し、そのうちの
【数２３３】
2020529810.tif 000238
＝７〜１３に対応する値を取る。または、直接、
【数２３４】
2020529810.tif 000239
＝７〜１３から、ＰＵＣＣＨに占められるシンボルに対応する
【数２３５】
2020529810.tif 000240
を算出する。
【数２３６】
2020529810.tif 000241
＝７〜１３から、ＰＵＣＣＨに占められる各シンボルのＣＳ値
【数２３７】
2020529810.tif 000242
を算出する（
【数２３８】
2020529810.tif 000243
＝７〜１３）。また、端末２は、さらに、対応するマッピングＲＢ番号
【数２３９】
2020529810.tif 000244
（すべてのｏｆｆｓｅｔ値が０であるとする）を第３公式で算出してもよい。このように、端末２は、以上特定されたＯＣＣ系列とＣＳ値に基づいて、当該スロットの末尾７個のシンボルで、対応するＲＢでＰＵＣＣＨアップリンク情報を伝送する。
【００７３】
端末３に対し、ｃ＝２に対応し、
【数２４０】
2020529810.tif 000245
に基づき、
【数２４１】
2020529810.tif 000246
と算出し、さらに
【数２４２】
2020529810.tif 000247
を得る。すなわち、当該ＰＵＣＣＨのデータとパイロットのＯＣＣ系列番号は、すべて１である。第１組の５個のシンボルのうち、ＵＣＩが搬送される２個のシンボルでは、
【数２４３】
2020529810.tif 000248
が２で、たとえば表Ｃに示されるＯＣＣ系列番号１に対応するＯＣＣ系列で時間領域の直交スペクトル拡散を行い、５個のシンボルのうち、Ｒが搬送される３個のシンボルでは、
【数２４４】
2020529810.tif 000249
が３で、たとえば表Ｂに示されるＯＣＣ系列番号１に対応するＯＣＣ系列で時間領域の直交スペクトル拡散を行う。第２組の５個のシンボルのうち、ＵＣＩが搬送される３個のシンボルでは、
【数２４５】
2020529810.tif 000250
が３で、たとえば表Ｂに示されるＯＣＣ系列番号１に対応するＯＣＣ系列で時間領域の直交スペクトル拡散を行い、５個のシンボルのうち、Ｒが搬送される２個のシンボルでは、
【数２４６】
2020529810.tif 000251
が２で、たとえば表Ｃに示されるＯＣＣ系列番号１に対応するＯＣＣ系列で時間領域の直交スペクトル拡散を行う。また、
【数２４７】
2020529810.tif 000252
に基づき、シンボルの番号
【数２４８】
2020529810.tif 000253
＝０〜１３のシンボルに順に対応し、そのうちの
【数２４９】
2020529810.tif 000254
＝４〜１３に対応する値を取る。または、直接、
【数２５０】
2020529810.tif 000255
＝４〜１３から、ＰＵＣＣＨに占められるシンボルに対応する
【数２５１】
2020529810.tif 000256
を算出する。
【数２５２】
2020529810.tif 000257
＝４〜１３から、ＰＵＣＣＨに占められる各シンボルのＣＳ値
【数２５３】
2020529810.tif 000258
を算出し、ここで
【数２５４】
2020529810.tif 000259
＝４〜１３。また、端末３は、さらに、対応するマッピングＲＢ番号
【数２５５】
2020529810.tif 000260
を、第３公式で算出してもよい。このように、端末３は、以上特定されたＯＣＣ系列とＣＳ値に基づいて、当該スロットの末尾１０個のシンボルで、対応するＲＢでＰＵＣＣＨアップリンク情報を伝送する。
【００７４】
また、具体的に、端末１と端末２は、ＯＣＣ系列が同じであるものの、同一シンボルでのＣＳ値が異なり、直交してもよい。よって、同一ＲＢで多重化伝送が可能であり、基地局が同一方式で上記ＯＣＣ系列とＣＳ値を特定することによって、同じリソースから端末１と端末２のＰＵＣＣＨを取り出すことができる。また、端末３のＯＣＣ系列長が端末１、端末２とは異なるため、同一ＲＢで多重化伝送のであれば、ＯＣＣ系列が揃わないため互いに干渉し、基地局が適切なＰＵＣＣＨリソース番号を配置することによって、端末３と、端末１、端末２とは異なるＲＢで伝送することを保証する。たとえば、端末３に対し、ｃ＝２であるため、１つのＲＢでの最大多重化容量が
【数２５６】
2020529810.tif 000261
１２である。端末１と端末２に対し、ｃ＝３であるため、１つのＲＢでの最大多重化容量が
【数２５７】
2020529810.tif 000262
１８である。すなわち、端末１、端末２は、端末３とは異なる多重化容量でＲＢ位置を特定する。よって、
【数２５８】
2020529810.tif 000263
の場合、端末３のＲＢ位置は、端末１、端末２とは異なる。端末１、端末２は、ＲＢ番号０のＲＢに位置するが、端末３は、番号
【数２５９】
2020529810.tif 000264
のＲＢに位置する。よって、端末３のＯＣＣ系列長が端末１、端末２とは異なるものの、動作の周波数領域リソースが異なるため、互いに影響しない。
【００７５】
また、端末１〜端末３に周波数ホッピングが用いられる場合、周波数ホッピング方式がその１での記載とは同じであるとすると、端末１、端末２は、ｃ＝１に対応し、端末３は、ｃ＝２に対応する。端末１〜端末３は、自身に対応するｃで上記第１公式群を再利用してもよく、第３公式群を用いて、さらに周波数ホッピング部分の番号に基づき、ＣＳ値および対応するＯＣＣ系列番号（端末３の場合）とＲＢ位置を算出してもよいが、具体的な算出として上記算出プロセスに似るため、繰り返して記載しない。
【００７６】
方式２：
方式２で配置シグナリングによって配置されたＣＳ配置索引に基づき、シンボルに対応するＣＳ値を特定する際に、配置シグナリングを受信し、配置シグナリングに基づいてＣＳ配置索引を得る。それから、ＣＳ配置索引に基づき、シンボルに対応するＣＳ索引を特定する。最後に、シンボルに対応するＣＳ索引に基づき、シンボルに対応するＣＳ値を特定する。
【００７７】
具体的に、ＣＳ配置索引に基づき、シンボルに対応するＣＳ索引を特定する際に、ＣＳ配置索引およびシンボルの番号に基づき、以下の第１公式によって、シンボルに対応するＣＳ索引
【数２６０】
2020529810.tif 000265
を算出する。
【数２６１】
2020529810.tif 000266
（第１公式）
ここで、
【数２６２】
2020529810.tif 000267
：シンボルに対応するＣＳ索引；
【数２６３】
2020529810.tif 000268
：前記ＣＳ配置索引；
【数２６４】
2020529810.tif 000269
：シンボルの番号であって、その範囲が０〜
【数２６５】
2020529810.tif 000270
であり、ここで、
【数２６６】
2020529810.tif 000271
が１つのタイムユニットに含まれるシンボル数を示す；
ｋ：係数であって、１以上の正整数である；
【数２６７】
2020529810.tif 000272
：１つのＲＢに含まれるサブキャリア数；
Ｍｏｄ：余りを求める関数。
【００７８】
また、ＣＳ配置索引に基づき、シンボルに対応するＣＳ索引を特定する際に、シンボルの番号、および、ＣＳ配置索引と、タイムユニットの中の各シンボルの番号に対応するＣＳ索引が記録されているテーブルとの間の所定のマッピング関係に基づき、シンボルに対応するＣＳ索引を特定する。
【００７９】
また、具体的に、シンボルに対応するＣＳ索引に基づき、シンボルに対応するＣＳ値を特定する際に、シンボルに対応するＣＳ索引に基づき、以下の第２公式によって、シンボルに対応するＣＳ値
【数２６８】
2020529810.tif 000273
を算出する。
【数２６９】
2020529810.tif 000274
（第２公式）
ここで、
【数２７０】
2020529810.tif 000275
：前記シンボルに対応するＣＳ値；
【数２７１】
2020529810.tif 000276
：前記シンボルに対応するＣＳ索引；
【数２７２】
2020529810.tif 000277
：１つのＲＢに含まれるサブキャリア数。
【００８０】
また、第２方式でＣＳ値を特定した後に、ＣＳ値に基づき、ＰＵＣＣＨをシンボルで送信する際に、ＯＣＣ系列の使用を特定すると、配置シグナリングに基づいてＯＣＣ系列番号を特定し、またはＣＳ配置索引に基づき、所定の公式または所定のテーブルでＯＣＣ系列番号を特定する。それから、ＯＣＣ系列番号に基づき、ＯＣＣ系列番号に対応するＯＣＣ系列を特定する。最後に、ＣＳ値とＯＣＣ系列に基づき、前記ＰＵＣＣＨをシンボルで送信する。
【００８１】
以下、シンボルの番号、および、ＣＳ配置索引とテーブルの所定マッピング関係に基づき、シンボルに対応するＣＳ索引を特定するステップについて、例を挙げて説明する。
【００８２】
たとえば、配置シグナリングによって得られるＣＳ配置索引は、テーブルのうちのＣＳ索引値を特定するための配置索引であるとし、下記表１または表２または表３に示される。または、配置シグナリングによって得られるＣＳ配置索引は、１つのタイムユニットのうちの特定シンボルのＣＳ索引であるとし、たとえば１つ目のシンボルのＣＳ索引であり、それから、当該索引に対応する後続のほかのシンボルのＣＳ索引を順に定義し、たとえば表１または表２または表３から１列目を除く。この場合、基地局は、
【数２７３】
2020529810.tif 000278
値に基づき、テーブルのうちのすべてまたは一部のＣＳ索引を選択して端末に通知する。たとえば、
【数２７４】
2020529810.tif 000279
＝２であれば、索引０、２、４、６、８、１０のうちの索引値を端末に通知し、または、１、３、５、７、９、１１のうちの索引値を選択して端末に通知する。たとえば、
【数２７５】
2020529810.tif 000280
＝１の場合、テーブルから任意１つの索引値を選択して端末に通知する。表１は、１つのタイムユニットが１４個のシンボルであり、または１つのタイムユニットが１つのスロットでありかつ１つのスロットに１４のシンボルを含むとする。表２、表３は、１つのタイムユニットが１つのスロットでありかつ１つのスロットに７のシンボルを含むとする。端末ではＯＣＣ系列が用いられると、上記配置シグナリングは、ＣＳ配置索引を配置すると同時に、端末に対し１つのＯＣＣ系列番号を配置し、または、表１または表２または表３では異なるＯＣＣ系列番号と各シンボルで対応ＣＳ  ｉｎｄｅｘとの組み合わせ関係を追加し、ＣＳ配置索引によって、表１または表２または表３からＯＣＣ系列番号および対応する伝送シンボルに対応するＣＳ値を同時に得られる。
【００８３】
また、基地局は、多重化に多く用いられる合理的スケジューリング割り当てによって、異なる端末に対し異なるＣＳ索引を配置し、異なる端末に対し、対応するＲＢ位置および用いられるＯＣＣ系列番号を指示する必要もあり、同一ＲＢにおける異なる端末の多重化伝送が実現される。
【００８４】
たとえば、基地局は、端末１〜端末８に対し、ハイレイヤシグナリングによって予め４つのリソース群を配置する。第１リソース群は、｛ＣＳ索引＝０，ＲＢ番号＝０，ＯＣＣ系列番号＝０｝を含み、第２リソース群は、｛ＣＳ索引＝２，ＲＢ番号＝０，ＯＣＣ系列番号＝０｝を含み、第３リソース群は、｛ＣＳ索引＝４，ＲＢ番号＝０，ＯＣＣ系列番号＝０｝を含み、第４リソース群は、｛ＣＳ索引＝６，ＲＢ番号＝０，ＯＣＣ系列番号＝０｝を含む。基地局が、端末１〜端末４に対し同一タイミングでＰＵＣＣＨ伝送を行うようにスケジューリングし、端末１宛てのＤＣＩで指示フィールドを設定して上記４つのリソース群のうちの第１リソース群を指示し、端末２宛てのＤＣＩで指示フィールドを設定して上記４つのリソース群のうちの第２リソース群を指示し、端末３宛てのＤＣＩで指示フィールドを設定して上記４つのリソース群のうちの第３リソース群を指示し、端末４宛てのＤＣＩで指示フィールドを設定して上記４つのリソース群のうちの第４リソース群を指示すると、対応する端末は、ＤＣＩを受信すると、そのうちの指示情報に基づき、対応するリソース群を特定し、当該リソース群のうちのＣＳ索引に基づき、表１、表２、表３から、対応するＰＵＣＣＨの各シンボルにおけるＣＳ索引を特定する。たとえば、端末１のＰＵＣＣＨ長さが７個のシンボルであり、１つのスロット（１つのスロットに１４個のシンボルを含むとする）の末尾７個のシンボルを占めると、端末１は、ＣＳ索引＝０および下記テーブル１に基づき、末尾７個のシンボルで伝送する際のＣＳ索引｛８，９，１０，１１，０，１，２｝を取得し、さらに公式
【数２７６】
2020529810.tif 000281
に基づき、対応するＣＳ値を特定する。伝送フォーマットがＵＲＵＲＵＲＵである場合、伝送フォーマットに基づき、データに対応するＣＳ索引や、パイロットに対応するＣＳ索引を特定でき、ＤＣＩによって指示されるＲＢで、特定済みのＣＳ値およびＯＣＣ系列（必要である場合）を用いてＰＵＣＣＨを送信する。なお、ほかの端末の動作方式も同様である。もちろん、端末群にＯＣＣ系列の使用が必要でない場合、予め配置されたリソース群にＯＣＣ系列番号を含まなくてもよい。
【００８５】
【表１】
2020529810.tif 000282
【００８６】
【表２】
2020529810.tif 000283
【００８７】
【表３】
2020529810.tif 000284
【００８８】
ここまで、シンボルのＣＳ値を特定する具体的なプロセスが完成する。
【００８９】
このように、本開示の一部実施例において、タイムユニットでＰＵＣＣＨに占められるシンボルを取得し、シンボルに対応するＣＳ値を特定し、それからＣＳ値に基づいてＰＵＣＣＨをシンボルで送信することによって、シンボルに対応するＣＳ値を明確化でき、さらに、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。よって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決する。
【００９０】
図２に示すように、図２は、本開示の基地局側の情報伝送方法のフローチャートである。当該方法は、以下のステップ２０１〜２０３を含む。
【００９１】
ステップ２０１において、タイムユニットでＰＵＣＣＨに占められるシンボルを取得する。
【００９２】
当該ステップにおいて、基地局は、タイムユニットでＰＵＣＣＨに占められるシンボルを取得する。
【００９３】
具体的に、タイムユニットは、１つまたは複数のスロット、１つのサブフレーム、または、１４個のシンボルである。
【００９４】
ステップ２０２において、シンボルに対応するＣＳ値を特定する。
【００９５】
本ステップにおいて、具体的に、基地局は、シンボルに対応するＣＳ値を特定する際に、シンボルに対応するＣＳ値を以下２種類の方式で特定する。
【００９６】
方式１：シンボルの番号と配置情報によって端末に通知されるＰＵＣＣＨリソース番号に基づき、シンボルに対応するＣＳ値を特定する。ここで、具体的に、配置情報は、ハイレイヤシグナリングによって送信されてもよく、ＰＤＣＣＨの中の指示フィールドによって送信されてもよい。もちろん、初期アクセスプロセスに係る配置情報は、ＰＢＣＨ、ＳＩＢ情報、Ｍａｇ２またはＭｓｇ４に付帯されて通知されてもよい。
【００９７】
方式２：配置シグナリングによって端末に通知されたＣＳ配置索引に基づき、シンボルに対応するＣＳ値を特定する。ここで、具体的に、配置シグナリングは、ハイレイヤシグナリングによって送信されてもよく、ＰＤＣＣＨの中の指示フィールドによって送信されてもよい。もちろん、初期アクセスプロセスに係る配置シグナリングは、ＰＢＣＨ、ＳＩＢ情報、Ｍａｇ２またはＭｓｇ４に付帯されて通知されてもよい。
【００９８】
ステップ２０３において、ＣＳ値に基づき、ＰＵＣＣＨをシンボルで受信する。
【００９９】
本ステップにおいて、具体的に、基地局は、得られたＣＳ値に基づいてＰＵＣＣＨをシンボルで受信する場合、ＰＵＣＣＨが伝送されるＲＢのＲＢ番号
【数２７７】
2020529810.tif 000285
を以下の第３公式で特定し、シンボルおよびＲＢ番号に対応するＲＢでＰＵＣＣＨを受信する。
【数２７８】
2020529810.tif 000286
または、
【数２７９】
2020529810.tif 000287
（第３公式）
ここで、
【数２８０】
2020529810.tif 000288
または
【数２８１】
2020529810.tif 000289
または、周波数ホッピングが用いられると、前記ＰＵＣＣＨが伝送されるＲＢのＲＢ番号
【数２８２】
2020529810.tif 000290
を以下の第４公式で特定し、前記シンボルおよび前記ＲＢ番号に対応するＲＢで前記ＰＵＣＣＨを伝送する。
【数２８３】
2020529810.tif 000291
または、
【数２８４】
2020529810.tif 000292
（第４公式）
ここで、
【数２８５】
2020529810.tif 000293
または
【数２８６】
2020529810.tif 000294
ここで、
【数２８７】
2020529810.tif 000295
：ＰＵＣＣＨが伝送されるＲＢのＲＢ番号；
【数２８８】
2020529810.tif 000296
：アンテナポート
【数２８９】
2020529810.tif 000297
でのＰＵＣＣＨリソース番号；
【数２９０】
2020529810.tif 000298
：１つのＲＢに含まれるサブキャリア数；
【数２９１】
2020529810.tif 000299
：ハイレイヤシグナリングで事前に配置されたＣＳ間隔；
【数２９２】
2020529810.tif 000300
：アップリンク帯域幅またはアップリンク周波数ホッピング帯域幅；
【数２９３】
2020529810.tif 000301
：周波数ホッピング部分の番号；
【数２９４】
2020529810.tif 000302
：ハイレイヤシグナリングで事前に配置されたＰＵＣＣＨリソース開始位置であって、その値が０以上である；
【数２９５】
2020529810.tif 000303
、
【数２９６】
2020529810.tif 000304
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１００】
このように、本実施例において、シンボルに対応するＣＳ値を特定し、それからＣＳ値に基づいてＰＵＣＣＨをシンボルで伝送することによって、シンボルに対応するＣＳ値を明確化でき、さらに、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。よって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決する。
【０１０１】
具体的に、以下、シンボルに対応するＣＳ値の特定について、具体的に紹介する。
【０１０２】
以下、上記方式１と方式２でシンボルに対応するＣＳ値の具体的な特定方式をそれぞれ紹介する。
【０１０３】
方式１：
方式１でシンボルの番号と配置情報によって端末に通知されるＰＵＣＣＨリソース番号に基づき、シンボルに対応するＣＳ値を特定する場合、ＰＵＣＣＨリソース番号とシンボルの番号に基づき、さらにタイムユニットの番号、端末ＩＤ、セルＩＤ（現在セルＩＤまたはハイレイヤシグナリングによって配置されたセルＩＤ）および周波数ホッピング位置のうちの１つまたは複数の要素に関連付けて特定する。具体的に以下４種類のケースを含む。
【０１０４】
ケース１：
ＰＵＣＣＨリソース番号を特定し、配置情報によって端末に通知する。それから、ＰＵＣＣＨリソース番号、シンボルの番号およびタイムユニットの番号に基づき、以下の第１公式群によって、シンボルに対応するＣＳ値
【数２９７】
2020529810.tif 000305
を算出し、または、ＰＵＣＣＨリソース番号、シンボルの番号およびタイムユニットの番号に基づき、以下の第２公式群によって、シンボルに対応するＣＳ値
【数２９８】
2020529810.tif 000306
を算出する。
【数２９９】
2020529810.tif 000307
（第１公式群）
ここで、
【数３００】
2020529810.tif 000308
ここで、
【数３０１】
2020529810.tif 000309
【数３０２】
2020529810.tif 000310
【数３０３】
2020529810.tif 000311
【数３０４】
2020529810.tif 000312
（第２公式群）
ここで、
【数３０５】
2020529810.tif 000313
ここで、
【数３０６】
2020529810.tif 000314
【数３０７】
2020529810.tif 000315
ここで、
【数３０８】
2020529810.tif 000316
：シンボルに対応するＣＳ値；
【数３０９】
2020529810.tif 000317
、
【数３１０】
2020529810.tif 000318
、
【数３１１】
2020529810.tif 000319
：中間パラメータ；
【数３１２】
2020529810.tif 000320
：ＯＣＣ系列番号；
【数３１３】
2020529810.tif 000321
：疑似乱数列；
【数３１４】
2020529810.tif 000322
：アンテナポート
【数３１５】
2020529810.tif 000323
でのＰＵＣＣＨリソース番号；
【数３１６】
2020529810.tif 000324
：余りを求める関数；
【数３１７】
2020529810.tif 000325
：１つのＲＢに含まれるサブキャリア数；
【数３１８】
2020529810.tif 000326
：ハイレイヤシグナリングで事前に配置されたＣＳ間隔；
【数３１９】
2020529810.tif 000327
：１つのタイムユニットに含まれるシンボル数；
【数３２０】
2020529810.tif 000328
：タイムユニットの番号；
【数３２１】
2020529810.tif 000329
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１０５】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１０６】
また、具体的に、第２公式群について、ＰＵＣＣＨにＯＣＣ系列が用いられない場合に適用する。
【０１０７】
ケース２：
ＰＵＣＣＨリソース番号を特定し、配置情報によって端末に通知する。それから、ＰＵＣＣＨリソース番号、シンボルの番号、タイムユニットの番号および周波数ホッピング部分の番号に基づき、以下の第３公式群によって、シンボルに対応するＣＳ値
【数３２２】
2020529810.tif 000330
を算出し、または、ＰＵＣＣＨリソース番号、シンボルの番号、タイムユニットの番号および周波数ホッピング部分の番号に基づき、以下の第４公式群によって、シンボルに対応するＣＳ値
【数３２３】
2020529810.tif 000331
を算出する。
【数３２４】
2020529810.tif 000332
（第３公式群）
ここで、
【数３２５】
2020529810.tif 000333
ここで、
【数３２６】
2020529810.tif 000334
【数３２７】
2020529810.tif 000335
周波数ホッピングが用いられると、前記タイムユニットに２つの周波数ホッピング部分を含むのであれば、１つ目の周波数ホッピング部分に対し、または、
【数３２８】
2020529810.tif 000336
＝０の場合、
【数３２９】
2020529810.tif 000337
２つ目の周波数ホッピング部分に対し、または、
【数３３０】
2020529810.tif 000338
＝１の場合、
【数３３１】
2020529810.tif 000339
【数３３２】
2020529810.tif 000340
（第４公式群）
ここで、
【数３３３】
2020529810.tif 000341
ここで、
【数３３４】
2020529810.tif 000342
周波数ホッピングが用いられると、前記タイムユニットに２つの周波数ホッピング部分を含むのであれば、１つ目の周波数ホッピング部分に対し、または、
【数３３５】
2020529810.tif 000343
＝０の場合、
【数３３６】
2020529810.tif 000344
２つ目の周波数ホッピング部分に対し、または、
【数３３７】
2020529810.tif 000345
＝１の場合、
【数３３８】
2020529810.tif 000346
ここで、
【数３３９】
2020529810.tif 000347
：シンボルに対応するＣＳ値；
【数３４０】
2020529810.tif 000348
、
【数３４１】
2020529810.tif 000349
、
【数３４２】
2020529810.tif 000350
：中間パラメータ；
【数３４３】
2020529810.tif 000351
：ＯＣＣ系列番号；
【数３４４】
2020529810.tif 000352
：疑似乱数列；
【数３４５】
2020529810.tif 000353
：アンテナポート
【数３４６】
2020529810.tif 000354
でのＰＵＣＣＨリソース番号；
【数３４７】
2020529810.tif 000355
：余りを求める関数；
【数３４８】
2020529810.tif 000356
：１つのＲＢに含まれるサブキャリア数；
【数３４９】
2020529810.tif 000357
：ハイレイヤシグナリングで事前に配置されたＣＳ間隔；
【数３５０】
2020529810.tif 000358
：１つのタイムユニットに含まれるシンボル数；
【数３５１】
2020529810.tif 000359
：周波数ホッピング部分の番号；
【数３５２】
2020529810.tif 000360
：タイムユニットの番号；
【数３５３】
2020529810.tif 000361
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１０８】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１０９】
また、具体的に、第４公式群について、ＰＵＣＣＨにＯＣＣ系列が用いられない場合に適用する。
【０１１０】
ケース３：
ＰＵＣＣＨリソース番号を特定し、配置情報によって端末に通知する。それから、ＰＵＣＣＨリソース番号とシンボルの番号に基づき、以下の第５公式群によって、シンボルに対応するＣＳ値
【数３５４】
2020529810.tif 000362
を算出し、または、ＰＵＣＣＨリソース番号とシンボルの番号に基づき、以下の第６公式群によって、シンボルに対応するＣＳ値
【数３５５】
2020529810.tif 000363
を算出する。
【数３５６】
2020529810.tif 000364
（第５公式群）
ここで、
【数３５７】
2020529810.tif 000365
ここで、
【数３５８】
2020529810.tif 000366
【数３５９】
2020529810.tif 000367
【数３６０】
2020529810.tif 000368
【数３６１】
2020529810.tif 000369
（第６公式群）
ここで、
【数３６２】
2020529810.tif 000370
ここで、
【数３６３】
2020529810.tif 000371
【数３６４】
2020529810.tif 000372
ここで、
【数３６５】
2020529810.tif 000373
：シンボルに対応するＣＳ値；
【数３６６】
2020529810.tif 000374
、
【数３６７】
2020529810.tif 000375
、
【数３６８】
2020529810.tif 000376
：中間パラメータ；
【数３６９】
2020529810.tif 000377
：ＯＣＣ系列番号；
【数３７０】
2020529810.tif 000378
：疑似乱数列；
【数３７１】
2020529810.tif 000379
：アンテナポート
【数３７２】
2020529810.tif 000380
でのＰＵＣＣＨリソース番号；
【数３７３】
2020529810.tif 000381
：余りを求める関数；
【数３７４】
2020529810.tif 000382
：１つのＲＢに含まれるサブキャリア数；
【数３７５】
2020529810.tif 000383
：ハイレイヤシグナリングで事前に配置されたＣＳ間隔；
【数３７６】
2020529810.tif 000384
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１１１】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１１２】
また、具体的に、第６公式群について、ＰＵＣＣＨにＯＣＣ系列が用いられない場合に適用する。
【０１１３】
ケース４：
ＰＵＣＣＨリソース番号を特定し、配置情報によって端末に通知する。それから、ＰＵＣＣＨリソース番号、シンボルの番号および周波数ホッピング部分の番号に基づき、以下の第７公式群によって、ＣＳ値
【数３７７】
2020529810.tif 000385
を算出し、または、ＰＵＣＣＨリソース番号、シンボルの番号および周波数ホッピング部分の番号に基づき、以下の第８公式群によって、ＣＳ値
【数３７８】
2020529810.tif 000386
を算出する。
【数３７９】
2020529810.tif 000387
（第７公式群）
ここで、
【数３８０】
2020529810.tif 000388
ここで、
【数３８１】
2020529810.tif 000389
【数３８２】
2020529810.tif 000390
周波数ホッピングが用いられると、前記タイムユニットに２つの周波数ホッピング部分を含むのであれば、１つ目の周波数ホッピング部分に対し、または、
【数３８３】
2020529810.tif 000391
＝０の場合、
【数３８４】
2020529810.tif 000392
２つ目の周波数ホッピング部分に対し、または、
【数３８５】
2020529810.tif 000393
＝１の場合、
【数３８６】
2020529810.tif 000394
【数３８７】
2020529810.tif 000395
（第８公式群）
ここで、
【数３８８】
2020529810.tif 000396
ここで、
【数３８９】
2020529810.tif 000397
周波数ホッピングが用いられると、前記タイムユニットに２つの周波数ホッピング部分を含むのであれば、１つ目の周波数ホッピング部分に対し、または、
【数３９０】
2020529810.tif 000398
＝０の場合、
【数３９１】
2020529810.tif 000399
２つ目の周波数ホッピング部分に対し、または、
【数３９２】
2020529810.tif 000400
＝１の場合、
【数３９３】
2020529810.tif 000401
ここで、
【数３９４】
2020529810.tif 000402
：シンボルに対応するＣＳ値；
【数３９５】
2020529810.tif 000403
、
【数３９６】
2020529810.tif 000404
、
【数３９７】
2020529810.tif 000405
：中間パラメータ；
【数３９８】
2020529810.tif 000406
：ＯＣＣ系列番号；
【数３９９】
2020529810.tif 000407
：疑似乱数列；
【数４００】
2020529810.tif 000408
：アンテナポート
【数４０１】
2020529810.tif 000409
でのＰＵＣＣＨリソース番号；
【数４０２】
2020529810.tif 000410
：余りを求める関数；
【数４０３】
2020529810.tif 000411
：１つのＲＢに含まれるサブキャリア数；
【数４０４】
2020529810.tif 000412
：ハイレイヤシグナリングで事前に配置されたＣＳ間隔；
【数４０５】
2020529810.tif 000413
：周波数ホッピング部分の番号；
【数４０６】
2020529810.tif 000414
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１１４】
具体的に、ｃがＯＣＣ系列の数または長さに基づいて特定された値であることは、ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１１５】
また、具体的に、第８公式群について、ＰＵＣＣＨにＯＣＣ系列が用いられない場合に適用する。
【０１１６】
また、以上の４種類のケースのうちのいずれのケースでＣＳ値を算出する場合、ＣＳ値に基づきＰＵＣＣＨをシンボルで伝送する際に、ＯＣＣ系列の使用を特定すると、ＯＣＣ系列番号に基づき、ＯＣＣ系列番号に対応するＯＣＣ系列を特定し、それから、ＣＳ値とＯＣＣ系列に基づき、ＰＵＣＣＨをシンボルで伝送する。
【０１１７】
このように、基地局は、１つのＰＵＣＣＨリソース番号を特定し、シグナリング（たとえばＲＲＣシグナリングによって端末に対し予めＡ個またはＡ群のＰＵＣＣＨリソース番号を配置し、ＤＣＩの中の指示フィールドによって、そのうちの１つまたは１群のリソースを端末に指示する）によって端末に通知し、それから、上記公式群（第１公式群〜第８公式群の１つ）でタイムユニットにおける各シンボルのＣＳ値を算出する。当該ＰＵＣＣＨにＯＣＣ系列が用いられると特定すると、さらに上記公式群（第１公式群〜第８公式群のうち、ＯＣＣ系列番号算出式を含む公式群）でＯＣＣ系列番号を特定し、ＯＣＣ系列番号に基づき、対応するＯＣＣ系列を特定する必要があり、それから、ＣＳ値とＯＣＣ系列に基づき、シンボルでＰＵＣＣＨを受信する。ＰＵＣＣＨは、当該タイムユニットのすべてのシンボルで伝送する可能性があり、当該タイムユニットの一部のシンボルのみで伝送する可能性もあり、一部のシンボルのみで伝送するのであれば、上記公式群によって、ＰＵＣＣＨ伝送用のシンボルのＣＳ値のみを特定する（すなわち当該タイムユニットのすべてのシンボルのＣＳ値を特定する必要がない）。また、周波数ホッピングがサポートされるＰＵＣＣＨについて、周波数ホッピングの使用が取り決められまたは配置されれば、ＰＵＣＣＨを２つの周波数ホッピング部分に分けると仮定し、異なる周波数ホッピング部分のＣＳ値とＯＣＣ系列は、さらにたとえば第３公式群または第７公式群でランダム化処理が行われる。もちろん、異なる周波数ホッピング部分は、同じＯＣＣ系列を使用可能であり、たとえば、第１公式群または第５公式群を使用する。第１公式群と第３公式群において、
【数４０７】
2020529810.tif 000415
の値は、タイムユニットの番号およびタイムユニットにおけるシンボルの番号によって変化し、異なるタイムユニットの同一シンボル位置でのＣＳ値が異なる可能性があり、異なるタイムユニットで対応するＯＣＣ系列も異なる可能性があり、さらなるランダム化が実現される。第５公式群と第７公式群において、
【数４０８】
2020529810.tif 000416
の値は、タイムユニットの中のシンボルの番号のみによって変化する。よって、各タイムユニットの同一シンボル位置でのＣＳ値は、すべて同じであり、各タイムユニットで対応するＯＣＣ系列も同じであり、すべて同一ルールに準じて得られる。
【０１１８】
ここで、方式１の具体的な実現方式は、上記図１に示す実施例における上記ケースについての例示的説明を参照し、ここでは繰り返して記載しない。
【０１１９】
方式２：
方式２で配置シグナリングによって端末に通知されたＣＳ配置索引に基づき、前記シンボルに対応するＣＳ値を特定する際に、ＣＳ配置索引を特定し、ＣＳ配置索引を配置シグナリングによって端末に通知し、それから、ＣＳ配置索引に基づき、シンボルに対応するＣＳ索引を特定し、最後に、シンボルに対応するＣＳ索引に基づき、シンボルに対応するＣＳ値を特定する。
【０１２０】
具体的に、ＣＳ配置索引に基づき、シンボルに対応するＣＳ索引を特定する際に、ＣＳ配置索引およびシンボルの番号に基づき、以下の第１公式によって、シンボルに対応するＣＳ索引
【数４０９】
2020529810.tif 000417
を算出する。
【数４１０】
2020529810.tif 000418
（第１公式）
ここで、
【数４１１】
2020529810.tif 000419
：シンボルに対応するＣＳ索引；
【数４１２】
2020529810.tif 000420
：前記ＣＳ配置索引；
【数４１３】
2020529810.tif 000421
：シンボルの番号であって、その範囲が０〜
【数４１４】
2020529810.tif 000422
であり、ここで、
【数４１５】
2020529810.tif 000423
が１つのタイムユニットに含まれるシンボル数を示す；
ｋ：係数であって、１以上の正整数である；
【数４１６】
2020529810.tif 000424
：１つのＲＢに含まれるサブキャリア数；
Ｍｏｄ：余りを求める関数。
【０１２１】
また、ＣＳ配置索引に基づき、シンボルに対応するＣＳ索引を特定する際に、シンボルの番号、および、ＣＳ配置索引と、タイムユニットの中の各シンボルの番号に対応するＣＳ索引が記録されているテーブルとの間の所定のマッピング関係に基づき、シンボルに対応するＣＳ索引を特定する。
【０１２２】
また、具体的に、シンボルに対応するＣＳ索引に基づき、シンボルに対応するＣＳ値を特定する際に、シンボルに対応するＣＳ索引に基づき、以下の第２公式によって、シンボルに対応するＣＳ値
【数４１７】
2020529810.tif 000425
を算出する。
【数４１８】
2020529810.tif 000426
（第２公式）
ここで、
【数４１９】
2020529810.tif 000427
：前記シンボルに対応するＣＳ値；
【数４２０】
2020529810.tif 000428
：前記シンボルに対応するＣＳ索引；
【数４２１】
2020529810.tif 000429
：１つのＲＢに含まれるサブキャリア数。
【０１２３】
また、第２方式でＣＳ値を特定した後に、ＣＳ値に基づき、ＰＵＣＣＨをシンボルで伝送する際に、ＯＣＣ系列の使用を特定すると、配置シグナリングに基づいてＯＣＣ系列番号を特定し、またはＣＳ配置索引に基づき、所定の公式または所定のテーブルでＯＣＣ系列番号を特定する。それから、ＯＣＣ系列番号に基づき、ＯＣＣ系列番号に対応するＯＣＣ系列を特定する。最後に、ＣＳ値とＯＣＣ系列に基づき、前記ＰＵＣＣＨをシンボルで伝送する。
【０１２４】
ここで、シンボルの番号およびＣＳ配置索引とテーブルの所定マッピング関係に基づき、シンボルに対応するＣＳ索引を特定するステップの例示的説明は、図１に示す実施例の関連部分を参照し、ここでは繰り返して記載しない。
【０１２５】
ここまで、シンボルのＣＳ値を特定する具体的なプロセスが完成する。
【０１２６】
このように、本開示の一部実施例において、タイムユニットでＰＵＣＣＨに占められるシンボルを取得し、シンボルに対応するＣＳ値を特定し、それからＣＳ値に基づいてＰＵＣＣＨをシンボルで伝送することによって、シンボルに対応するＣＳ値を明確化でき、さらに、異なるシンボルでのＣＳ値がなるべく異なるように保証でき、干渉のランダム化を実現し、ＰＵＣＣＨの伝送性能を高める。さらに、異なる長さのＮＲ  ＰＵＣＣＨの同一シンボルでのＣＳ取得方式が同じであることを保証し、異なる長さのＮＲ  ＰＵＣＣＨの同一ＲＢでの多重化伝送をサポートしてシステムのＰＵＣＣＨリソースオーバヘッドを低下させる。よって、５Ｇ  ＮＲシステムでは各シンボルにおける異なる長さのＮＲ  ＰＵＣＣＨのＣＳ値の取得ができないためＰＵＣＣＨの伝送性能が低下しやすくなるという問題を解決する。
【０１２７】
図３に示すように、本開示の一部実施例は、タイムユニットでＰＵＣＣＨに占められるシンボルを取得するための取得モジュール３１０と、前記シンボルに対応するＣＳ値を特定するための特定モジュール３２０と、前記ＣＳ値に基づき、前記ＰＵＣＣＨを前記シンボルで送信するための送信モジュール３３０とを含む端末３００を提供する。
【０１２８】
ここで、前記特定モジュール３２０は、シンボルの番号と配置情報によって通知されるＰＵＣＣＨリソース番号に基づき、前記シンボルに対応するＣＳ値を特定するための第１特定ユニット、または、配置シグナリングによって配置されたＣＳ配置索引に基づき、前記シンボルに対応するＣＳ値を特定するための第２特定ユニットを含む。
【０１２９】
ここで、前記第１特定ユニットは、ＰＵＣＣＨリソース番号、シンボルの番号およびタイムユニットの番号に基づき、以下の第１公式群によって、シンボルに対応するＣＳ値
【数４２２】
2020529810.tif 000430
を算出すること、または、ＰＵＣＣＨリソース番号、シンボルの番号およびタイムユニットの番号に基づき、以下の第２公式群によって、シンボルに対応するＣＳ値
【数４２３】
2020529810.tif 000431
を算出することに用いられる。
【数４２４】
2020529810.tif 000432
（第１公式群）
ここで、
【数４２５】
2020529810.tif 000433
ここで、
【数４２６】
2020529810.tif 000434
【数４２７】
2020529810.tif 000435
【数４２８】
2020529810.tif 000436
【数４２９】
2020529810.tif 000437
（第２公式群）
ここで、
【数４３０】
2020529810.tif 000438
ここで、
【数４３１】
2020529810.tif 000439
【数４３２】
2020529810.tif 000440
ここで、
【数４３３】
2020529810.tif 000441
：シンボルに対応するＣＳ値；
【数４３４】
2020529810.tif 000442
、
【数４３５】
2020529810.tif 000443
、
【数４３６】
2020529810.tif 000444
：中間パラメータ；
【数４３７】
2020529810.tif 000445
：ＯＣＣ系列番号；
【数４３８】
2020529810.tif 000446
：疑似乱数列；
【数４３９】
2020529810.tif 000447
：アンテナポート
【数４４０】
2020529810.tif 000448
でのＰＵＣＣＨリソース番号；
【数４４１】
2020529810.tif 000449
：余りを求める関数；
【数４４２】
2020529810.tif 000450
：１つのＲＢに含まれるサブキャリア数；
【数４４３】
2020529810.tif 000451
：ハイレイヤシグナリングで事前に配置されたＣＳ間隔；
【数４４４】
2020529810.tif 000452
：１つのタイムユニットに含まれるシンボル数；
【数４４５】
2020529810.tif 000453
：タイムユニットの番号；
【数４４６】
2020529810.tif 000454
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１３０】
ここで、前記第１特定ユニットは、ＰＵＣＣＨリソース番号、シンボルの番号、タイムユニットの番号および周波数ホッピング部分の番号に基づき、以下の第３公式群によって、シンボルに対応するＣＳ値
【数４４７】
2020529810.tif 000455
を算出すること、または、ＰＵＣＣＨリソース番号、シンボルの番号、タイムユニットの番号および周波数ホッピング部分の番号に基づき、以下の第４公式群によって、シンボルに対応するＣＳ値
【数４４８】
2020529810.tif 000456
を算出することに用いられる。
【数４４９】
2020529810.tif 000457
（第３公式群）
ここで、
【数４５０】
2020529810.tif 000458
ここで、
【数４５１】
2020529810.tif 000459
【数４５２】
2020529810.tif 000460
周波数ホッピングが用いられると、前記タイムユニットに２つの周波数ホッピング部分を含むのであれば、１つ目の周波数ホッピング部分に対し、または、
【数４５３】
2020529810.tif 000461
＝０の場合、
【数４５４】
2020529810.tif 000462
２つ目の周波数ホッピング部分に対し、または、
【数４５５】
2020529810.tif 000463
＝１の場合、
【数４５６】
2020529810.tif 000464
【数４５７】
2020529810.tif 000465
（第４公式群）
ここで、
【数４５８】
2020529810.tif 000466
ここで、
【数４５９】
2020529810.tif 000467
周波数ホッピングが用いられると、前記タイムユニットに２つの周波数ホッピング部分を含むのであれば、１つ目の周波数ホッピング部分に対し、または、
【数４６０】
2020529810.tif 000468
＝０の場合、
【数４６１】
2020529810.tif 000469
２つ目の周波数ホッピング部分に対し、または、
【数４６２】
2020529810.tif 000470
＝１の場合、
【数４６３】
2020529810.tif 000471
ここで、
【数４６４】
2020529810.tif 000472
：シンボルに対応するＣＳ値；
【数４６５】
2020529810.tif 000473
、
【数４６６】
2020529810.tif 000474
、
【数４６７】
2020529810.tif 000475
：中間パラメータ；
【数４６８】
2020529810.tif 000476
：ＯＣＣ系列番号；
【数４６９】
2020529810.tif 000477
：疑似乱数列；
【数４７０】
2020529810.tif 000478
：アンテナポート
【数４７１】
2020529810.tif 000479
でのＰＵＣＣＨリソース番号；
【数４７２】
2020529810.tif 000480
：余りを求める関数；
【数４７３】
2020529810.tif 000481
：１つのＲＢに含まれるサブキャリア数；
【数４７４】
2020529810.tif 000482
：ハイレイヤシグナリングで事前に配置されたＣＳ間隔；
【数４７５】
2020529810.tif 000483
：１つのタイムユニットに含まれるシンボル数；
【数４７６】
2020529810.tif 000484
：周波数ホッピング部分の番号；
【数４７７】
2020529810.tif 000485
：タイムユニットの番号；
【数４７８】
2020529810.tif 000486
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１３１】
ここで、前記第１特定ユニットは、ＰＵＣＣＨリソース番号とシンボルの番号に基づき、以下の第５公式群によって、シンボルに対応するＣＳ値
【数４７９】
2020529810.tif 000487
を算出すること、または、ＰＵＣＣＨリソース番号とシンボルの番号に基づき、以下の第６公式群によって、シンボルに対応するＣＳ値
【数４８０】
2020529810.tif 000488
を算出することに用いられる。
【数４８１】
2020529810.tif 000489
（第５公式群）
ここで、
【数４８２】
2020529810.tif 000490
ここで、
【数４８３】
2020529810.tif 000491
【数４８４】
2020529810.tif 000492
【数４８５】
2020529810.tif 000493
【数４８６】
2020529810.tif 000494
（第６公式群）
ここで、
【数４８７】
2020529810.tif 000495
ここで、
【数４８８】
2020529810.tif 000496
【数４８９】
2020529810.tif 000497
ここで、
【数４９０】
2020529810.tif 000498
：シンボルに対応するＣＳ値；
【数４９１】
2020529810.tif 000499
、
【数４９２】
2020529810.tif 000500
、
【数４９３】
2020529810.tif 000501
：中間パラメータ；
【数４９４】
2020529810.tif 000502
：ＯＣＣ系列番号；
【数４９５】
2020529810.tif 000503
：疑似乱数列；
【数４９６】
2020529810.tif 000504
：アンテナポート
【数４９７】
2020529810.tif 000505
でのＰＵＣＣＨリソース番号；
【数４９８】
2020529810.tif 000506
：余りを求める関数；
【数４９９】
2020529810.tif 000507
：１つのＲＢに含まれるサブキャリア数；
【数５００】
2020529810.tif 000508
：ハイレイヤシグナリングで事前に配置されたＣＳ間隔；
【数５０１】
2020529810.tif 000509
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１３２】
ここで、前記第１特定ユニットは、ＰＵＣＣＨリソース番号、シンボルの番号および周波数ホッピング部分の番号に基づき、以下の第７公式群によって、ＣＳ値
【数５０２】
2020529810.tif 000510
を算出すること、または、ＰＵＣＣＨリソース番号、シンボルの番号および周波数ホッピング部分の番号に基づき、以下の第８公式群によって、ＣＳ値
【数５０３】
2020529810.tif 000511
を算出することに用いられる。
【数５０４】
2020529810.tif 000512
（第７公式群）
ここで、
【数５０５】
2020529810.tif 000513
ここで、
【数５０６】
2020529810.tif 000514
【数５０７】
2020529810.tif 000515
周波数ホッピングが用いられると、前記タイムユニットに２つの周波数ホッピング部分を含むのであれば、１つ目の周波数ホッピング部分に対し、または、
【数５０８】
2020529810.tif 000516
＝０の場合、
【数５０９】
2020529810.tif 000517
２つ目の周波数ホッピング部分に対し、または、
【数５１０】
2020529810.tif 000518
＝１の場合、
【数５１１】
2020529810.tif 000519
【数５１２】
2020529810.tif 000520
（第８公式群）
ここで、
【数５１３】
2020529810.tif 000521
ここで、
【数５１４】
2020529810.tif 000522
周波数ホッピングが用いられると、前記タイムユニットに２つの周波数ホッピング部分を含むのであれば、１つ目の周波数ホッピング部分に対し、または、
【数５１５】
2020529810.tif 000523
＝０の場合、
【数５１６】
2020529810.tif 000524
２つ目の周波数ホッピング部分に対し、または、
【数５１７】
2020529810.tif 000525
＝１の場合、
【数５１８】
2020529810.tif 000526
ここで、
【数５１９】
2020529810.tif 000527
：シンボルに対応するＣＳ値；
【数５２０】
2020529810.tif 000528
、
【数５２１】
2020529810.tif 000529
、
【数５２２】
2020529810.tif 000530
：中間パラメータ；
【数５２３】
2020529810.tif 000531
：ＯＣＣ系列番号；
【数５２４】
2020529810.tif 000532
：疑似乱数列；
【数５２５】
2020529810.tif 000533
：アンテナポート
【数５２６】
2020529810.tif 000534
でのＰＵＣＣＨリソース番号；
【数５２７】
2020529810.tif 000535
：余りを求める関数；
【数５２８】
2020529810.tif 000536
：１つのＲＢに含まれるサブキャリア数；
【数５２９】
2020529810.tif 000537
：ハイレイヤシグナリングで事前に配置されたＣＳ間隔；
【数５３０】
2020529810.tif 000538
：周波数ホッピング部分の番号；
【数５３１】
2020529810.tif 000539
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１３３】
ここで、前記送信モジュールは、ＯＣＣ系列の使用を特定すると、前記ＯＣＣ系列番号に基づき、ＯＣＣ系列番号に対応するＯＣＣ系列を特定するための第３特定ユニットと、前記ＣＳ値と前記ＯＣＣ系列に基づき、前記ＰＵＣＣＨを前記シンボルで送信するための第１送信ユニットとを含む。
【０１３４】
ここで、前記第２特定ユニットは、配置シグナリングを受信し、前記配置シグナリングに基づいてＣＳ配置索引を得るための受信サブユニットと、前記ＣＳ配置索引に基づき、前記シンボルに対応するＣＳ索引を特定するための第１特定サブユニットと、前記シンボルに対応するＣＳ索引に基づき、前記シンボルに対応するＣＳ値を特定するための第２特定サブユニットとを含む。
【０１３５】
ここで、前記第１特定サブユニットは、前記ＣＳ配置索引および前記シンボルの番号に基づき、以下の第１公式によって、前記シンボルに対応するＣＳ索引
【数５３２】
2020529810.tif 000540
を算出することに用いられる。
【数５３３】
2020529810.tif 000541
（第１公式）
ここで、
【数５３４】
2020529810.tif 000542
：シンボルに対応するＣＳ索引；
【数５３５】
2020529810.tif 000543
：前記ＣＳ配置索引；
【数５３６】
2020529810.tif 000544
：シンボルの番号であって、その範囲が０〜
【数５３７】
2020529810.tif 000545
であり、ここで、
【数５３８】
2020529810.tif 000546
が１つのタイムユニットに含まれるシンボル数を示す；
ｋ：係数であって、１以上の正整数である；
【数５３９】
2020529810.tif 000547
：１つのＲＢに含まれるサブキャリア数；
Ｍｏｄ：余りを求める関数。
【０１３６】
ここで、前記第１特定サブユニットは、前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられる。
【０１３７】
ここで、前記第２特定サブユニットは、前記シンボルに対応するＣＳ索引に基づき、以下の第２公式によって、前記シンボルに対応するＣＳ値
【数５４０】
2020529810.tif 000548
を算出することに用いられる。
【数５４１】
2020529810.tif 000549
（第２公式）
ここで、
【数５４２】
2020529810.tif 000550
：前記シンボルに対応するＣＳ値；
【数５４３】
2020529810.tif 000551
：前記シンボルに対応するＣＳ索引；
【数５４４】
2020529810.tif 000552
：１つのＲＢに含まれるサブキャリア数。
【０１３８】
ここで、前記送信モジュール３３０は、ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、前記ＯＣＣ系列番号に基づき、ＯＣＣ系列番号に対応するＯＣＣ系列を特定するための第５特定ユニットと、前記ＣＳ値と前記ＯＣＣ系列に基づき、前記ＰＵＣＣＨを前記シンボルで送信するための第２送信ユニットとを含む。
【０１３９】
ここで、前記送信モジュール３３０は、前記ＰＵＣＣＨが伝送されるＲＢのＲＢ番号
【数５４５】
2020529810.tif 000553
を以下の第３公式で特定し、前記シンボルおよび前記ＲＢ番号に対応するＲＢで前記ＰＵＣＣＨを送信し、または、周波数ホッピングが用いられると、前記ＰＵＣＣＨが伝送されるＲＢのＲＢ番号
【数５４６】
2020529810.tif 000554
を以下の第４公式で特定し、前記シンボルおよび前記ＲＢ番号に対応するＲＢで前記ＰＵＣＣＨを送信するための第３送信ユニットをさらにを含む。
【数５４７】
2020529810.tif 000555
または、
【数５４８】
2020529810.tif 000556
（第３公式）
ここで、
【数５４９】
2020529810.tif 000557
または
【数５５０】
2020529810.tif 000558
【数５５１】
2020529810.tif 000559
または、
【数５５２】
2020529810.tif 000560
（第４公式）
ここで、
【数５５３】
2020529810.tif 000561
または
【数５５４】
2020529810.tif 000562
ここで、
【数５５５】
2020529810.tif 000563
：ＰＵＣＣＨが伝送されるＲＢのＲＢ番号；
【数５５６】
2020529810.tif 000564
：アンテナポート
【数５５７】
2020529810.tif 000565
でのＰＵＣＣＨリソース番号；
【数５５８】
2020529810.tif 000566
：１つのＲＢに含まれるサブキャリア数；
【数５５９】
2020529810.tif 000567
：ハイレイヤシグナリングで事前に配置されたＣＳ間隔；
【数５６０】
2020529810.tif 000568
：アップリンク帯域幅またはアップリンク周波数ホッピング帯域幅；
【数５６１】
2020529810.tif 000569
：周波数ホッピング部分の番号；
【数５６２】
2020529810.tif 000570
：ハイレイヤシグナリングで事前に配置されたＰＵＣＣＨリソース開始位置であって、その値が０以上である；
【数５６３】
2020529810.tif 000571
、
【数５６４】
2020529810.tif 000572
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１４０】
ここで、前記ｃがＯＣＣ系列の数または長さに基づいて特定された値であることは、前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１４１】
なお、当該端末の実施例は、上記図１に示す実施例における方法に一対一に対応する端末であり、上記方法実施例におけるすべての実現方式が当該端末の実施例に適用可能であり、同一の技術効果を奏することもできる。
【０１４２】
図４に示すように、本開示の一部実施例は、タイムユニットでＰＵＣＣＨに占められるシンボルを取得するための取得モジュール４１０と、前記シンボルに対応するＣＳ値を特定するための特定モジュール４２０と、前記ＣＳ値に基づき、前記ＰＵＣＣＨを前記シンボルで受信するための受信モジュール４３０とを含む基地局４００を提供する。
【０１４３】
ここで、前記特定モジュール４２０は、シンボルの番号と、配置情報によって端末に通知されるＰＵＣＣＨリソース番号に基づき、前記シンボルに対応するＣＳ値を特定するための第１特定ユニット、または、配置シグナリングによって端末に通知されたＣＳ配置索引に基づき、前記シンボルに対応するＣＳ値を特定するための第２特定ユニットを含む。
【０１４４】
ここで、前記第１特定ユニットは、ＰＵＣＣＨリソース番号を特定し、配置情報によって端末に通知することと、ＰＵＣＣＨリソース番号、シンボルの番号およびタイムユニットの番号に基づき、以下の第１公式群によって、シンボルに対応するＣＳ値
【数５６５】
2020529810.tif 000573
を算出すること、または、ＰＵＣＣＨリソース番号、シンボルの番号およびタイムユニットの番号に基づき、以下の第２公式群によって、シンボルに対応するＣＳ値
【数５６６】
2020529810.tif 000574
を算出することに用いられる。
【数５６７】
2020529810.tif 000575
（第１公式群）
ここで、
【数５６８】
2020529810.tif 000576
ここで、
【数５６９】
2020529810.tif 000577
【数５７０】
2020529810.tif 000578
【数５７１】
2020529810.tif 000579
【数５７２】
2020529810.tif 000580
（第２公式群）
ここで、
【数５７３】
2020529810.tif 000581
ここで、
【数５７４】
2020529810.tif 000582
【数５７５】
2020529810.tif 000583
ここで、
【数５７６】
2020529810.tif 000584
：シンボルに対応するＣＳ値；
【数５７７】
2020529810.tif 000585
、
【数５７８】
2020529810.tif 000586
、
【数５７９】
2020529810.tif 000587
：中間パラメータ；
【数５８０】
2020529810.tif 000588
：ＯＣＣ系列番号；
【数５８１】
2020529810.tif 000589
：疑似乱数列；
【数５８２】
2020529810.tif 000590
：アンテナポート
【数５８３】
2020529810.tif 000591
でのＰＵＣＣＨリソース番号；
【数５８４】
2020529810.tif 000592
：余りを求める関数；
【数５８５】
2020529810.tif 000593
：１つのＲＢに含まれるサブキャリア数；
【数５８６】
2020529810.tif 000594
：ハイレイヤシグナリングで事前に配置されたＣＳ間隔；
【数５８７】
2020529810.tif 000595
：１つのタイムユニットに含まれるシンボル数；
【数５８８】
2020529810.tif 000596
：タイムユニットの番号；
【数５８９】
2020529810.tif 000597
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１４５】
ここで、前記第１特定ユニットは、ＰＵＣＣＨリソース番号を特定し、配置情報によって端末に通知することと、ＰＵＣＣＨリソース番号、シンボルの番号、タイムユニットの番号および周波数ホッピング部分の番号に基づき、以下の第３公式群によって、シンボルに対応するＣＳ値
【数５９０】
2020529810.tif 000598
を算出するステップ、または、ＰＵＣＣＨリソース番号、シンボルの番号、タイムユニットの番号および周波数ホッピング部分の番号に基づき、以下の第４公式群によって、シンボルに対応するＣＳ値
【数５９１】
2020529810.tif 000599
を算出することに用いられる。
【数５９２】
2020529810.tif 000600
（第３公式群）
ここで、
【数５９３】
2020529810.tif 000601
ここで、
【数５９４】
2020529810.tif 000602
【数５９５】
2020529810.tif 000603
周波数ホッピングが用いられると、前記タイムユニットに２つの周波数ホッピング部分を含むのであれば、１つ目の周波数ホッピング部分に対し、または、
【数５９６】
2020529810.tif 000604
＝０の場合、
【数５９７】
2020529810.tif 000605
２つ目の周波数ホッピング部分に対し、または、
【数５９８】
2020529810.tif 000606
＝１の場合、
【数５９９】
2020529810.tif 000607
【数６００】
2020529810.tif 000608
（第４公式群）
ここで、
【数６０１】
2020529810.tif 000609
ここで、
【数６０２】
2020529810.tif 000610
周波数ホッピングが用いられると、前記タイムユニットに２つの周波数ホッピング部分を含むのであれば、１つ目の周波数ホッピング部分に対し、または、
【数６０３】
2020529810.tif 000611
＝０の場合、
【数６０４】
2020529810.tif 000612
２つ目の周波数ホッピング部分に対し、または、
【数６０５】
2020529810.tif 000613
＝１の場合、
【数６０６】
2020529810.tif 000614
ここで、
【数６０７】
2020529810.tif 000615
：シンボルに対応するＣＳ値；
【数６０８】
2020529810.tif 000616
、
【数６０９】
2020529810.tif 000617
、
【数６１０】
2020529810.tif 000618
：中間パラメータ；
【数６１１】
2020529810.tif 000619
：ＯＣＣ系列番号；
【数６１２】
2020529810.tif 000620
：疑似乱数列；
【数６１３】
2020529810.tif 000621
：アンテナポート
【数６１４】
2020529810.tif 000622
でのＰＵＣＣＨリソース番号；
【数６１５】
2020529810.tif 000623
：余りを求める関数；
【数６１６】
2020529810.tif 000624
：１つのＲＢに含まれるサブキャリア数；
【数６１７】
2020529810.tif 000625
：ハイレイヤシグナリングで事前に配置されたＣＳ間隔；
【数６１８】
2020529810.tif 000626
：１つのタイムユニットに含まれるシンボル数；
【数６１９】
2020529810.tif 000627
：周波数ホッピング部分の番号；
【数６２０】
2020529810.tif 000628
：タイムユニットの番号；
【数６２１】
2020529810.tif 000629
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１４６】
ここで、前記第１特定ユニットは、ＰＵＣＣＨリソース番号を特定し、配置情報によって端末に通知することと、ＰＵＣＣＨリソース番号とシンボルの番号に基づき、以下の第５公式群によって、シンボルに対応するＣＳ値
【数６２２】
2020529810.tif 000630
を算出するステップ、または、ＰＵＣＣＨリソース番号とシンボルの番号に基づき、以下の第６公式群によって、シンボルに対応するＣＳ値
【数６２３】
2020529810.tif 000631
を算出することに用いられる。
【数６２４】
2020529810.tif 000632
（第５公式群）
ここで、
【数６２５】
2020529810.tif 000633
ここで、
【数６２６】
2020529810.tif 000634
【数６２７】
2020529810.tif 000635
【数６２８】
2020529810.tif 000636
【数６２９】
2020529810.tif 000637
（第６公式群）
ここで、
【数６３０】
2020529810.tif 000638
ここで、
【数６３１】
2020529810.tif 000639
【数６３２】
2020529810.tif 000640
ここで、
【数６３３】
2020529810.tif 000641
：シンボルに対応するＣＳ値；
【数６３４】
2020529810.tif 000642
、
【数６３５】
2020529810.tif 000643
、
【数６３６】
2020529810.tif 000644
：中間パラメータ；
【数６３７】
2020529810.tif 000645
：ＯＣＣ系列番号；
【数６３８】
2020529810.tif 000646
：疑似乱数列；
【数６３９】
2020529810.tif 000647
：アンテナポート
【数６４０】
2020529810.tif 000648
でのＰＵＣＣＨリソース番号；
【数６４１】
2020529810.tif 000649
：余りを求める関数；
【数６４２】
2020529810.tif 000650
：１つのＲＢに含まれるサブキャリア数；
【数６４３】
2020529810.tif 000651
：ハイレイヤシグナリングで事前に配置されたＣＳ間隔；
【数６４４】
2020529810.tif 000652
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１４７】
ここで、前記第１特定ユニットは、ＰＵＣＣＨリソース番号を特定し、配置情報によって端末に通知することと、ＰＵＣＣＨリソース番号、シンボルの番号および周波数ホッピング部分の番号に基づき、以下の第７公式群によって、ＣＳ値
【数６４５】
2020529810.tif 000653
を算出するステップ、または、ＰＵＣＣＨリソース番号、シンボルの番号および周波数ホッピング部分の番号に基づき、以下の第８公式群によって、ＣＳ値
【数６４６】
2020529810.tif 000654
を算出することに用いられる。
【数６４７】
2020529810.tif 000655
（第７公式群）
ここで、
【数６４８】
2020529810.tif 000656
ここで、
【数６４９】
2020529810.tif 000657
【数６５０】
2020529810.tif 000658
周波数ホッピングが用いられると、前記タイムユニットに２つの周波数ホッピング部分を含むのであれば、１つ目の周波数ホッピング部分に対し、または、
【数６５１】
2020529810.tif 000659
＝０の場合、
【数６５２】
2020529810.tif 000660
２つ目の周波数ホッピング部分に対し、または、
【数６５３】
2020529810.tif 000661
＝１の場合、
【数６５４】
2020529810.tif 000662
【数６５５】
2020529810.tif 000663
（第８公式群）
ここで、
【数６５６】
2020529810.tif 000664
ここで、
【数６５７】
2020529810.tif 000665
周波数ホッピングが用いられると、前記タイムユニットに２つの周波数ホッピング部分を含むのであれば、１つ目の周波数ホッピング部分に対し、または、
【数６５８】
2020529810.tif 000666
＝０の場合、
【数６５９】
2020529810.tif 000667
２つ目の周波数ホッピング部分に対し、または、
【数６６０】
2020529810.tif 000668
＝１の場合、
【数６６１】
2020529810.tif 000669
ここで、
【数６６２】
2020529810.tif 000670
：シンボルに対応するＣＳ値；
【数６６３】
2020529810.tif 000671
、
【数６６４】
2020529810.tif 000672
、
【数６６５】
2020529810.tif 000673
：中間パラメータ；
【数６６６】
2020529810.tif 000674
：ＯＣＣ系列番号；
【数６６７】
2020529810.tif 000675
：疑似乱数列；
【数６６８】
2020529810.tif 000676
：アンテナポート
【数６６９】
2020529810.tif 000677
でのＰＵＣＣＨリソース番号；
【数６７０】
2020529810.tif 000678
：余りを求める関数；
【数６７１】
2020529810.tif 000679
：１つのＲＢに含まれるサブキャリア数；
【数６７２】
2020529810.tif 000680
：ハイレイヤシグナリングで事前に配置されたＣＳ間隔；
【数６７３】
2020529810.tif 000681
：周波数ホッピング部分の番号；
【数６７４】
2020529810.tif 000682
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１４８】
ここで、前記受信モジュール４３０は、ＯＣＣ系列の使用を特定すると、前記ＯＣＣ系列番号に基づき、ＯＣＣ系列番号に対応するＯＣＣ系列を特定するための第３特定ユニットと、前記ＣＳ値と前記ＯＣＣ系列に基づき、前記ＰＵＣＣＨを前記シンボルで受信するための第１受信ユニットとを含む。
【０１４９】
ここで、前記第２特定ユニットは、ＣＳ配置索引を特定し、前記ＣＳ配置索引を配置シグナリングによって端末に通知するための送信サブユニットと、前記ＣＳ配置索引に基づき、前記シンボルに対応するＣＳ索引を特定するための第１特定サブユニットと、前記シンボルに対応するＣＳ索引に基づき、前記シンボルに対応するＣＳ値を特定するための第２特定サブユニットとを含む。
【０１５０】
ここで、前記第１特定サブユニットは、前記ＣＳ配置索引および前記シンボルの番号に基づき、以下の第１公式によって、前記シンボルに対応するＣＳ索引
【数６７５】
2020529810.tif 000683
を算出することに用いられる。
【数６７６】
2020529810.tif 000684
（第１公式）
ここで、
【数６７７】
2020529810.tif 000685
：シンボルに対応するＣＳ索引；
【数６７８】
2020529810.tif 000686
：前記ＣＳ配置索引；
【数６７９】
2020529810.tif 000687
：シンボルの番号であって、その範囲が０〜
【数６８０】
2020529810.tif 000688
であり、ここで、
【数６８１】
2020529810.tif 000689
が１つのタイムユニットに含まれるシンボル数を示す；
ｋ：係数であって、１以上の正整数である；
【数６８２】
2020529810.tif 000690
：１つのＲＢに含まれるサブキャリア数；
Ｍｏｄ：余りを求める関数。
【０１５１】
ここで、前記第１特定サブユニットは、前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられる。
【０１５２】
ここで、前記第２特定サブユニットは、前記シンボルに対応するＣＳ索引に基づき、以下の第２公式によって、前記シンボルに対応するＣＳ値
【数６８３】
2020529810.tif 000691
を算出することに用いられる。
【数６８４】
2020529810.tif 000692
（第２公式）
ここで、
【数６８５】
2020529810.tif 000693
：前記シンボルに対応するＣＳ値；
【数６８６】
2020529810.tif 000694
：前記シンボルに対応するＣＳ索引；
【数６８７】
2020529810.tif 000695
：１つのＲＢに含まれるサブキャリア数。
【０１５３】
ここで、前記受信モジュール４３０は、ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、前記ＯＣＣ系列番号に基づき、ＯＣＣ系列番号に対応するＯＣＣ系列を特定するための第５特定ユニットと、前記ＣＳ値と前記ＯＣＣ系列に基づき、前記ＰＵＣＣＨを前記シンボルで受信するための第２受信ユニットとを含む。
【０１５４】
ここで、前記受信モジュール４３０は、前記ＰＵＣＣＨが伝送されるＲＢのＲＢ番号
【数６８８】
2020529810.tif 000696
を以下の第３公式で特定し、前記シンボルおよび前記ＲＢ番号に対応するＲＢで前記ＰＵＣＣＨを伝送し、または、周波数ホッピングが用いられると、前記ＰＵＣＣＨが伝送されるＲＢのＲＢ番号
【数６８９】
2020529810.tif 000697
を以下の第４公式で特定し、前記シンボルおよび前記ＲＢ番号に対応するＲＢで前記ＰＵＣＣＨを伝送するための第３受信ユニットを含む。
【数６９０】
2020529810.tif 000698
または、
【数６９１】
2020529810.tif 000699
（第３公式）
ここで、
【数６９２】
2020529810.tif 000700
または
【数６９３】
2020529810.tif 000701
【数６９４】
2020529810.tif 000702
または、
【数６９５】
2020529810.tif 000703
（第４公式）
ここで、
【数６９６】
2020529810.tif 000704
または
【数６９７】
2020529810.tif 000705
ここで、
【数６９８】
2020529810.tif 000706
：ＰＵＣＣＨが伝送されるＲＢのＲＢ番号；
【数６９９】
2020529810.tif 000707
：アンテナポート
【数７００】
2020529810.tif 000708
でのＰＵＣＣＨリソース番号；
【数７０１】
2020529810.tif 000709
：１つのＲＢに含まれるサブキャリア数；
【数７０２】
2020529810.tif 000710
：ハイレイヤシグナリングで事前に配置されたＣＳ間隔；
【数７０３】
2020529810.tif 000711
：アップリンク帯域幅またはアップリンク周波数ホッピング帯域幅；
【数７０４】
2020529810.tif 000712
：周波数ホッピング部分の番号；
【数７０５】
2020529810.tif 000713
：ハイレイヤシグナリングで事前に配置されたＰＵＣＣＨリソース開始位置であって、その値が０以上である；
【数７０６】
2020529810.tif 000714
、
【数７０７】
2020529810.tif 000715
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【０１５５】
ここで、前記ｃがＯＣＣ系列の数または長さに基づいて特定された値であることは、前記ｃは、異なるシンボル長のＰＵＣＣＨに対応するＯＣＣ系列の長さのうちの最大長さに基づいて特定され、または、異なるシンボル長のＰＵＣＣＨに対応するＯＣＣ系列の数うちの最大系列数に基づいて特定されること、または、前記ｃは、各種類のシンボル長のＰＵＣＣＨに対応するＯＣＣ系列の長さに基づいて特定され、または、各種類のシンボル長のＰＵＣＣＨに対応するＯＣＣ系列の数に基づいて特定されること、または、前記ｃは、同じ多重化容量を有するＰＵＣＣＨに対応するＯＣＣ系列の長さに基づいて特定され、または、同じ多重化容量を有するＰＵＣＣＨに対応するＯＣＣ系列の数に基づいて特定されることを含む。
【０１５６】
なお、当該基地局の実施例は、上記図２に示す実施例における方法に一対一に対応する端末であり、上記方法実施例におけるすべての実現方式が当該基地局の実施例に適用可能であり、同一の技術効果を奏することもできる。
【０１５７】
本開示の一部実施例は、メモリと、プロセッサと、前記メモリに記憶されて前記プロセッサで実行可能なコンピュータプログラムを含む端末をさらに提供する。前記プロセッサが前記プログラムを実行すると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで送信するステップとが実現される。
【０１５８】
具体的に、本実施例は、プロセッサ５１と、バスインタフェース５２を介して前記プロセッサ５１に接続され、前記プロセッサ５１による操作実行に用いられるプログラムとデータを記憶するためのメモリ５３とを含む端末を提供する。プロセッサ５１は、前記メモリ５３に記憶されているプログラムとデータを呼び出して実行すると、以下のプロセスを実行する。すなわち、プロセッサ５１によって、タイムユニットでＰＵＣＣＨに占められるシンボルを取得し、前記シンボルに対応するＣＳ値を特定する。
【０１５９】
ここで、トランシーバ５４は、バスインタフェース５２に接続され、プロセッサ５１による制御でデータを送受信し、具体的に、前記ＣＳ値に基づき、前記ＰＵＣＣＨを前記シンボルで送信することに用いられる。
【０１６０】
なお、図５において、バスアーキテクチャは、任意数の相互接続するバスとブリッジを含み、具体的に、プロセッサ５１をはじめとする１つ又は複数のプロセッサとメモリ５３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ５４は、複数の部品であってもよく、即ち送信機と受信機を含み、伝送媒体でほかの各種類の装置と通信するユニットとして提供される。ユーザ端末によっては、ユーザインタフェース５５は、内部接続や外部接続する機器のインタフェースであってもよい。接続する機器は、キーパッド、ディスプレイ、スピーカ、マイクロフォン、ジョイスティックなどを含むが、それらに限られない。プロセッサ５１は、バスアーキテクチャと通常の処理を管理する。メモリ５３は、プロセッサ５１による操作実行に使用されるデータを記憶できる。
【０１６１】
上記実施例を実現するすべてまたは一部のステップは、ハードウェアによって実現されてもよく、コンピュータプログラムで関連ハードウェアに指示して行ってもよい。前記のコンピュータプログラムは、上記方法の一部またはすべてのステップを実行する指令を含む。かつ当該コンピュータプログラムは、読み取り可能な記憶媒体に格納される。記憶媒体は、揮発性の記憶媒体または非揮発性の記憶媒体など、あらゆる形態の記憶媒体である。具体的に、本開示の一部実施例は、コンピュータプログラムが記憶されているコンピュータ読み取り可能な記憶媒体をさらに提供する。当該プログラムがプロセッサによって実行されると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで送信するステップとが実現される。
【０１６２】
本開示の一部実施例は、メモリと、プロセッサと、前記メモリに記憶されて前記プロセッサで実行可能なコンピュータプログラムを含む基地局をさらに提供する。前記プロセッサが前記プログラムを実行すると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで受信するステップとが実現される。
【０１６３】
具体的に、図６に示すように、本実施例は、プロセッサ６１と、バスインタフェース６２を介して前記プロセッサ６１に接続され、前記プロセッサ６１による操作実行に用いられるプログラムとデータを記憶するためのメモリ６３とを含む基地局を提供する。プロセッサ６１は、前記メモリ６３に記憶されているプログラムとデータを呼び出して実行すると、以下のプロセスを実行する。すなわち、プロセッサ６１によって、タイムユニットでＰＵＣＣＨに占められるシンボルを取得し、前記シンボルに対応するＣＳ値を特定する。
【０１６４】
ここで、トランシーバ６４は、バスインタフェース６２に接続され、プロセッサ６１による制御でデータを送受信し、具体的に、前記ＣＳ値に基づき、前記ＰＵＣＣＨを前記シンボルで受信することに用いられる。
【０１６５】
なお、図６において、バスアーキテクチャは、任意数の相互接続するバスとブリッジを含み、具体的に、プロセッサ６１をはじめとする１つ又は複数のプロセッサとメモリ６３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６４は、複数の部品であってもよく、即ち送信機と受信機を含み、伝送媒体でほかの各種類の装置と通信するユニットとして提供される。プロセッサ６１は、バスアーキテクチャと通常の処理を管理する。メモリ６３は、プロセッサ６１による操作実行に使用されるデータを記憶できる。
【０１６６】
上記実施例を実現するすべてまたは一部のステップは、ハードウェアによって実現されてもよく、コンピュータプログラムで関連ハードウェアに指示して行ってもよい。前記のコンピュータプログラムは、上記方法の一部またはすべてのステップを実行する指令を含む。かつ当該コンピュータプログラムは、読み取り可能な記憶媒体に格納される。記憶媒体は、揮発性の記憶媒体または非揮発性の記憶媒体など、あらゆる形態の記憶媒体である。具体的に、本開示の一部実施例は、コンピュータプログラムが記憶されているコンピュータ読み取り可能な記憶媒体をさらに提供する。当該プログラムがプロセッサによって実行されると、タイムユニットでＰＵＣＣＨに占められるシンボルを取得するステップと、前記シンボルに対応するＣＳ値を特定するステップと、前記ＣＳ値に基づき、前記ＰＵＣＣＨを前記シンボルで受信するステップとが実現される。
【０１６７】
以上記載されたのは、本開示の選択可能な実施形態である。なお、当業者は、本開示に記載されている原理を逸脱せずに様々な改良や修飾をすることもできる。これらの改良や修飾も、本開示の保護範囲内にある。
【図１】
2020529810.tif 001288
【図２】
2020529810.tif 001289
【図３】
2020529810.tif 001290
【図４】
2020529810.tif 001291
【図５】
2020529810.tif 001292
【図６】
2020529810.tif 001293
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
タイムユニットでＰＵＣＣＨ（Ｐｈｙｓｉｃａｌ  Ｕｐｌｉｎｋ  Ｃｏｎｔｒｏｌ  Ｃｈａｎｎｅｌ）に占められるシンボルを取得するステップと、
前記シンボルに対応するＣＳ（Ｃｙｃｌｉｃ  Ｓｈｉｆｔ）値を特定するステップと、
前記ＣＳ値に基づき、前記ＰＵＣＣＨを前記シンボルで送信するステップとを含む、情報伝送方法。
【請求項２】
前記シンボルに対応するＣＳ値を特定するステップは、
シンボルの番号と配置情報によって通知されるＰＵＣＣＨリソース番号に基づき、前記シンボルに対応するＣＳ値を特定するステップを含み、
ここで、前記ＣＳ値に基づき、前記ＰＵＣＣＨを前記シンボルで送信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで送信するステップとを含み、
または、
前記シンボルに対応するＣＳ値を特定するステップは、
配置シグナリングを受信し、前記配置シグナリングに基づいてＣＳ配置索引を得るステップと、
前記ＣＳ配置索引に基づき、前記シンボルに対応するＣＳ索引を特定するステップと、
前記シンボルに対応するＣＳ索引に基づき、前記シンボルに対応するＣＳ値を特定するステップとを含み、
ここで、前記ＣＳ値に基づき、前記ＰＵＣＣＨを前記シンボルで送信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで送信するステップとを含む、請求項１に記載の方法。
【請求項３】
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号およびタイムユニットの番号に基づき、以下の第１公式群によって、シンボルに対応するＣＳ値
【数１】
2020529810.tif 001294
を算出するステップ、または、
ＰＵＣＣＨリソース番号、シンボルの番号およびタイムユニットの番号に基づき、以下の第２公式群によって、シンボルに対応するＣＳ値
【数２】
2020529810.tif 001295
を算出するステップを含み、
または、
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号、タイムユニットの番号および周波数ホッピング部分の番号に基づき、以下の第３公式群によって、シンボルに対応するＣＳ値
【数３】
2020529810.tif 001296
を算出するステップ、
または、
ＰＵＣＣＨリソース番号、シンボルの番号、タイムユニットの番号および周波数ホッピング部分の番号に基づき、以下の第４公式群によって、シンボルに対応するＣＳ値
【数４】
2020529810.tif 001297
を算出するステップを含み、
または、
前記のシンボルの番号と配置情報によって通知されるＰＵＣＣＨリソース番号に基づき、前記シンボルに対応するＣＳ値を特定するステップは、
ＰＵＣＣＨリソース番号とシンボルの番号に基づき、以下の第５公式群によって、シンボルに対応するＣＳ値
【数５】
2020529810.tif 001298
を算出するステップ、
または、
ＰＵＣＣＨリソース番号とシンボルの番号に基づき、以下の第６公式群によって、シンボルに対応するＣＳ値
【数６】
2020529810.tif 001299
を算出するステップを含み、
または、
前記のシンボルの番号と配置情報によって通知されるＰＵＣＣＨリソース番号に基づき、前記シンボルに対応するＣＳ値を特定するステップは、
ＰＵＣＣＨリソース番号、シンボルの番号および周波数ホッピング部分の番号に基づき、以下の第７公式群によって、ＣＳ値
【数７】
2020529810.tif 001300
を算出するステップ、
または、
ＰＵＣＣＨリソース番号、シンボルの番号および周波数ホッピング部分の番号に基づき、以下の第８公式群によって、ＣＳ値
【数８】
2020529810.tif 001301
を算出するステップを含む、請求項２に記載の方法。
【数９】
2020529810.tif 001302
（第１公式群）
ここで、
【数１０】
2020529810.tif 001303
ここで、
【数１１】
2020529810.tif 001304
【数１２】
2020529810.tif 001305
【数１３】
2020529810.tif 001306
【数１４】
2020529810.tif 001307
（第２公式群）
ここで、
【数１５】
2020529810.tif 001308
ここで、
【数１６】
2020529810.tif 001309
【数１７】
2020529810.tif 001310
ここで、
【数１８】
2020529810.tif 001311
：シンボルに対応するＣＳ値；
【数１９】
2020529810.tif 001312
、
【数２０】
2020529810.tif 001313
、
【数２１】
2020529810.tif 001314
：中間パラメータ；
【数２２】
2020529810.tif 001315
：ＯＣＣ（Ｏｒｔｈｏｇｏｎａｌ  Ｃｏｖｅｒ  Ｃｏｄｅ）系列番号；
【数２３】
2020529810.tif 001316
：疑似乱数列；
【数２４】
2020529810.tif 001317
：アンテナポート
【数２５】
2020529810.tif 001318
でのＰＵＣＣＨリソース番号；
【数２６】
2020529810.tif 001319
：余りを求める関数；
【数２７】
2020529810.tif 001320
：１つのＲＢに含まれるサブキャリア数；
【数２８】
2020529810.tif 001321
：ハイレイヤシグナリングで事前に配置されたＣＳ間隔；
【数２９】
2020529810.tif 001322
：１つのタイムユニットに含まれるシンボル数；
【数３０】
2020529810.tif 001323
：タイムユニットの番号；
【数３１】
2020529810.tif 001324
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数３２】
2020529810.tif 001325
（第３公式群）
ここで、
【数３３】
2020529810.tif 001326
ここで、
【数３４】
2020529810.tif 001327
【数３５】
2020529810.tif 001328
周波数ホッピングが用いられると、前記タイムユニットに２つの周波数ホッピング部分を含むのであれば、１つ目の周波数ホッピング部分に対し、または、
【数３６】
2020529810.tif 001329
＝０の場合、
【数３７】
2020529810.tif 001330
２つ目の周波数ホッピング部分に対し、または、
【数３８】
2020529810.tif 001331
＝１の場合、
【数３９】
2020529810.tif 001332
【数４０】
2020529810.tif 001333
（第４公式群）
ここで、
【数４１】
2020529810.tif 001334
ここで、
【数４２】
2020529810.tif 001335
周波数ホッピングが用いられると、前記タイムユニットに２つの周波数ホッピング部分を含むのであれば、１つ目の周波数ホッピング部分に対し、または、
【数４３】
2020529810.tif 001336
＝０の場合、
【数４４】
2020529810.tif 001337
２つ目の周波数ホッピング部分に対し、または、
【数４５】
2020529810.tif 001338
＝１の場合、
【数４６】
2020529810.tif 001339
ここで、
【数４７】
2020529810.tif 001340
：シンボルに対応するＣＳ値；
【数４８】
2020529810.tif 001341
、
【数４９】
2020529810.tif 001342
、
【数５０】
2020529810.tif 001343
：中間パラメータ；
【数５１】
2020529810.tif 001344
：ＯＣＣ系列番号；
【数５２】
2020529810.tif 001345
：疑似乱数列；
【数５３】
2020529810.tif 001346
：アンテナポート
【数５４】
2020529810.tif 001347
でのＰＵＣＣＨリソース番号；
【数５５】
2020529810.tif 001348
：余りを求める関数；
【数５６】
2020529810.tif 001349
：１つのＲＢに含まれるサブキャリア数；
【数５７】
2020529810.tif 001350
：ハイレイヤシグナリングで事前に配置されたＣＳ間隔；
【数５８】
2020529810.tif 001351
：１つのタイムユニットに含まれるシンボル数；
【数５９】
2020529810.tif 001352
：周波数ホッピング部分の番号；
【数６０】
2020529810.tif 001353
：タイムユニットの番号；
【数６１】
2020529810.tif 001354
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数６２】
2020529810.tif 001355
（第５公式群）
ここで、
【数６３】
2020529810.tif 001356
ここで、
【数６４】
2020529810.tif 001357
【数６５】
2020529810.tif 001358
【数６６】
2020529810.tif 001359
【数６７】
2020529810.tif 001360
（第６公式群）
ここで、
【数６８】
2020529810.tif 001361
ここで、
【数６９】
2020529810.tif 001362
【数７０】
2020529810.tif 001363
ここで、
【数７１】
2020529810.tif 001364
：シンボルに対応するＣＳ値；
【数７２】
2020529810.tif 001365
、
【数７３】
2020529810.tif 001366
、
【数７４】
2020529810.tif 001367
：中間パラメータ；
【数７５】
2020529810.tif 001368
：ＯＣＣ系列番号；
【数７６】
2020529810.tif 001369
：疑似乱数列；
【数７７】
2020529810.tif 001370
：アンテナポート
【数７８】
2020529810.tif 001371
でのＰＵＣＣＨリソース番号；
【数７９】
2020529810.tif 001372
：余りを求める関数；
【数８０】
2020529810.tif 001373
：１つのＲＢに含まれるサブキャリア数；
【数８１】
2020529810.tif 001374
：ハイレイヤシグナリングで事前に配置されたＣＳ間隔；
【数８２】
2020529810.tif 001375
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数８３】
2020529810.tif 001376
（第７公式群）
ここで、
【数８４】
2020529810.tif 001377
ここで、
【数８５】
2020529810.tif 001378
【数８６】
2020529810.tif 001379
周波数ホッピングが用いられると、前記タイムユニットに２つの周波数ホッピング部分を含むのであれば、１つ目の周波数ホッピング部分に対し、または、
【数８７】
2020529810.tif 001380
＝０の場合、
【数８８】
2020529810.tif 001381
２つ目の周波数ホッピング部分に対し、または、
【数８９】
2020529810.tif 001382
＝１の場合、
【数９０】
2020529810.tif 001383
【数９１】
2020529810.tif 001384
（第８公式群）
ここで、
【数９２】
2020529810.tif 001385
ここで、
【数９３】
2020529810.tif 001386
周波数ホッピングが用いられると、前記タイムユニットに２つの周波数ホッピング部分を含むのであれば、１つ目の周波数ホッピング部分に対し、または、
【数９４】
2020529810.tif 001387
＝０の場合、
【数９５】
2020529810.tif 001388
２つ目の周波数ホッピング部分に対し、または、
【数９６】
2020529810.tif 001389
＝１の場合、
【数９７】
2020529810.tif 001390
ここで、
【数９８】
2020529810.tif 001391
：シンボルに対応するＣＳ値；
【数９９】
2020529810.tif 001392
、
【数１００】
2020529810.tif 001393
、
【数１０１】
2020529810.tif 001394
：中間パラメータ；
【数１０２】
2020529810.tif 001395
：ＯＣＣ系列番号；
【数１０３】
2020529810.tif 001396
：疑似乱数列；
【数１０４】
2020529810.tif 001397
：アンテナポート
【数１０５】
2020529810.tif 001398
でのＰＵＣＣＨリソース番号；
【数１０６】
2020529810.tif 001399
：余りを求める関数；
【数１０７】
2020529810.tif 001400
：１つのＲＢに含まれるサブキャリア数；
【数１０８】
2020529810.tif 001401
：ハイレイヤシグナリングで事前に配置されたＣＳ間隔；
【数１０９】
2020529810.tif 001402
：周波数ホッピング部分の番号；
【数１１０】
2020529810.tif 001403
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項４】
前記ＣＳ配置索引に基づき、前記シンボルに対応するＣＳ索引を特定するステップは、
前記ＣＳ配置索引および前記シンボルの番号に基づき、以下の第１公式によって、前記シンボルに対応するＣＳ索引
【数１１１】
2020529810.tif 001404
を算出するステップを含み、
または、
前記ＣＳ配置索引に基づき、前記シンボルに対応するＣＳ索引を特定するステップは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定するステップを含み、
または
前記シンボルに対応するＣＳ索引に基づき、前記シンボルに対応するＣＳ値を特定するステップは、
前記シンボルに対応するＣＳ索引に基づき、以下の第２公式によって、前記シンボルに対応するＣＳ値
【数１１２】
2020529810.tif 001405
を算出するステップを含む、請求項２に記載の方法。
【数１１３】
2020529810.tif 001406
（第１公式）
ここで、
【数１１４】
2020529810.tif 001407
：シンボルに対応するＣＳ索引；
【数１１５】
2020529810.tif 001408
：前記ＣＳ配置索引；
【数１１６】
2020529810.tif 001409
：シンボルの番号であって、その範囲が０〜
【数１１７】
2020529810.tif 001410
であり、ここで、
【数１１８】
2020529810.tif 001411
が１つのタイムユニットに含まれるシンボル数を示す；
ｋ：係数であって、１以上の正整数である；
【数１１９】
2020529810.tif 001412
：１つのＲＢに含まれるサブキャリア数；
Ｍｏｄ：余りを求める関数、
【数１２０】
2020529810.tif 001413
（第２公式）
ここで、
【数１２１】
2020529810.tif 001414
：前記シンボルに対応するＣＳ値；
【数１２２】
2020529810.tif 001415
：前記シンボルに対応するＣＳ索引；
【数１２３】
2020529810.tif 001416
：１つのＲＢに含まれるサブキャリア数。
【請求項５】
前記ＣＳ値に基づき、ＰＵＣＣＨを前記シンボルで送信するステップは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するステップと、
前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで送信するステップとを含む、請求項２に記載の方法。
【請求項６】
前記ＣＳ値に基づき、ＰＵＣＣＨを前記シンボルで送信するステップは、
前記ＰＵＣＣＨが伝送されるＲＢのＲＢ番号
【数１２４】
2020529810.tif 001417
を以下の第３公式で特定し、前記シンボルおよび前記ＲＢ番号に対応するＲＢで前記ＰＵＣＣＨを送信するステップ、
または、周波数ホッピングが用いられると、前記ＰＵＣＣＨが伝送されるＲＢのＲＢ番号
【数１２５】
2020529810.tif 001418
を以下の第４公式で特定し、前記シンボルおよび前記ＲＢ番号に対応するＲＢで前記ＰＵＣＣＨを送信するステップを含む、請求項１に記載の方法。
【数１２６】
2020529810.tif 001419
または、
【数１２７】
2020529810.tif 001420
（第３公式）
ここで、
【数１２８】
2020529810.tif 001421
または
【数１２９】
2020529810.tif 001422
【数１３０】
2020529810.tif 001423
または、
【数１３１】
2020529810.tif 001424
（第４公式）
ここで、
【数１３２】
2020529810.tif 001425
または
【数１３３】
2020529810.tif 001426
ここで、
【数１３４】
2020529810.tif 001427
：ＰＵＣＣＨが伝送されるＲＢのＲＢ番号；
【数１３５】
2020529810.tif 001428
：アンテナポート
【数１３６】
2020529810.tif 001429
でのＰＵＣＣＨリソース番号；
【数１３７】
2020529810.tif 001430
：１つのＲＢに含まれるサブキャリア数；
【数１３８】
2020529810.tif 001431
：ハイレイヤシグナリングで事前に配置されたＣＳ間隔；
【数１３９】
2020529810.tif 001432
：アップリンク帯域幅またはアップリンク周波数ホッピング帯域幅；
【数１４０】
2020529810.tif 001433
：周波数ホッピング部分の番号；
【数１４１】
2020529810.tif 001434
：ハイレイヤシグナリングで事前に配置されたＰＵＣＣＨリソース開始位置であって、その値が０以上である；
【数１４２】
2020529810.tif 001435
、
【数１４３】
2020529810.tif 001436
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項７】
タイムユニットでＰＵＣＣＨに占められるシンボルを取得するステップと、
前記シンボルに対応するＣＳ値を特定するステップと、
前記ＣＳ値に基づき、前記ＰＵＣＣＨを前記シンボルで受信するステップとを含む、情報伝送方法。
【請求項８】
前記シンボルに対応するＣＳ値を特定するステップは、
シンボルの番号と、配置情報によって端末に通知されるＰＵＣＣＨリソース番号に基づき、前記シンボルに対応するＣＳ値を特定するステップを含み、
ここで、
前記ＣＳ値に基づき、前記ＰＵＣＣＨを前記シンボルで受信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで受信するステップとを含み、
または、
前記シンボルに対応するＣＳ値を特定するステップは、
ＣＳ配置索引を特定し、前記ＣＳ配置索引を配置シグナリングによって端末に通知するステップと、
前記ＣＳ配置索引に基づき、前記シンボルに対応するＣＳ索引を特定するステップと、
前記シンボルに対応するＣＳ索引に基づき、前記シンボルに対応するＣＳ値を特定するステップとを含み、
ここで、
前記ＣＳ値に基づき、前記ＰＵＣＣＨを前記シンボルで受信するステップは、
ＯＣＣ系列の使用を特定すると、前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで受信するステップとを含む、請求項７に記載の方法。
【請求項９】
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号およびタイムユニットの番号に基づき、以下の第１公式群によって、シンボルに対応するＣＳ値
【数１４４】
2020529810.tif 001437
を算出するステップ、または、
ＰＵＣＣＨリソース番号、シンボルの番号およびタイムユニットの番号に基づき、以下の第２公式群によって、シンボルに対応するＣＳ値
【数１４５】
2020529810.tif 001438
を算出するステップを含み、
または
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号、タイムユニットの番号および周波数ホッピング部分の番号に基づき、以下の第３公式群によって、シンボルに対応するＣＳ値
【数１４６】
2020529810.tif 001439
を算出するステップ、または、
ＰＵＣＣＨリソース番号、シンボルの番号、タイムユニットの番号および周波数ホッピング部分の番号に基づき、以下の第４公式群によって、シンボルに対応するＣＳ値
【数１４７】
2020529810.tif 001440
を算出するステップを含み、
または
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号とシンボルの番号に基づき、以下の第５公式群によって、シンボルに対応するＣＳ値
【数１４８】
2020529810.tif 001441
を算出するステップ、または、
ＰＵＣＣＨリソース番号とシンボルの番号に基づき、以下の第６公式群によって、シンボルに対応するＣＳ値
【数１４９】
2020529810.tif 001442
を算出するステップを含み、
または、
前記のシンボルの番号と、配置情報によって端末に通知されるＰＵＣＣＨリソース番号に基づき、前記シンボルに対応するＣＳ値を特定するステップは、
ＰＵＣＣＨリソース番号を特定し、配置情報によって端末に通知するステップと、
ＰＵＣＣＨリソース番号、シンボルの番号および周波数ホッピング部分の番号に基づき、以下の第７公式群によって、ＣＳ値
【数１５０】
2020529810.tif 001443
を算出するステップ、
または、
ＰＵＣＣＨリソース番号、シンボルの番号および周波数ホッピング部分の番号に基づき、以下の第８公式群によって、ＣＳ値
【数１５１】
2020529810.tif 001444
を算出するステップを含み、請求項８に記載の方法。
【数１５２】
2020529810.tif 001445
（第１公式群）
ここで、
【数１５３】
2020529810.tif 001446
ここで、
【数１５４】
2020529810.tif 001447
【数１５５】
2020529810.tif 001448
【数１５６】
2020529810.tif 001449
【数１５７】
2020529810.tif 001450
（第２公式群）
ここで、
【数１５８】
2020529810.tif 001451
ここで、
【数１５９】
2020529810.tif 001452
【数１６０】
2020529810.tif 001453
ここで、
【数１６１】
2020529810.tif 001454
：シンボルに対応するＣＳ値；
【数１６２】
2020529810.tif 001455
、
【数１６３】
2020529810.tif 001456
、
【数１６４】
2020529810.tif 001457
：中間パラメータ；
【数１６５】
2020529810.tif 001458
：ＯＣＣ系列番号；
【数１６６】
2020529810.tif 001459
：疑似乱数列；
【数１６７】
2020529810.tif 001460
：アンテナポート
【数１６８】
2020529810.tif 001461
でのＰＵＣＣＨリソース番号；
【数１６９】
2020529810.tif 001462
：余りを求める関数；
【数１７０】
2020529810.tif 001463
：１つのＲＢに含まれるサブキャリア数；
【数１７１】
2020529810.tif 001464
：ハイレイヤシグナリングで事前に配置されたＣＳ間隔；
【数１７２】
2020529810.tif 001465
：１つのタイムユニットに含まれるシンボル数；
【数１７３】
2020529810.tif 001466
：タイムユニットの番号；
【数１７４】
2020529810.tif 001467
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数１７５】
2020529810.tif 001468
（第３公式群）
ここで、
【数１７６】
2020529810.tif 001469
ここで、
【数１７７】
2020529810.tif 001470
【数１７８】
2020529810.tif 001471
周波数ホッピングが用いられると、前記タイムユニットに２つの周波数ホッピング部分を含むのであれば、１つ目の周波数ホッピング部分に対し、または、
【数１７９】
2020529810.tif 001472
＝０の場合、
【数１８０】
2020529810.tif 001473
２つ目の周波数ホッピング部分に対し、または、
【数１８１】
2020529810.tif 001474
＝１の場合、
【数１８２】
2020529810.tif 001475
【数１８３】
2020529810.tif 001476
（第４公式群）
ここで、
【数１８４】
2020529810.tif 001477
ここで、
【数１８５】
2020529810.tif 001478
周波数ホッピングが用いられると、前記タイムユニットに２つの周波数ホッピング部分を含むのであれば、１つ目の周波数ホッピング部分に対し、または、
【数１８６】
2020529810.tif 001479
＝０の場合、
【数１８７】
2020529810.tif 001480
２つ目の周波数ホッピング部分に対し、または、
【数１８８】
2020529810.tif 001481
＝１の場合、
【数１８９】
2020529810.tif 001482
ここで、
【数１９０】
2020529810.tif 001483
：シンボルに対応するＣＳ値；
【数１９１】
2020529810.tif 001484
、
【数１９２】
2020529810.tif 001485
、
【数１９３】
2020529810.tif 001486
：中間パラメータ；
【数１９４】
2020529810.tif 001487
：ＯＣＣ系列番号；
【数１９５】
2020529810.tif 001488
：疑似乱数列；
【数１９６】
2020529810.tif 001489
：アンテナポート
【数１９７】
2020529810.tif 001490
でのＰＵＣＣＨリソース番号；
【数１９８】
2020529810.tif 001491
：余りを求める関数；
【数１９９】
2020529810.tif 001492
：１つのＲＢに含まれるサブキャリア数；
【数２００】
2020529810.tif 001493
：ハイレイヤシグナリングで事前に配置されたＣＳ間隔；
【数２０１】
2020529810.tif 001494
：１つのタイムユニットに含まれるシンボル数；
【数２０２】
2020529810.tif 001495
：周波数ホッピング部分の番号；
【数２０３】
2020529810.tif 001496
：タイムユニットの番号；
【数２０４】
2020529810.tif 001497
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数２０５】
2020529810.tif 001498
（第５公式群）
ここで、
【数２０６】
2020529810.tif 001499
ここで、
【数２０７】
2020529810.tif 001500
【数２０８】
2020529810.tif 001501
【数２０９】
2020529810.tif 001502
【数２１０】
2020529810.tif 001503
（第６公式群）
ここで、
【数２１１】
2020529810.tif 001504
ここで、
【数２１２】
2020529810.tif 001505
【数２１３】
2020529810.tif 001506
ここで、
【数２１４】
2020529810.tif 001507
：シンボルに対応するＣＳ値；
【数２１５】
2020529810.tif 001508
、
【数２１６】
2020529810.tif 001509
、
【数２１７】
2020529810.tif 001510
：中間パラメータ；
【数２１８】
2020529810.tif 001511
：ＯＣＣ系列番号；
【数２１９】
2020529810.tif 001512
：疑似乱数列；
【数２２０】
2020529810.tif 001513
：アンテナポート
【数２２１】
2020529810.tif 001514
でのＰＵＣＣＨリソース番号；
【数２２２】
2020529810.tif 001515
：余りを求める関数；
【数２２３】
2020529810.tif 001516
：１つのＲＢに含まれるサブキャリア数；
【数２２４】
2020529810.tif 001517
：ハイレイヤシグナリングで事前に配置されたＣＳ間隔；
【数２２５】
2020529810.tif 001518
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数２２６】
2020529810.tif 001519
（第７公式群）
ここで、
【数２２７】
2020529810.tif 001520
ここで、
【数２２８】
2020529810.tif 001521
【数２２９】
2020529810.tif 001522
周波数ホッピングが用いられると、前記タイムユニットに２つの周波数ホッピング部分を含むのであれば、１つ目の周波数ホッピング部分に対し、または、
【数２３０】
2020529810.tif 001523
＝０の場合、
【数２３１】
2020529810.tif 001524
２つ目の周波数ホッピング部分に対し、または、
【数２３２】
2020529810.tif 001525
＝１の場合、
【数２３３】
2020529810.tif 001526
【数２３４】
2020529810.tif 001527
（第８公式群）
ここで、
【数２３５】
2020529810.tif 001528
ここで、
【数２３６】
2020529810.tif 001529
周波数ホッピングが用いられると、前記タイムユニットに２つの周波数ホッピング部分を含むのであれば、１つ目の周波数ホッピング部分に対し、または、
【数２３７】
2020529810.tif 001530
＝０の場合、
【数２３８】
2020529810.tif 001531
２つ目の周波数ホッピング部分に対し、または、
【数２３９】
2020529810.tif 001532
＝１の場合、
【数２４０】
2020529810.tif 001533
ここで、
【数２４１】
2020529810.tif 001534
：シンボルに対応するＣＳ値；
【数２４２】
2020529810.tif 001535
、
【数２４３】
2020529810.tif 001536
、
【数２４４】
2020529810.tif 001537
：中間パラメータ；
【数２４５】
2020529810.tif 001538
：ＯＣＣ系列番号；
【数２４６】
2020529810.tif 001539
：疑似乱数列；
【数２４７】
2020529810.tif 001540
：アンテナポート
【数２４８】
2020529810.tif 001541
でのＰＵＣＣＨリソース番号；
【数２４９】
2020529810.tif 001542
：余りを求める関数；
【数２５０】
2020529810.tif 001543
：１つのＲＢに含まれるサブキャリア数；
【数２５１】
2020529810.tif 001544
：ハイレイヤシグナリングで事前に配置されたＣＳ間隔；
【数２５２】
2020529810.tif 001545
：周波数ホッピング部分の番号；
【数２５３】
2020529810.tif 001546
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１０】
前記ＣＳ配置索引に基づき、前記シンボルに対応するＣＳ索引を特定するステップは、
前記ＣＳ配置索引および前記シンボルの番号に基づき、以下の第１公式によって、前記シンボルに対応するＣＳ索引
【数２５４】
2020529810.tif 001547
を算出するステップを含み、
または、
前記ＣＳ配置索引に基づき、前記シンボルに対応するＣＳ索引を特定するステップは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定するステップを含み、
または、
前記シンボルに対応するＣＳ索引に基づき、前記シンボルに対応するＣＳ値を特定するステップは、
前記シンボルに対応するＣＳ索引に基づき、以下の第２公式によって、前記シンボルに対応するＣＳ値
【数２５５】
2020529810.tif 001548
を算出するステップを含む、請求項８に記載の方法。
【数２５６】
2020529810.tif 001549
（第１公式）
ここで、
【数２５７】
2020529810.tif 001550
：シンボルに対応するＣＳ索引；
【数２５８】
2020529810.tif 001551
：前記ＣＳ配置索引；
【数２５９】
2020529810.tif 001552
：シンボルの番号であって、その範囲が０〜
【数２６０】
2020529810.tif 001553
であり、ここで、
【数２６１】
2020529810.tif 001554
が１つのタイムユニットに含まれるシンボル数を示す；
ｋ：係数であって、１以上の正整数である；
【数２６２】
2020529810.tif 001555
：１つのＲＢに含まれるサブキャリア数；
Ｍｏｄ：余りを求める関数、
【数２６３】
2020529810.tif 001556
（第２公式）
ここで、
【数２６４】
2020529810.tif 001557
：前記シンボルに対応するＣＳ値；
【数２６５】
2020529810.tif 001558
：前記シンボルに対応するＣＳ索引；
【数２６６】
2020529810.tif 001559
：１つのＲＢに含まれるサブキャリア数。
【請求項１１】
前記ＣＳ値に基づき、前記ＰＵＣＣＨを前記シンボルで受信するステップは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するステップと、
前記ＯＣＣ系列番号に基づき、ＯＣＣ系列番号に対応するＯＣＣ系列を特定するステップと、
前記ＣＳ値と前記ＯＣＣ系列に基づき、前記ＰＵＣＣＨを前記シンボルで受信するステップとを含む、請求項８に記載の方法。
【請求項１２】
前記ＣＳ値に基づき、前記ＰＵＣＣＨを前記シンボルで受信するステップは、
前記ＰＵＣＣＨが伝送されるＲＢのＲＢ番号
【数２６７】
2020529810.tif 001560
を以下の第３公式で特定し、前記シンボルおよび前記ＲＢ番号に対応するＲＢで前記ＰＵＣＣＨを送信するステップ、
または、周波数ホッピングが用いられると、前記ＰＵＣＣＨが伝送されるＲＢのＲＢ番号
【数２６８】
2020529810.tif 001561
を以下の第４公式で特定し、前記シンボルおよび前記ＲＢ番号に対応するＲＢで前記ＰＵＣＣＨを送信するステップを含む、請求項７に記載の方法。
【数２６９】
2020529810.tif 001562
または、
【数２７０】
2020529810.tif 001563
（第３公式）
ここで、
【数２７１】
2020529810.tif 001564
または
【数２７２】
2020529810.tif 001565
【数２７３】
2020529810.tif 001566
または、
【数２７４】
2020529810.tif 001567
（第４公式）
ここで、
【数２７５】
2020529810.tif 001568
または
【数２７６】
2020529810.tif 001569
ここで、
【数２７７】
2020529810.tif 001570
：ＰＵＣＣＨが伝送されるＲＢのＲＢ番号；
【数２７８】
2020529810.tif 001571
：アンテナポート
【数２７９】
2020529810.tif 001572
でのＰＵＣＣＨリソース番号；
【数２８０】
2020529810.tif 001573
：１つのＲＢに含まれるサブキャリア数；
【数２８１】
2020529810.tif 001574
：ハイレイヤシグナリングで事前に配置されたＣＳ間隔；
【数２８２】
2020529810.tif 001575
：アップリンク帯域幅またはアップリンク周波数ホッピング帯域幅；
【数２８３】
2020529810.tif 001576
：周波数ホッピング部分の番号；
【数２８４】
2020529810.tif 001577
：ハイレイヤシグナリングで事前に配置されたＰＵＣＣＨリソース開始位置であって、その値が０以上である；
【数２８５】
2020529810.tif 001578
、
【数２８６】
2020529810.tif 001579
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１３】
タイムユニットでＰＵＣＣＨに占められるシンボルを取得するための取得モジュールと、
前記シンボルに対応するＣＳ値を特定するための特定モジュールと、
前記ＣＳ値に基づき、前記ＰＵＣＣＨを前記シンボルで送信するための送信モジュールとを含む、端末。
【請求項１４】
前記特定モジュールは、
シンボルの番号と配置情報によって通知されるＰＵＣＣＨリソース番号に基づき、前記シンボルに対応するＣＳ値を特定するための第１特定ユニットを含み、
ここで、
前記送信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで送信するための第１送信ユニットとを含み、
または、
前記第２特定ユニットは、
配置シグナリングを受信し、前記配置シグナリングに基づいてＣＳ配置索引を得るための受信サブユニットと、
前記ＣＳ配置索引に基づき、前記シンボルに対応するＣＳ索引を特定するための第１特定サブユニットと、
前記シンボルに対応するＣＳ索引に基づき、前記シンボルに対応するＣＳ値を特定するための第２特定サブユニットとを含み、
ここで、
前記送信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで送信するための第１送信ユニットとを含む、請求項１３に記載の端末。
【請求項１５】
前記第１特定ユニットは、
ＰＵＣＣＨリソース番号、シンボルの番号およびタイムユニットの番号に基づき、以下の第１公式群によって、シンボルに対応するＣＳ値
【数２８７】
2020529810.tif 001580
を算出すること、または、
ＰＵＣＣＨリソース番号、シンボルの番号およびタイムユニットの番号に基づき、以下の第２公式群によって、シンボルに対応するＣＳ値
【数２８８】
2020529810.tif 001581
を算出することに用いられ、
または
前記第１特定ユニットは、
ＰＵＣＣＨリソース番号、シンボルの番号、タイムユニットの番号および周波数ホッピング部分の番号に基づき、以下の第３公式群によって、シンボルに対応するＣＳ値
【数２８９】
2020529810.tif 001582
を算出すること、または、
ＰＵＣＣＨリソース番号、シンボルの番号、タイムユニットの番号および周波数ホッピング部分の番号に基づき、以下の第４公式群によって、シンボルに対応するＣＳ値
【数２９０】
2020529810.tif 001583
を算出することに用いられ、
または
前記第１特定ユニットは、
ＰＵＣＣＨリソース番号とシンボルの番号に基づき、以下の第５公式群によって、シンボルに対応するＣＳ値
【数２９１】
2020529810.tif 001584
を算出すること、または、
ＰＵＣＣＨリソース番号とシンボルの番号に基づき、以下の第６公式群によって、シンボルに対応するＣＳ値
【数２９２】
2020529810.tif 001585
を算出することに用いられ、
または、
前記第１特定ユニットは、
ＰＵＣＣＨリソース番号、シンボルの番号および周波数ホッピング部分の番号に基づき、以下の第７公式群によって、ＣＳ値
【数２９３】
2020529810.tif 001586
を算出すること、または、
ＰＵＣＣＨリソース番号、シンボルの番号および周波数ホッピング部分の番号に基づき、以下の第８公式群によって、ＣＳ値
【数２９４】
2020529810.tif 001587
を算出することに用いられる、請求項１４に記載の端末。
【数２９５】
2020529810.tif 001588
（第１公式群）
ここで、
【数２９６】
2020529810.tif 001589
ここで、
【数２９７】
2020529810.tif 001590
【数２９８】
2020529810.tif 001591
【数２９９】
2020529810.tif 001592
【数３００】
2020529810.tif 001593
（第２公式群）
ここで、
【数３０１】
2020529810.tif 001594
ここで、
【数３０２】
2020529810.tif 001595
【数３０３】
2020529810.tif 001596
ここで、
【数３０４】
2020529810.tif 001597
：シンボルに対応するＣＳ値；
【数３０５】
2020529810.tif 001598
、
【数３０６】
2020529810.tif 001599
、
【数３０７】
2020529810.tif 001600
：中間パラメータ；
【数３０８】
2020529810.tif 001601
：ＯＣＣ系列番号；
【数３０９】
2020529810.tif 001602
：疑似乱数列；
【数３１０】
2020529810.tif 001603
：アンテナポート
【数３１１】
2020529810.tif 001604
でのＰＵＣＣＨリソース番号；
【数３１２】
2020529810.tif 001605
：余りを求める関数；
【数３１３】
2020529810.tif 001606
：１つのＲＢに含まれるサブキャリア数；
【数３１４】
2020529810.tif 001607
：ハイレイヤシグナリングで事前に配置されたＣＳ間隔；
【数３１５】
2020529810.tif 001608
：１つのタイムユニットに含まれるシンボル数；
【数３１６】
2020529810.tif 001609
：タイムユニットの番号；
【数３１７】
2020529810.tif 001610
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数３１８】
2020529810.tif 001611
（第３公式群）
ここで、
【数３１９】
2020529810.tif 001612
ここで、
【数３２０】
2020529810.tif 001613
【数３２１】
2020529810.tif 001614
周波数ホッピングが用いられると、前記タイムユニットに２つの周波数ホッピング部分を含むのであれば、１つ目の周波数ホッピング部分に対し、または、
【数３２２】
2020529810.tif 001615
＝０の場合、
【数３２３】
2020529810.tif 001616
２つ目の周波数ホッピング部分に対し、または、
【数３２４】
2020529810.tif 001617
＝１の場合、
【数３２５】
2020529810.tif 001618
【数３２６】
2020529810.tif 001619
（第４公式群）
ここで、
【数３２７】
2020529810.tif 001620
ここで、
【数３２８】
2020529810.tif 001621
周波数ホッピングが用いられると、前記タイムユニットに２つの周波数ホッピング部分を含むのであれば、１つ目の周波数ホッピング部分に対し、または、
【数３２９】
2020529810.tif 001622
＝０の場合、
【数３３０】
2020529810.tif 001623
２つ目の周波数ホッピング部分に対し、または、
【数３３１】
2020529810.tif 001624
＝１の場合、
【数３３２】
2020529810.tif 001625
ここで、
【数３３３】
2020529810.tif 001626
：シンボルに対応するＣＳ値；
【数３３４】
2020529810.tif 001627
、
【数３３５】
2020529810.tif 001628
、
【数３３６】
2020529810.tif 001629
：中間パラメータ；
【数３３７】
2020529810.tif 001630
：ＯＣＣ系列番号；
【数３３８】
2020529810.tif 001631
：疑似乱数列；
【数３３９】
2020529810.tif 001632
：アンテナポート
【数３４０】
2020529810.tif 001633
でのＰＵＣＣＨリソース番号；
【数３４１】
2020529810.tif 001634
：余りを求める関数；
【数３４２】
2020529810.tif 001635
：１つのＲＢに含まれるサブキャリア数；
【数３４３】
2020529810.tif 001636
：ハイレイヤシグナリングで事前に配置されたＣＳ間隔；
【数３４４】
2020529810.tif 001637
：１つのタイムユニットに含まれるシンボル数；
【数３４５】
2020529810.tif 001638
：周波数ホッピング部分の番号；
【数３４６】
2020529810.tif 001639
：タイムユニットの番号；
【数３４７】
2020529810.tif 001640
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である、
【数３４８】
2020529810.tif 001641
（第５公式群）
ここで、      
【数３４９】
2020529810.tif 001642
ここで、
【数３５０】
2020529810.tif 001643
【数３５１】
2020529810.tif 001644
【数３５２】
2020529810.tif 001645
【数３５３】
2020529810.tif 001646
（第６公式群）
ここで、
【数３５４】
2020529810.tif 001647
ここで、
【数３５５】
2020529810.tif 001648
【数３５６】
2020529810.tif 001649
ここで、
【数３５７】
2020529810.tif 001650
：シンボルに対応するＣＳ値；
【数３５８】
2020529810.tif 001651
、
【数３５９】
2020529810.tif 001652
、
【数３６０】
2020529810.tif 001653
：中間パラメータ；
【数３６１】
2020529810.tif 001654
：ＯＣＣ系列番号；
【数３６２】
2020529810.tif 001655
：疑似乱数列；
【数３６３】
2020529810.tif 001656
：アンテナポート
【数３６４】
2020529810.tif 001657
でのＰＵＣＣＨリソース番号；
【数３６５】
2020529810.tif 001658
：余りを求める関数；
【数３６６】
2020529810.tif 001659
：１つのＲＢに含まれるサブキャリア数；
【数３６７】
2020529810.tif 001660
：ハイレイヤシグナリングで事前に配置されたＣＳ間隔；
【数３６８】
2020529810.tif 001661
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数３６９】
2020529810.tif 001662
（第７公式群）
ここで、
【数３７０】
2020529810.tif 001663
ここで、
【数３７１】
2020529810.tif 001664
【数３７２】
2020529810.tif 001665
周波数ホッピングが用いられると、前記タイムユニットに２つの周波数ホッピング部分を含むのであれば、１つ目の周波数ホッピング部分に対し、または、
【数３７３】
2020529810.tif 001666
＝０の場合、
【数３７４】
2020529810.tif 001667
２つ目の周波数ホッピング部分に対し、または、
【数３７５】
2020529810.tif 001668
＝１の場合、
【数３７６】
2020529810.tif 001669
【数３７７】
2020529810.tif 001670
（第８公式群）
ここで、
【数３７８】
2020529810.tif 001671
ここで、
【数３７９】
2020529810.tif 001672
周波数ホッピングが用いられると、前記タイムユニットに２つの周波数ホッピング部分を含むのであれば、１つ目の周波数ホッピング部分に対し、または、
【数３８０】
2020529810.tif 001673
＝０の場合、
【数３８１】
2020529810.tif 001674
２つ目の周波数ホッピング部分に対し、または、
【数３８２】
2020529810.tif 001675
＝１の場合、
【数３８３】
2020529810.tif 001676
ここで、
【数３８４】
2020529810.tif 001677
：シンボルに対応するＣＳ値；
【数３８５】
2020529810.tif 001678
、
【数３８６】
2020529810.tif 001679
、
【数３８７】
2020529810.tif 001680
：中間パラメータ；
【数３８８】
2020529810.tif 001681
：ＯＣＣ系列番号；
【数３８９】
2020529810.tif 001682
：疑似乱数列；
【数３９０】
2020529810.tif 001683
：アンテナポート
【数３９１】
2020529810.tif 001684
でのＰＵＣＣＨリソース番号；
【数３９２】
2020529810.tif 001685
：余りを求める関数；
【数３９３】
2020529810.tif 001686
：１つのＲＢに含まれるサブキャリア数；
【数３９４】
2020529810.tif 001687
：ハイレイヤシグナリングで事前に配置されたＣＳ間隔；
【数３９５】
2020529810.tif 001688
：周波数ホッピング部分の番号；
【数３９６】
2020529810.tif 001689
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１６】
前記第１特定サブユニットは、
前記ＣＳ配置索引および前記シンボルの番号に基づき、以下の第１公式によって、前記シンボルに対応するＣＳ索引
【数３９７】
2020529810.tif 001690
を算出することに用いられ、
または、
前記第１特定サブユニットは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられ、
または、
前記第２特定サブユニットは、
前記シンボルに対応するＣＳ索引に基づき、以下の第２公式によって、前記シンボルに対応するＣＳ値
【数３９８】
2020529810.tif 001691
を算出することに用いられる、請求項１４に記載の端末。
【数３９９】
2020529810.tif 001692
（第１公式）
ここで、
【数４００】
2020529810.tif 001693
：シンボルに対応するＣＳ索引；
【数４０１】
2020529810.tif 001694
：前記ＣＳ配置索引；
【数４０２】
2020529810.tif 001695
：シンボルの番号であって、その範囲が０〜
【数４０３】
2020529810.tif 001696
であり、ここで、
【数４０４】
2020529810.tif 001697
が１つのタイムユニットに含まれるシンボル数を示す；
ｋ：係数であって、１以上の正整数である；
【数４０５】
2020529810.tif 001698
：１つのＲＢに含まれるサブキャリア数；
Ｍｏｄ：余りを求める関数、
【数４０６】
2020529810.tif 001699
（第２公式）
ここで、
【数４０７】
2020529810.tif 001700
：前記シンボルに対応するＣＳ値；
【数４０８】
2020529810.tif 001701
：前記シンボルに対応するＣＳ索引；
【数４０９】
2020529810.tif 001702
：１つのＲＢに含まれるサブキャリア数。
【請求項１７】
前記送信モジュールは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、
前記ＯＣＣ系列番号に基づき、ＯＣＣ系列番号に対応するＯＣＣ系列を特定するための第５特定ユニットと、
前記ＣＳ値と前記ＯＣＣ系列に基づき、前記ＰＵＣＣＨを前記シンボルで送信するための第２送信ユニットとを含む、請求項１４に記載の端末。
【請求項１８】
前記送信モジュールは、
前記ＰＵＣＣＨが伝送されるＲＢのＲＢ番号
【数４１０】
2020529810.tif 001703
を以下の第３公式で特定し、前記シンボルおよび前記ＲＢ番号に対応するＲＢで前記ＰＵＣＣＨを送信し、または、周波数ホッピングが用いられると、前記ＰＵＣＣＨが伝送されるＲＢのＲＢ番号
【数４１１】
2020529810.tif 001704
を以下の第４公式で特定し、前記シンボルおよび前記ＲＢ番号に対応するＲＢで前記ＰＵＣＣＨを送信するための第３送信ユニットをさらにを含む、請求項１３に記載の端末。
【数４１２】
2020529810.tif 001705
または、
【数４１３】
2020529810.tif 001706
（第３公式）
ここで、
【数４１４】
2020529810.tif 001707
または
【数４１５】
2020529810.tif 001708
【数４１６】
2020529810.tif 001709
または、
【数４１７】
2020529810.tif 001710
（第４公式）
ここで、
【数４１８】
2020529810.tif 001711
または
【数４１９】
2020529810.tif 001712
ここで、
【数４２０】
2020529810.tif 001713
：ＰＵＣＣＨが伝送されるＲＢのＲＢ番号；
【数４２１】
2020529810.tif 001714
：アンテナポート
【数４２２】
2020529810.tif 001715
でのＰＵＣＣＨリソース番号；
【数４２３】
2020529810.tif 001716
：１つのＲＢに含まれるサブキャリア数；
【数４２４】
2020529810.tif 001717
：ハイレイヤシグナリングで事前に配置されたＣＳ間隔；
【数４２５】
2020529810.tif 001718
：アップリンク帯域幅またはアップリンク周波数ホッピング帯域幅；
【数４２６】
2020529810.tif 001719
：周波数ホッピング部分の番号；
【数４２７】
2020529810.tif 001720
：ハイレイヤシグナリングで事前に配置されたＰＵＣＣＨリソース開始位置であって、その値が０以上である；
【数４２８】
2020529810.tif 001721
、
【数４２９】
2020529810.tif 001722
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項１９】
タイムユニットでＰＵＣＣＨに占められるシンボルを取得するための取得モジュールと、
前記シンボルに対応するＣＳ値を特定するための特定モジュールと、
前記ＣＳ値に基づき、前記ＰＵＣＣＨを前記シンボルで受信するための受信モジュールとを含む、基地局。
【請求項２０】
前記特定モジュールは、
シンボルの番号と、配置情報によって端末に通知されるＰＵＣＣＨリソース番号に基づき、前記シンボルに対応するＣＳ値を特定するための第１特定ユニットを含み、
ここで、
前記受信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで受信するための第１受信ユニットとを含み、
または、
前記第２特定ユニットは、
ＣＳ配置索引を特定し、前記ＣＳ配置索引を配置シグナリングによって端末に通知するための送信サブユニットと、
前記ＣＳ配置索引に基づき、前記シンボルに対応するＣＳ索引を特定するための第１特定サブユニットと、
前記シンボルに対応するＣＳ索引に基づき、前記シンボルに対応するＣＳ値を特定するための第２特定サブユニットとを含み、
ここで、
前記受信モジュールは、
ＯＣＣ系列の使用を特定すると、前記ＯＣＣ系列番号に基づき、ＯＣＣ系列番号に対応するＯＣＣ系列を特定するための第３特定ユニットと、
前記ＣＳ値と前記ＯＣＣ系列に基づき、前記ＰＵＣＣＨを前記シンボルで受信するための第１受信ユニットとを含む、請求項１９に記載の基地局。
【請求項２１】
前記第１特定ユニットは、
ＰＵＣＣＨリソース番号を特定し、配置情報によって端末に通知することと、
ＰＵＣＣＨリソース番号、シンボルの番号およびタイムユニットの番号に基づき、以下の第１公式群によって、シンボルに対応するＣＳ値
【数４３０】
2020529810.tif 001723
を算出すること、または、ＰＵＣＣＨリソース番号、シンボルの番号およびタイムユニットの番号に基づき、以下の第２公式群によって、シンボルに対応するＣＳ値
【数４３１】
2020529810.tif 001724
を算出することに用いられ、
または
前記第１特定ユニットは、
ＰＵＣＣＨリソース番号を特定し、配置情報によって端末に通知することと、
ＰＵＣＣＨリソース番号、シンボルの番号、タイムユニットの番号および周波数ホッピング部分の番号に基づき、以下の第３公式群によって、シンボルに対応するＣＳ値
【数４３２】
2020529810.tif 001725
を算出すること、または、ＰＵＣＣＨリソース番号、シンボルの番号、タイムユニットの番号および周波数ホッピング部分の番号に基づき、以下の第４公式群によって、シンボルに対応するＣＳ値
【数４３３】
2020529810.tif 001726
を算出することに用いられ、
または
前記第１特定ユニットは、
ＰＵＣＣＨリソース番号を特定し、配置情報によって端末に通知することと、
ＰＵＣＣＨリソース番号とシンボルの番号に基づき、以下の第５公式群によって、シンボルに対応するＣＳ値
【数４３４】
2020529810.tif 001727
を算出すること、または、ＰＵＣＣＨリソース番号とシンボルの番号に基づき、以下の第６公式群によって、シンボルに対応するＣＳ値
【数４３５】
2020529810.tif 001728
を算出することに用いられ、
または、
前記第１特定ユニットは、
ＰＵＣＣＨリソース番号を特定し、配置情報によって端末に通知することと、
ＰＵＣＣＨリソース番号、シンボルの番号および周波数ホッピング部分の番号に基づき、以下の第７公式群によって、ＣＳ値
【数４３６】
2020529810.tif 001729
を算出すること、または、ＰＵＣＣＨリソース番号、シンボルの番号および周波数ホッピング部分の番号に基づき、以下の第８公式群によって、ＣＳ値
【数４３７】
2020529810.tif 001730
を算出することに用いられる、請求項２０に記載の基地局。
【数４３８】
2020529810.tif 001731
（第１公式群）
ここで、
【数４３９】
2020529810.tif 001732
ここで、
【数４４０】
2020529810.tif 001733
【数４４１】
2020529810.tif 001734
【数４４２】
2020529810.tif 001735
【数４４３】
2020529810.tif 001736
（第２公式群）
ここで、
【数４４４】
2020529810.tif 001737
ここで、
【数４４５】
2020529810.tif 001738
【数４４６】
2020529810.tif 001739
ここで、
【数４４７】
2020529810.tif 001740
：シンボルに対応するＣＳ値；
【数４４８】
2020529810.tif 001741
、
【数４４９】
2020529810.tif 001742
、
【数４５０】
2020529810.tif 001743
：中間パラメータ；
【数４５１】
2020529810.tif 001744
：ＯＣＣ系列番号；
【数４５２】
2020529810.tif 001745
：疑似乱数列；
【数４５３】
2020529810.tif 001746
：アンテナポート
【数４５４】
2020529810.tif 001747
でのＰＵＣＣＨリソース番号；
【数４５５】
2020529810.tif 001748
：余りを求める関数；
【数４５６】
2020529810.tif 001749
：１つのＲＢに含まれるサブキャリア数；
【数４５７】
2020529810.tif 001750
：ハイレイヤシグナリングで事前に配置されたＣＳ間隔；
【数４５８】
2020529810.tif 001751
：１つのタイムユニットに含まれるシンボル数；
【数４５９】
2020529810.tif 001752
：タイムユニットの番号；
【数４６０】
2020529810.tif 001753
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数４６１】
2020529810.tif 001754
（第３公式群）
ここで、
【数４６２】
2020529810.tif 001755
ここで、
【数４６３】
2020529810.tif 001756
【数４６４】
2020529810.tif 001757
周波数ホッピングが用いられると、前記タイムユニットに２つの周波数ホッピング部分を含むのであれば、１つ目の周波数ホッピング部分に対し、または、
【数４６５】
2020529810.tif 001758
＝０の場合、
【数４６６】
2020529810.tif 001759
２つ目の周波数ホッピング部分に対し、または、
【数４６７】
2020529810.tif 001760
＝１の場合、
【数４６８】
2020529810.tif 001761
【数４６９】
2020529810.tif 001762
（第４公式群）
ここで、
【数４７０】
2020529810.tif 001763
ここで、
【数４７１】
2020529810.tif 001764
周波数ホッピングが用いられると、前記タイムユニットに２つの周波数ホッピング部分を含むのであれば、１つ目の周波数ホッピング部分に対し、または、
【数４７２】
2020529810.tif 001765
＝０の場合、
【数４７３】
2020529810.tif 001766
２つ目の周波数ホッピング部分に対し、または、
【数４７４】
2020529810.tif 001767
＝１の場合、
【数４７５】
2020529810.tif 001768
ここで、
【数４７６】
2020529810.tif 001769
：シンボルに対応するＣＳ値；
【数４７７】
2020529810.tif 001770
、
【数４７８】
2020529810.tif 001771
、
【数４７９】
2020529810.tif 001772
：中間パラメータ；
【数４８０】
2020529810.tif 001773
：ＯＣＣ系列番号；
【数４８１】
2020529810.tif 001774
：疑似乱数列；
【数４８２】
2020529810.tif 001775
：アンテナポート
【数４８３】
2020529810.tif 001776
でのＰＵＣＣＨリソース番号；
【数４８４】
2020529810.tif 001777
：余りを求める関数；
【数４８５】
2020529810.tif 001778
：１つのＲＢに含まれるサブキャリア数；
【数４８６】
2020529810.tif 001779
：ハイレイヤシグナリングで事前に配置されたＣＳ間隔；
【数４８７】
2020529810.tif 001780
：１つのタイムユニットに含まれるシンボル数；
【数４８８】
2020529810.tif 001781
：周波数ホッピング部分の番号；
【数４８９】
2020529810.tif 001782
：タイムユニットの番号；
【数４９０】
2020529810.tif 001783
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数４９１】
2020529810.tif 001784
（第５公式群）
ここで、
【数４９２】
2020529810.tif 001785
ここで、
【数４９３】
2020529810.tif 001786
【数４９４】
2020529810.tif 001787
【数４９５】
2020529810.tif 001788
【数４９６】
2020529810.tif 001789
（第６公式群）
ここで、
【数４９７】
2020529810.tif 001790
ここで、
【数４９８】
2020529810.tif 001791
【数４９９】
2020529810.tif 001792
ここで、
【数５００】
2020529810.tif 001793
：シンボルに対応するＣＳ値；
【数５０１】
2020529810.tif 001794
、
【数５０２】
2020529810.tif 001795
、
【数５０３】
2020529810.tif 001796
：中間パラメータ；
【数５０４】
2020529810.tif 001797
：ＯＣＣ系列番号；
【数５０５】
2020529810.tif 001798
：疑似乱数列；
【数５０６】
2020529810.tif 001799
：アンテナポート
【数５０７】
2020529810.tif 001800
でのＰＵＣＣＨリソース番号；
【数５０８】
2020529810.tif 001801
：余りを求める関数；
【数５０９】
2020529810.tif 001802
：１つのＲＢに含まれるサブキャリア数；
【数５１０】
2020529810.tif 001803
：ハイレイヤシグナリングで事前に配置されたＣＳ間隔；
【数５１１】
2020529810.tif 001804
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値であり、
【数５１２】
2020529810.tif 001805
（第７公式群）
ここで、
【数５１３】
2020529810.tif 001806
ここで、
【数５１４】
2020529810.tif 001807
【数５１５】
2020529810.tif 001808
周波数ホッピングが用いられると、前記タイムユニットに２つの周波数ホッピング部分を含むのであれば、１つ目の周波数ホッピング部分に対し、または、
【数５１６】
2020529810.tif 001809
＝０の場合、
【数５１７】
2020529810.tif 001810
２つ目の周波数ホッピング部分に対し、または、
【数５１８】
2020529810.tif 001811
＝１の場合、
【数５１９】
2020529810.tif 001812
【数５２０】
2020529810.tif 001813
（第８公式群）
ここで、
【数５２１】
2020529810.tif 001814
ここで、
【数５２２】
2020529810.tif 001815
周波数ホッピングが用いられると、前記タイムユニットに２つの周波数ホッピング部分を含むのであれば、１つ目の周波数ホッピング部分に対し、または、
【数５２３】
2020529810.tif 001816
＝０の場合、
【数５２４】
2020529810.tif 001817
２つ目の周波数ホッピング部分に対し、または、
【数５２５】
2020529810.tif 001818
＝１の場合、
【数５２６】
2020529810.tif 001819
ここで、
【数５２７】
2020529810.tif 001820
：シンボルに対応するＣＳ値；
【数５２８】
2020529810.tif 001821
、
【数５２９】
2020529810.tif 001822
、
【数５３０】
2020529810.tif 001823
：中間パラメータ；
【数５３１】
2020529810.tif 001824
：ＯＣＣ系列番号；
【数５３２】
2020529810.tif 001825
：疑似乱数列；
【数５３３】
2020529810.tif 001826
：アンテナポート
【数５３４】
2020529810.tif 001827
でのＰＵＣＣＨリソース番号；
【数５３５】
2020529810.tif 001828
：余りを求める関数；
【数５３６】
2020529810.tif 001829
：１つのＲＢに含まれるサブキャリア数；
【数５３７】
2020529810.tif 001830
：ハイレイヤシグナリングで事前に配置されたＣＳ間隔；
【数５３８】
2020529810.tif 001831
：周波数ホッピング部分の番号；
【数５３９】
2020529810.tif 001832
：１つのタイムユニットにおけるシンボルの番号；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【請求項２２】
前記第１特定サブユニットは、
前記ＣＳ配置索引および前記シンボルの番号に基づき、以下の第１公式によって、前記シンボルに対応するＣＳ索引
【数５４０】
2020529810.tif 001833
を算出することに用いられ、
または
前記第１特定サブユニットは、
前記シンボルの番号、および、前記ＣＳ配置索引と、タイムユニットの中の各シンボルの番号に対応するＣＳ索引が記録されているテーブルとの間の所定のマッピング関係に基づき、前記シンボルに対応するＣＳ索引を特定することに用いられ、
または
前記第２特定サブユニットは、
前記シンボルに対応するＣＳ索引に基づき、以下の第２公式によって、前記シンボルに対応するＣＳ値
【数５４１】
2020529810.tif 001834
を算出することに用いられる、請求項２０に記載の基地局。
【数５４２】
2020529810.tif 001835
（第１公式）
ここで、
【数５４３】
2020529810.tif 001836
：シンボルに対応するＣＳ索引；
【数５４４】
2020529810.tif 001837
：前記ＣＳ配置索引；
【数５４５】
2020529810.tif 001838
：シンボルの番号であって、その範囲が０〜
【数５４６】
2020529810.tif 001839
であり、ここで、
【数５４７】
2020529810.tif 001840
が１つのタイムユニットに含まれるシンボル数を示す；
ｋ：係数であって、１以上の正整数である；
【数５４８】
2020529810.tif 001841
：１つのＲＢに含まれるサブキャリア数；
Ｍｏｄ：余りを求める関数；
【数５４９】
2020529810.tif 001842
（第２公式）
ここで、
【数５５０】
2020529810.tif 001843
：前記シンボルに対応するＣＳ値；
【数５５１】
2020529810.tif 001844
：前記シンボルに対応するＣＳ索引；
【数５５２】
2020529810.tif 001845
：１つのＲＢに含まれるサブキャリア数。
【請求項２３】
前記受信モジュールは、
ＯＣＣ系列の使用を特定すると、配置シグナリングに基づいてＯＣＣ系列番号を特定し、または前記ＣＳ配置索引に基づき、所定の公式または所定のテーブルでＯＣＣ系列番号を特定するための第４特定ユニットと、
前記ＯＣＣ系列番号に基づき、ＯＣＣ系列番号に対応するＯＣＣ系列を特定するための第５特定ユニットと、
前記ＣＳ値と前記ＯＣＣ系列に基づき、前記ＰＵＣＣＨを前記シンボルで受信するための第２受信ユニットとを含む、請求項２０に記載の基地局。
【請求項２４】
前記受信モジュールは、
前記ＰＵＣＣＨが伝送されるＲＢのＲＢ番号
【数５５３】
2020529810.tif 001846
を以下の第３公式で特定し、前記シンボルおよび前記ＲＢ番号に対応するＲＢで前記ＰＵＣＣＨを送信し、または、周波数ホッピングが用いられると、前記ＰＵＣＣＨが伝送されるＲＢのＲＢ番号
【数５５４】
2020529810.tif 001847
を以下の第４公式で特定し、前記シンボルおよび前記ＲＢ番号に対応するＲＢで前記ＰＵＣＣＨを送信するための第３受信ユニットを含む、請求項１９に記載の基地局。
【数５５５】
2020529810.tif 001848
または、
【数５５６】
2020529810.tif 001849
（第３公式）
ここで、
【数５５７】
2020529810.tif 001850
または
【数５５８】
2020529810.tif 001851
【数５５９】
2020529810.tif 001852
または、
【数５６０】
2020529810.tif 001853
（第４公式）
ここで、
【数５６１】
2020529810.tif 001854
または
【数５６２】
2020529810.tif 001855
ここで、
【数５６３】
2020529810.tif 001856
：ＰＵＣＣＨが伝送されるＲＢのＲＢ番号；
【数５６４】
2020529810.tif 001857
：アンテナポート
【数５６５】
2020529810.tif 001858
でのＰＵＣＣＨリソース番号；
【数５６６】
2020529810.tif 001859
：１つのＲＢに含まれるサブキャリア数；
【数５６７】
2020529810.tif 001860
：ハイレイヤシグナリングで事前に配置されたＣＳ間隔；
【数５６８】
2020529810.tif 001861
：アップリンク帯域幅またはアップリンク周波数ホッピング帯域幅；
【数５６９】
2020529810.tif 001862
：周波数ホッピング部分の番号；
【数５７０】
2020529810.tif 001863
：ハイレイヤシグナリングで事前に配置されたＰＵＣＣＨリソース開始位置であって、その値が０以上である；
【数５７１】
2020529810.tif 001864
、
【数５７２】
2020529810.tif 001865
：アップリンク周波数ホッピングオフセット値；
ｃ：事前に定義された値であって、異なるシンボル長のＰＵＣＣＨに対し同一値であり、または、異なるシンボル長のＰＵＣＣＨに対し独立した値であり、または、異なる多重化容量を有するＰＵＣＣＨに対し独立した値である。
【国際調査報告】
2020529810.tif 001866
2020529810.tif 001867
2020529810.tif 001868
2020529810.tif 001869
2020529810.tif 001870
2020529810.tif 001871